(57)【特許請求の範囲】
【請求項１】
共同作業のためのプレゼンテーションユニットを構築する方法において、
（ａ）表示画面と少なくとも１つの入力装置とを備えたマスタープレゼンテーションユニットを会議スペース内に設けるステップと、
（ｂ）前記マスタープレゼンテーションユニットと関連付けされたプロセッサを設けるステップと、
（ｃ）複数の移動式プロジェクタを前記会議スペース内に移動するステップと、
（ｄ）前記マスタープレゼンテーションユニットを、前記会議スペース内に移動された前記複数のプロジェクタのうち少なくとも２つのプロジェクタと関連付けするステップと、
（ｅ）前記マスタープレゼンテーションユニットの前記表示画面に画像を提示するステップと、
（ｆ）前記複数のプロジェクタのうち前記関連付けされたプロジェクタのいずれかを、前記マスタープレゼンテーションユニットに提示された前記画像を表示するプロジェクタとして、指定するための、制御インタフェースを前記マスタープレゼンテーションユニットの前記表示画面に設けるステップと、
（ｇ）前記マスタープレゼンテーションユニットから提示された前記画像を表示するように指定された前記プロジェクタを用いて、前記マスタープレゼンテーションユニットから提示された前記画像を、前記会議スペース内のプレゼンテーションスペース上に映し出すステップと、
（ｈ）どのプロジェクタが前記会議スペース内に配置されているかを判定するためのセンサシステムを前記会議スペースに設けるステップと、を含み、
前記（ｄ）前記マスタープレゼンテーションユニットを前記複数のプロジェクタのうち少なくとも２つのプロジェクタと関連付けするステップが、前記複数のプロジェクタのリストを前記マスタープレゼンテーションユニットの表示画面を介して提示すること、および、前記複数のプロジェクタのうち少なくとも２つのプロジェクタを前記マスタープレゼンテーションユニットの前記入力装置により指定すること、をそれぞれ含み、
前記複数のプロジェクタが、それぞれ、識別タグを有しているとともに、前記会議スペースに設けられた前記センサシステムが前記識別タグを読取るための少なくとも第１のタグリーダを有しており、これにより、前記プロジェクタが前記会議スペース内に入ると前記会議スペース用の前記リストに前記プロジェクタを追加し、前記プロジェクタが前記会議スペースから撤去されると該プロジェクタを前記会議スペース用の前記リストから削除することによって、どのプロジェクタが前記会議スペース内に配置されているかを判定する
ことを特徴とする共同作業のためのプレゼンテーションユニットを構築する方法。
【請求項２】
前記ＩＤタグがＲＦＩＤタグとされているとともに、前記センサシステムがＲＦセンサとされていることを特徴とする請求項１に記載の方法。
【請求項３】
前記複数のプロジェクタを前記会議スペース内に設けるステップが、ワイヤレス送信機をそれぞれ有する複数のプロジェクタを設けることを含み、前記マスタープレゼンテーションユニットを前記複数のプロジェクタのうち少なくとも２つのプロジェクタと関連付けするステップが、前記会議スペース内の前記複数のプロジェクタに一意のプロジェクタ識別子を前記マスタープレゼンテーションユニットへ送信させるステップをさらに含み、そして、前記複数のプロジェクタのリストを提示するステップが、前記マスタープレゼンテーションユニットによって受信された前記一意のプロジェクタ識別子のそれぞれのための互いに独立な項目を含むリストを提示することを含むことを特徴とする請求項１に記載の方法。
【請求項４】
前記複数のプロジェクタが、それぞれ、少なくとも第１の画像と第２の画像とを、少なくとも第１のプレゼンテーションスペースと第２のプレゼンテーションスペースとにそれぞれ映し出し、そして、前記制御インタフェースを設けるステップが、前記複数のプロジェクタのいずれかと関連付けされた前記第１のプレゼンテーションスペースおよび第２のプレゼンテーションスペースのいずれかを指定するためのインタフェースを設けることを含むことを特徴とする請求項１に記載の方法。
【請求項５】
前記制御インタフェースを設けるステップが、前記複数のプロジェクタのいずれかによって提示された前記画像のいずれかを指定して、その指定内容を前記マスタープレゼンテーションユニットによって該マスタープレゼンテーションユニットの表示画面に表示させるための、インタフェースを設けることを含むことを特徴とする請求項４に記載の方法。
【請求項６】
前記複数のプロジェクタユニットを前記会議スペース内に移動するステップが、各プロジェクタユニットを互いに独立な複数のプロジェクタカートにそれぞれ配置することを含み、そして、前記プロジェクタカートには、それぞれ、前記プロジェクタの搬送および該プロジェクタカートと該プロジェクタとの前記会議スペース内への移動のためのホイールが設けられていることを特徴とする請求項１に記載の方法。
【請求項７】
前記マスタープレゼンテーションユニットを前記複数のプロジェクタのうち少なくとも２つのプロジェクタと関連付けするステップが、前記複数のプロジェクタカートをそれぞれ前記マスタープレゼンテーションユニットに機械的に接続するステップを含むことを特徴とする請求項６に記載の方法。
【請求項８】
前記複数のプロジェクタカートを移動するステップが、該複数のプロジェクタカートを互いに隣り合うように配置することを含み、そして、前記複数のプロジェクタカートをそれぞれ前記マスタープレゼンテーションユニットに機械的に接続するステップが、該マスタープレゼンテーションユニットと前記プロジェクタとを通信ケーブルで接続することを含むことを特徴とする請求項７に記載の方法。
【請求項９】
前記複数のプロジェクタカートをそれぞれ前記マスタープレゼンテーションユニットに機械的に接続するステップが、前記マスタープレゼンテーションユニットと前記プロジェクタとを電源ケーブルで接続することを含むことを特徴とする請求項８に記載の方法。
【請求項１０】
前記複数のプロジェクタのうち前記マスタープレゼンテーションユニットと関連付けされたプロジェクタ、と関連付けされた前記プロジェクタカートを、互いに隣り合うように配置するステップと、前記互いに隣り合うように配置されたプロジェクタカートどうしを機械的に接続して、搬送のためにカートチェーンを構成するステップと、を備えていることを特徴とする請求項６に記載の方法。
【請求項１１】
プレゼンテーション面をなす垂直な部材とともに用いられる画像プレゼンテーションキットシステムにおいて、
入力装置および表示画面を有しているマスタープレゼンテーションユニットと、
前記マスタープレゼンテーションユニットと関連付けされたプロセッサと、
会議スペース内における移動のためのホイールを有するとともに、前記プレゼンテーション面に隣接して位置付けられて該プレゼンテーション面に画像を映し出すように互いに並置されるプロジェクタがそれぞれ設けられた、少なくとも第１の移動式プロジェクタカートおよび第２の移動式プロジェクタカートと、
前記プロセッサを前記移動式プロジェクタのそれぞれに接続するためのネットワークと、
前記会議スペースに設けられたセンサシステムと、
を備え、
前記マスタープレゼンテーションユニットの前記表示画面には、前記複数のプロジェクタのうちいずれかを、前記マスタープレゼンテーションユニットに提示された前記画像を表示するプロジェクタとして指定するための制御インタフェースが設けられ、
前記マスタープレゼンテーションユニットの表示画面を介して前記プロジェクタのリストを提示すること、および、前記プロジェクタを前記マスタープレゼンテーションユニットの前記入力装置により指定することにより、前記マスタープレゼンテーションユニットを前記プロジェクタと関連付けするよう構成され、
前記マスタープレゼンテーションユニットから提示された前記画像を表示するように指定された前記プロジェクタを用いて、前記マスタープレゼンテーションユニットから提示された前記画像を、前記プレゼンテーション面に映し出すよう構成され、
前記複数のプロジェクタが、それぞれ、識別タグを有しているとともに、前記会議スペースに設けられた前記センサシステムが前記識別タグを読取るための少なくとも第１のタグリーダを有しており、これにより、前記プロジェクタが前記会議スペース内に入ると前記会議スペース用の前記リストに前記プロジェクタが追加され、前記プロジェクタが前記会議スペースから撤去されると該プロジェクタが前記会議スペース用の前記リストから削除されることによって、どのプロジェクタが前記会議スペース内に配置されているかを判定するよう構成されている
ことを特徴とする画像プレゼンテーションキットシステム。
【請求項１２】
前記ネットワークがワイヤレスネットワークで構成されていることを特徴とする請求項１１に記載のシステム。
【請求項１３】
前記複数のプロジェクタのうち少なくとも２つのプロジェクタを、機械的ネットワークを介して前記プロセッサに機械的に接続するステップと、
前記プロセッサにより前記ネットワークをポーリングし、該ネットワークに接続されている前記プロジェクタの台数とそれらプロジェクタの、該ネットワーク上における論理的な位置を識別するステップと、を含む
ことを特徴とする請求項１に記載の方法。
【発明の詳細な説明】
【技術分野】
【０００１】
本発明は、大規模プレゼンテーションシステム用インタフェースに関し、特に、会議参加者が会議スペース内においておよび／またはリモート参加状態で、情報を直感的かつ容易に共有することができるインタフェースおよびその機能に関するものである。
【背景技術】
【０００２】
本特許出願は、２００６年６月２日出願の米国特許出願第１１／４４６，０１９号（発明の名称「仮想フリップチャート方法および装置」）の一部継続出願であり、この米国特許出願第１１／４４６，０１９号は、２００５年４月１日出願の米国特許出願第１１／０９６，９６９号（発明の名称「仮想フリップチャート方法および装置」）の一部継続出願であり、さらに、この米国特許出願第１１／０９６，９６９号は、２００４年４月４日出願の米国特許出願第１０／８１６，５３７号（発明の名称「仮想フリップチャート方法および装置」）の一部継続出願である。また、本特許出願と関連するものとして、２００５年６月２日出願の米国特許仮出願第６０／６８７，３８９号（発明の名称「仮想フリップチャート方法および装置」）および２００６年２月９日出願の米国特許仮出願第６０／７７１，９０８号（発明の名称「仮想フリップチャート方法および装置」）が存在する。
【０００３】
本出願の親出願にあたるとともに参照により本明細書に編入された上記各文献を参照すると、これらの文献には会議システムが複数教示されているところであるが、そのうち少なくとも幾つかの会議システムは、情報を共有するために会議スペース（すなわち会議室）内に設置された、マスタープレゼンテーションユニットおよび１以上のスレーブプレゼンテーションユニットを備えたものである。
【０００４】
少なくとも幾つかの実施形態において、マスターユニットには、大型フラットパネル型表示装置と、センサシステムと、ディスプレイプロセッサとが備えられている。プロセッサは、ソフトウェアアプリケーション、静止画、動画、電子ホワイトボード画像その他の情報を表示画面に表示するように構成されている。センサシステムはプロセッサに接続されており、表示画面上またはその近辺におけるユーザ動作（アクティビティ）を示す情報を受信するとともに、その受信された情報とユーザ動作の属性とに関連付けされた機能を実行するためのものである。例えば、システム操作者（会議司会者）がペン装置としてメカニカルスタイラスを用いて画面上で描画を行う際に、プロセッサは、スタイラスチップの動きに追従して仮想的なインクマークを提示するようにプログラムされている。同様に、選択可能なボタンアイコンをもつアプリケーションインタフェースが画面上に提示される際、プロセッサは、ボタンアイコンに対応する画面上の位置にスタイラスが接触した時点を感知して、該ボタンアイコンと関連付けされたユーザ動作を実行するようにプログラムされている。
【０００５】
スレーブプレゼンテーションユニットは、マスターユニットの表示画面と同サイズかそれより大きいサイズの所定の型式のプレゼンテーション面を備えた大型ユニットである。スレーブユニット（複数形）については、会議スペース内にいる人物から見えるように、マスターユニットと隣接して位置決めされることが想定されている。少なくとも幾つかの進歩的な実施形態においては、マスターユニットの操作者は、マスターユニットを用いて、マスターユニットに提示された情報をスレーブユニットのいずれかに提示させることができる。つまり、操作者が、マスターユニット情報をスレーブユニットのいずれかに表示させるよう指示すれば、マスターユニット情報をスレーブユニット側でも表示することができる。このようなマスター＝スレーブ・システムは、少なくとも幾つかの様相においては、従来の紙ベースのフリップチャートに類似したものであって、マスターユニット側で画像の生成および修正を行うことができるとともに、画像生成後、スレーブユニット側で操作対象画像を表示することができる。
【０００６】
少なくとも幾つかの実施形態において、スレーブユニットは１以上のプロジェクタを備えており、各プロジェクタが、それぞれ、１以上のスレーブ画像をスレーブプレゼンテーション面に映し出すように構成されている。少なくとも幾つかの実施形態において、遠隔地に所在する会議参加者全員が同時に同一の画像を閲覧することができるように、２以上のマスター／スレーブサブシステムをネットワーク接続することができる。
【発明の概要】
【０００７】
少なくとも一の実施形態に係る、共同作業のためのプレゼンテーションユニットを構築する方法は、（ａ）表示画面と少なくとも１つの入力装置とを備えたマスタープレゼンテーションユニットを会議スペース内に設けるステップと、（ｂ）前記マスタープレゼンテーションユニットと関連付けされたプロセッサを設けるステップと、（ｃ）複数の移動式プロジェクタを前記会議スペース内に移動するステップと、（ｄ）前記マスタープレゼンテーションユニットを、前記会議スペース内に移動された前記複数のプロジェクタのうち少なくとも２つのプロジェクタと関連付けするステップと、（ｄ）前記マスタープレゼンテーションユニットの前記表示画面に画像を提示するステップと、（ｅ）前記複数のプロジェクタのうち前記関連付けされたプロジェクタのいずれかを、前記マスタープレゼンテーションユニットに提示された前記画像を表示するプロジェクタとして、指定するための、制御インタフェースを前記マスタープレゼンテーションユニットの前記表示画面に設けるステップと、（ｆ）前記マスタープレゼンテーションユニットから提示された前記画像を表示するように指定された前記プロジェクタを用いて、前記マスタープレゼンテーションユニットから提示された前記画像を、前記会議スペース内のプレゼンテーションスペース上に映し出すステップと、を含むことを特徴とする。
【０００８】
場合によっては、前記マスタープレゼンテーションユニットを前記プロジェクタ群の一部と関連付けする前記ステップには、前記プロジェクタのリストを前記マスタープレゼンテーションユニットの表示装置を介して提示すること、および、前記プロジェクタ群の一部を指定する選択内容を、前記マスタープレゼンテーションユニットの入力装置を介して受信すること、が含まれている。
【０００９】
一部の実施形態には、さらに、どのプロジェクタが前記会議スペース内に配置されているかを判定するためのセンサシステムを設けるステップをさらに含むことを特徴とする。場合によっては、前記プロジェクタは、それぞれ、識別タグを有し、そして、前記センサシステムは、前記識別タグを読取るための少なくとも第１のタグリーダを有している。場合によっては、前記ＩＤタグがＲＦＩＤタグで構成されるとともに、前記センサがＲＦセンサで構成されている。
【００１０】
場合によっては、前記複数のプロジェクタを前記会議スペース内に設けるステップが、ワイヤレス送信機をそれぞれ有する複数のプロジェクタを設けることを含み、前記関連付けするステップが、前記スペース内の前記プロジェクタに、一意のプロジェクタ識別子を前記マスタープレゼンテーションユニットへ送信させるステップをさらに含み、そして、前記リストを提示するステップが、前記マスタープレゼンテーションユニットによって受信された前記一意のプロジェクタ識別子のそれぞれに対する互いに独立な入力項目を有するリストを提示することを含む。
【００１１】
場合によっては、前記プロジェクタが、それぞれ、少なくとも第１の画像と第２の画像とを、少なくとも第１のプレゼンテーションスペースと第２のプレゼンテーションスペースとにそれぞれ映し出し、そして、前記制御インタフェースを設けるステップには、前記プロジェクタのいずれかと関連付けされた前記第１および第２のプレゼンテーションスペースのいずれかの指定を支援するインタフェースを設けることが含まれる。場合によっては、前記制御インタフェースを設けるステップには、前記プロジェクタのいずれかによって提示された前記画像のいずれかの指定が、前記マスタープレゼンテーションユニットによって、前記マスタープレゼンテーションユニットの表示装置を介して、表示されることを可能にするインタフェースを設けることが含まれる。
【００１２】
一部の実施形態においては、前記複数のプロジェクタユニットを前記会議スペース内に移動するステップには、各プロジェクタユニットを互いに独立なプロジェクタカートに配置することが含まれ、前記プロジェクタカートが、それぞれ、前記プロジェクタの搬送が容易になるように、そして、前記プロジェクタカートおよび前記プロジェクタを前記会議スペース内に移動することが容易になるように、ホイールを有している。
【００１３】
場合によっては、マスタープレゼンテーションユニットを前記プロジェクタ群の一部と関連付ける前記ステップには、プロジェクタカートをそれぞれ前記マスタープレゼンテーションユニットに機械的に接続するステップが含まれる。場合によっては、前記プロジェクタカートを移動するステップには、前記プロジェクタカートを互いに隣り合うように配置することが含まれ、そして、前記機械的に接続するステップには、前記マスタープレゼンテーションユニットおよび前記プロジェクタの間に通信ケーブルを接続することが含まれる。
【００１４】
場合によっては、前記機械的に接続するステップには、マスタープレゼンテーションユニットと前記プロジェクタとの間に電源ケーブルを接続することが含まれる。
【００１５】
一部の場合には、さらに、前記プロジェクタ群に属する前記関連付けされたプロジェクタと関連付けされた前記プロジェクタカートを互いに隣り合うように配置し、隣接するプロジェクタカートどうしを機械的に接続して、搬送のためにカートチェーンが構成されるステップを含む。
【００１６】
少なくとも幾つかの実施形態に係る、データコネクタを有するデータケーブルとともに用いられる移動式組立体は、プレゼンテーション面をなす部材とともに用いられるように構成され、そして、プロジェクタカートを備えている。このプロジェクタカートは、（ａ）支持面をなす支持部材と、（ｂ）前記支持面を支持する移動用ホイールと、（ｃ）該プロジェクタカートによって支持された第１のデータポートであってデータコネクタを収容するように構成された該データポートと、（ｄ）前記支持面によって支持されているとともに前記第１のデータポートに接続されたプロジェクタであって、画像をカートに隣接したプレゼンテーション面上に映し出すように配置されたプロジェクタと、を備えている。
【００１７】
一部の実施形態に係る、電源コネクタを有する電源ケーブルおよびデータコネクタを有するデータケーブルとともに用いられる移動式組立体は、カートを備えている。このカートは、（ａ）内部チャンバの両側から互いに離間して設けられた、それぞれ上端部を有している第１の略垂直な側壁部材と第２の略垂直な側壁部材と、（ｂ）前記第１の側壁部材および前記第２の側壁部材の間において、該第１の側壁部材と該第２の側壁部材とに対して略垂直に延在している、略垂直な後壁部材と、（ｃ）前記第１の側壁部材および前記第２の側壁部材の間において延在しているとともに該第１の側壁部材と該第２の側壁部材とに対して垂直な、ドア部材または前壁部材の少なくとも一方と、（ｄ）前記第１の側壁部材、前記第２の側壁部材および前記後壁部材を支持しているとともにカートの移動を容易にするホイールと、（ｅ）前記側壁部材の上端部に隣接して前記各壁部部材によって支持されている、略水平な透明な上部部材と、（ｆ）該カートに支持されつつデータコネクタを収容するように構成された第１のデータポートと、を備えている。
【００１８】
場合によっては、前記組立体は、略垂直なプレゼンテーション面をなす部材とともに用いられるように構成されており、さらに、壁部部材によって支持されているとともに第１の電源ポートおよび第１のデータポートとに接続されたプロジェクタを備えている。このプロジェクタは、画像を、透明な上部部材を介して、カートに隣接しているプレゼンテーション面上に映し出すように配置されている。場合によっては、組立体は、さらに、内部チャンバ内において壁部部材によって支持されているとともに、前記支持部材より上でありかつ前記透明な上部部材より下において上部チャンバが形成されるように、側壁部材の上端から離隔して設けられた、支持部材を備えている。また、プロジェクタは、この支持部材によって支持されている。
【００１９】
他の実施形態に係る、プレゼンテーション面をなす略垂直な部材とともに用いられる画像プレゼンテーションキットシステムは、入力装置および表示画面を備えたマスタープレゼンテーションユニットと、前記マスターユニットと関連付けされたプロセッサと、前記プロジェクタカートを会議スペース内で移動するためのホイールを有するとともに、前記プロジェクタカートが前記プレゼンテーション面に隣接して位置付けられたときに前記プレゼンテーション面に画像を映し出すように互いに並置されたプロジェクタを有する、少なくとも第１の移動式プロジェクタカートおよび第２の移動式プロジェクタカートと、前記プロセッサを前記移動式プロジェクタのそれぞれに接続するためのネットワークと、を備えている。場合によっては、前記ネットワークはワイヤレスネットワークで構成されている。
【００２０】
他の一部の実施形態に係る画像表示用プレゼンテーションシステムの構築方法は、（ａ）表示装置と少なくとも１つの入力装置とを備えたマスタープレゼンテーションユニットを会議スペース内に設けるステップと、（ｂ）前記マスタープレゼンテーションユニットと関連付けされたプロセッサを設けるステップと、（ｃ）複数の移動式プロジェクタを前記会議スペース内に移動するステップと、（ｄ）前記複数のプロジェクタのうち少なくとも２つのプロジェクタを、機械的ネットワークを介して前記プロセッサに機械的に接続するステップと、（ｅ）前記プロセッサにより前記ネットワークをポーリングし、該ネットワークに接続されている前記プロジェクタの台数とそれらプロジェクタの、該ネットワーク上における論理的な位置を識別するステップと、（ｆ）前記プロセッサに機械的に接続された前記プロジェクタによってそれぞれ提示された画像を前記マスタープレゼンテーションユニットの入力装置を用いて制御するための、インタフェース表示画面を、前記マスタープレゼンテーションユニットの前記表示画面に提示させるように前記プロセッサを構築するステップと、を含むことを特徴とする
【図面の簡単な説明】
【００２１】
【図１】マスタープレゼンテーションユニットと、第１のスレーブプレゼンテーションユニット、第２のスレーブプレゼンテーションユニットとを含む、本発明の一実施形態に係るフリップチャート模倣型プレゼンテーションシステムの例を示す斜視図である。
【図２】図１に示すマスタープレゼンテーションユニットの拡大斜視図である。
【図３】図２に示すマスターユニットの概略を示す部分断面図である。
【図４】図１に示すスレーブユニットの斜視図である。
【図５】図４に示すスレーブプレゼンテーションユニットの概略を示す部分断面図である。
【図６】図１に示すマスターユニットと用いられるスレーブユニットの第２の実施形態を示す斜視図である。
【図７】スレーブプレゼンテーションユニットの他の設計例を示す、図５と同様の図である。
【図８】さらなる一のスレーブプレゼンテーションユニットを示す、図７と同様の図である。
【図９】さらなる他のスレーブプレゼンテーションユニットの実施形態を示す、図７と同様の図である。
【図１０】図１に示す携帯型インタフェースユニットを示す図であり、（Ａ）は該インタフェースユニットの斜視図、（Ｂ）は（Ａ）に示すインタフェースユニットの一実施形態を構成するコンポーネントの概略図である。
【図１１】異なるタイプのスレーブプレゼンテーションユニットを備えたプレゼンテーションシステムを示す、図１と同様の図である。
【図１２】フラットパネル型表示装置を備えたスレーブプレゼンテーションユニットを示す、図１と同様の図である。
【図１３】図１ないし図１２のいずれかにに示すプレゼンテーションシステムにおいて用いられる、本発明の一様相に係るフリップ方法を示すフローチャートである。
【図１４】スレーブユニットからの画像を読み出し、該画像をマスターユニット側で再提示するための、図１３に示すフリップ方法の一部と代替的な副手順を示す図である。
【図１５】マスターユニットからスレーブユニットへ画像フリップ後、一意的に識別可能なスレーブユニット側で画像を読み出す方法を示す図である。
【図１６】マスタープレゼンテーションユニットとスレーブプレゼンテーションユニットとによって現在表示されている画像をクイック保存した後でそれらの画像に再度アクセスして、該画像の保存前に該画像を提示していたのと同じユニットによって該画像を再提示する方法を示すフローチャートである。
【図１７】別形態のコントロールボタンを備えたマスターユニットを示す、図２と同様の図である。
【図１８】フリップチャート動作を模倣するための複数プレゼンテーション面に表示スペースを分割するように構成された単一のプレゼンテーションユニットを備えた、本発明の幾つかの様相と整合的なプレゼンテーションシステムの平面図である。
【図１９】表示画像の扱い方が異なる点を除き図１８と同様の図である。
【図２０】３台のプロジェクタおよび関連付けされた投影スクリーン／組立体を含む他の進歩的な実施形態の斜視図である。
【図２１】マスターユニットがイーゼル組立体状の形態とされ、そして、スレーブユニットが壁部取り付けされているところの、他の実施形態を示す図である。
【図２２】リモート設置されたマスターユニットおよびスレーブユニットを用いてプレゼンテーションを遠隔制御するためのインタフェースユニットを備えたプレゼンテーションシステムを示す概略図である。
【図２３】メイン画像と２つのフリップ画像とを映し出す単一のプロジェクタを備えた、一の追加的かつ進歩的なプレゼンテーションシステムの例を示す図である。
【図２４】複数の移動式フラットパネル型表示装置を備えたプレゼンテーションシステムであって、ディスプレイ装置のいずれか１つをマスターディスプレイとして選択することができ、他のディスプレイ装置のすべてまたはその一部をスレーブディスプレイとして用いることができる、他のプレゼンテーションシステムの例を示す概略図である。
【図２５】本発明の少なくとも幾つかの様相に係る他の方法を示すフローチャートである。
【図２６】移動式ユニットがマスターユニットとして選択されている状態のプレゼンテーションシステムを示す、図２４と同様の図である。
【図２７】プレゼンテーションシステムがすでにスレーブユニット選択済みである点を除き図２６と同様の図である。
【図２８】１台の移動式フラットパネル型表示装置ユニットと、フリップ画像を投影するための複数台のプロジェクタとを備えた他の実施形態を示す図である。
【図２９】広域ネットワーク（ＷＡＮ）接続された図２８に示す構成と同様の２つのサブシステムを備えたプレゼンテーションシステムの概略図である。
【図３０】フラットパネル型表示装置が、タテ方向とヨコ方向との間で回転可能に取り付けられた、図２８に示すプレゼンテーションシステムと同様のプレゼンテーションシステムの概略図である（本図ではディスプレイはタテ方向で示す）。
【図３１】フラットパネル型表示装置がヨコ方向とされたプレゼンテーションシステムを示す、図３０と同様の図である。
【図３２】本発明の少なくとも一の実施形態に係るマスターユニットによって提示された、アスペクトレイシオ１６：９のスクリーンショット（タテ方向表示）の概略図である。
【図３３】本発明の少なくとも幾つかの様相に係るスレーブプレゼンテーションスペースに提示された四つのスレーブ画像を示す概略図である。
【図３４】図２９に示すラップトップ型コンピュータに表示されたスクリーンショットを示す概略図である。
【図３５】図３２に示すツール領域をより詳細に示す概略図である。
【図３６】ワークスペース領域に提示された追加情報を示す、図３２に示すダイヤグラムと同様の概略図である。
【図３７】縮小サイズとされた初期画像、および、ワークスペース領域に付加された追加情報を示す、図３２と同様の図である。
【図３８】情報の一部をワークスペース領域からパネルアイコンへ移動させることに対応したユーザ動作を示す、図３２に示すダイヤグラムと同様の概略図である。
【図３９】情報の移動先であるワークスペース領域内の画像を示す、図３８と同様の図である。
【図４０】ディスプレイユニットがタテ方向からヨコ方向に回転された状態の、アスペクトレイシオ１６：９のスクリーンショットを示す、図３２に示すダイヤグラムと同様の概略図である。
【図４１】ヨコ方向表示されたスレーブ画像を示す、図３３と同様の図である。
【図４２】アスペクトレイシオ４：３のタテ方向スクリーンショットを示す、図３２と同様の概略図である。
【図４３】アスペクトレイシオ４：３のヨコ方向スクリーンショットを示す、図４２と同様の図である。
【図４４】図３５に示す領域と同様のツール領域の他の例と、ツール領域におけるパネルアイコンと関連付けされた６つのスレーブプレゼンテーションスペースとを示す概略図である。
【図４５】ツール領域と、関連付けされたスレーブプレゼンテーションスペースとの別状態を示す、図４４と同様の図である。
【図４６】図４４に示すツール領域の別状態を示す図である。
【図４７】ツール領域と、スレーブプレゼンテーションスペースとの別状態を示す、図４４と同様の図である。
【図４８】ツール領域の別状態を示す、図４６と同様の図である。
【図４９】ツール領域と、スレーブプレゼンテーションスペースとの別状態を示す、図４４と同様の図である。
【図５０】プライマリスレーブ表示領域、セカンダリスレーブ表示領域、および、２つの接続されたリモートシステムに対応する２つの異なるスレーブプレゼンテーションスペース群を備えた、少なくとも幾つかの進歩的な実施形態に係る、図４４に示すツール領域の別バージョンを示す図である。
【図５１】比較的大きなスレーブ表示領域を備えたツール領域を示す図である。
【図５２】少なくとも幾つかの進歩的な実施形態に係る印刷ウィンドウを含むスクリーンショットを示す図である。
【図５３】ネットワーク接続されたコンピュータ装置と関連付けされた印刷装置を識別する方法を示すフローチャートである。
【図５４】少なくとも幾つかの進歩的な実施形態に係る印刷方法を示すフローチャートである。
【図５５】セッション画像の電子コピーの配布を支援するルームウィザードを示す概略図である。
【図５６】会議参加者の電子メールアドレスを識別および保存する方法を示すフローチャートである。
【図５７】セッション画像の電子バージョンを会議参加者に送信する方法を示すフローチャートである。
【図５８】一例としての自己完結的な移動式プレゼンテーションユニットを示す斜視図である。
【図５９】移動式装置の他の実施形態を示す図５８と同様の図である。
【図６０】ディスプレイユニット、光感知装置、ワイヤレスレシーバを示すとともに、表示面とのやりとりを支援する方法を示す概略図である（ここにいう「やりとり」すなわちインタラクティビティとは、該表示面とのやりとりを行うためのオブジェクトの一機能である）。
【図６１】少なくとも幾つかの進歩的な実施形態に係るヘルプ機能を示す図である。
【図６２】ヘルプ機能を使用している状態のマスターユニットスクリーンショットおよび複数のスレーブプレゼンテーションスペースを示す概略図である。
【図６３】プロジェクタの明るさをマスターユニットのスクリーンショットにより容易に制御可能なプレゼンテーションシステムを示す概略図である。
【図６４】マスターユニットスクリーンショットが室内装置および環境装置の制御のために用いられるプレゼンテーションシステムの概略図である。
【図６５】マスタープレゼンテーションユニットに実装することができる追加的機能を示すスクリーンショットである。
【図６６】少なくとも幾つかの実施形態の追加的特徴と様相とを示す、図６５と同様の図である。
【図６７】図４４に示す領域と似ているが別条件下におけるツール領域を示す概略図である。
【図６８】他の別条件下における図６７と同様の図である。
【図６９】さらに他の別条件下における図６７と同様の図である。
【図７０】少なくとも一の進歩的な実施形態に係るプロジェクタ組立体を備えたサイドテーブルの斜視図である。
【図７１】上部部材とドア部材とが取り外された図７０に示すサイドテーブル組立体を示す図である。
【図７２】壁部構造に隣接している状態の、図７０に示すサイドテーブル組立体を示す側面図である（プロジェクタ組立体を透視図で示す）。
【図７３】ユーザが画像の周縁部に沿って追加情報を付加することができるように、ワークスペースに表示された画像をどの時点でサイズ縮小すべきかを判定するためのフレームまたは境界線を透視図で示す、図６５に示す画像と同様のスクリーンショットである。
【図７４】ワークスペースに提示された画像がサイズ縮小されて、ユーザが、追加的情報を該画像の周縁部に付加することができるようにされている、図７３に示す画像と同様のスクリーンショットである。
【図７５】サイズ縮小された画像と、ユーザ動作を継続できるように、ユーザがスタイラスチップ位置を新しい画像変更動作に対応するように再調整するためのシフト動作と、を示す概略図である。
【図７６】サイズ縮小された画像が、スタイラスチップを用いて移動および整列された状態を示す、図７５と同様の図である。
【図７７】少なくとも幾つかの想定された実施形態と適合的な付箋サマリページを示すスクリーンショットである。
【図７８】本発明の他の実施形態に係るワイヤレス移動式キットシステムの例を示す概略図である。
【図７９】図７８に示す移動式プロジェクタカートの１つを示す斜視図である。
【図８０】プロジェクタカートのドアが閉じられた状態の、図７９と同様の図である。
【図８１】プロジェクタカートのドアが閉じられた状態の図７９に示すプロジェクタカートの側面斜視図である。
【図８２】図７８に示す移動式演壇組立体を示す斜視図である。
【図８３】図７８に示す演壇組立体の各種コンポーネントを示す概略図である。
【図８４】図７８に示すキットシステムを用いて実行することができる方法を示す図である。
【図８５】図８４に示す方法のステップの一部と代替可能な副手順を示す図である。
【図８６】コンポーネントを相互接続するハードウェアケーブルを備えた点を除き図７８の組立体と同様の別のキット組立体を示す概略図である。
【図８７】図８６に示すプロジェクタカートの１つを示す部分側面図である。
【図８８】図８７に示す電源／データ／映像コネクタケーブルの部分斜視図である。
【図８９】図７８に示すキットシステムと同様の他のキットシステムを示す概略図である。
【図９０】図８９に示すキットシステムのコンポーネントの接続方法を示す概略図である。
【図９１】図９０に示すブースターケーブル組立体の１つを示す図である。
【図９２】ブースターケーブル組立体の他の実施形態を示す、図９１と同様の図である。
【図９３】締め具組立体によって互いに係止または固定された移動式プロジェクタカート群を示す斜視図である。
【図９４】図８４に示す方法のステップの一部と代替的な副手順を示す図である。
【発明を実施するための形態】
【００２２】
ここに記載された本発明の実施形態は例示的なものであり、本発明は複数の異なる形態にて実施されることができる。また、ここに記載された開示内容は、いずれも、明示的に記載された具体的な実施形態に本発明が限定されることを何ら意図するものではなく、本発明を実施するための可能な形態の例として理解されるべきものである。
【００２３】
図面、なかんずく図１を参照して説明すると、各図において念頭に置かれているシステムコンポーネントは、情報を聴衆に提示するために、および／または、システム操作者と聴衆との共同作業を容易にするために、任意の空間内において用いることができるものである。説明の便宜上、システムおよびコンポーネントを、典型的な会議室（カンファレンスルーム）１１という状況を前提として説明することにする。会議室１１は、一般的には会議室１１の前端部に設けられたプレゼンテーション壁部１２と、会議室１１への入退室に使用するドア１４と、複数の会議テーブルまたはデスク（図中では２台あり、それぞれ引用符号１６および１８で示す）と、を備えている。テーブル１６、１８は、会議室１１内の聴衆を所定の方向に向かせて、壁部１２に隣接した会議室１１の前側で聴衆に対して提示される情報が容易に閲覧できるように、イス（図示せず）とともに会議室１１内に配置されている。なお、各図をとおして、同一または類似の参照符号は同一または類似の構成要素に付されるものとする。
【００２４】
本発明の少なくとも幾つかの実施形態において、長尺形状とされた水平なレール４０が、会議室１１の床から約６フィートないし約７フィートの高さとなるようにプレゼンテーション壁部１２に取り付けられている。このレール４０により、マスタープレゼンテーションユニットおよびスレーブプレゼンテーションユニットがプレゼンテーション壁部１２に近接しつつ一時的または恒久的に支持されている。レール４０は、図３に示すように、レール４０の全長に対して垂直な高さ寸法Ｈ１と幅寸法Ｗ１とを有しつつ、水平な上面４１をなしている。レール４０は、ボルトその他の任意の安全な態様にてプレゼンテーション壁部１２に取り付けられて、後述するプレゼンテーションユニット取付部材の遠位端（例えば、図３の７４）が壁部とレール４０の裏面との間にはまるようにプレゼンテーション壁部１２の表面から離隔した状態で保持されて、なっている。
【００２５】
図１に示すように、一例としての第１のプレゼンテーションシステム１０には、マスタープレゼンテーションユニット２８と、第１のスレーブプレゼンテーションユニット２２ａと、第２のスレーブプレゼンテーションユニット２２ｂとが備えられている。図１に示すように、前部プレゼンテーション面（一般的には、引用符号４８または引用符号４８に小文字を付して示す）が会議室１１内の聴衆によって容易に視認されることができるように、プレゼンテーションユニット２８、２２ａ、２２ｂ等は、それぞれ、レール４０に取り付けられるとともにプレゼンテーション壁部１２に隣接して懸架されている。図２および図３に示すように、マスタープレゼンテーションユニット２８は電子画像生成装置であって、図示された実施形態では、剛体とされた、が略直線的かつ相対的に薄型のプラスチック製または金属製筐体組立体５２内に取り付けられた、プラズマディスプレイまたは液晶ディスプレイタイプのフラットパネル型表示画面４８と、トランシーバ２０と、第１の取付フック（または取付部材）７２および第２の取付フック（または取付部材）７４と、を備えている。
【００２６】
図３に示すように、筐体５２は、相対向している前面５３と裏面５５とを備えている。筐体５２の前面５３は、開口５７をなしており、表示画面４８が開口５７の内部に取り付けられて、表示画面４８の前面５４（幅寸法Ｗ２×高さ寸法Ｈ２）が視認できるようになっている。取付部材７２、７４は、裏面５５と、対抗している反対端の表面（図３中、引用符号５９で示した対向表面）との間に溝１７、１９が形成されるように、裏面５５の側面の上側両隅から延在しつつその遠位端において下方に延在して設けられている。各溝１７、１９は、それぞれ、凹部寸法Ｒ１を有し、該凹部寸法Ｒ１は、レール４０の幅寸法Ｗ１と略同様である（図３参照）。
【００２７】
マスタープレゼンテーションユニット２８をレール４０に取り付けるには、図１および図３を参照すると理解しやすいが、取付部材７２と取付部材７４とにより形成された溝がレール４０よりも高くなるようにユニット２８を持ち上げてレール４０に対して位置決めする。続いて、レール４０の一部が取付部材７２と取付部材７４とで形成された溝内に収容されるまで、かつ、取付部材７２および取付部材７４が、一般的には、上部レール表面４１上に支持されるように（図３参照）、ユニット２８の位置を下げる。図示されていないけれども、マスタープレゼンテーションユニット２８を略垂直な方向に安定させるための、裏面５５からその底部端部に近接して延在してプレゼンテーション壁部１２表面に接している１以上の追加的な延長部材を設けてもよい。
【００２８】
図３に示すように、上述したコンポーネントに加えて、一例としてのマスタープレゼンテーションユニット２８は、プロセッサ８０と、キーボードまたはその他の形態の制御インタフェース３０（スクリーン上で選択可能なアイコン等の他の手段によってインタラクティビティが確保されているのであれば、キーボードは不要である）と、デジタルメモリ８８と、を備えている。プロセッサ８０およびメモリ８８は、筐体５２がなすキャビティ６１内に取り付けられており、キーボード３０には、筐体構造によって支持されているキーが設けられている。プロセッサ８０は、複数のデータバス（符号なし）を介して、トランシーバ２０、表示画面４８、キーボード３０およびメモリ８８に接続されている。一般的には、トランシーバ２０は、無線周波数（ＲＦ）通信、赤外線通信など任意の異なる無線技術と、任意の異なる無線通信プロトコル（例えば、ＩＥＥＥ８０２．１１ｂ、Ｂｌｕｅｔｏｏｔｈなど）とを用いて、多様なトランシーバ２０の範囲（例えば、会議室１１で区画されたスペースの内部）において、情報の送受信が可能である。
【００２９】
メモリ８８は、デジタル記憶装置であって、プロセッサ８０が様々な処理を行うために利用することができる複数種の情報を有している。一般的には、メモリ８８に保存された情報は、プロセッサ８０によって実行されるプログラムと、表示画面４８を介して提示される画像といったデータと、の２つ系列に属する。プロセッサ８０によって実行されるプログラムは、場合によるが、表示画面４８上に情報を追加および削除するために用いられる仮想インク式ペン装置および仮想インク式イレーザ装置の位置を検出するための位置感知プログラムや、表示画面４８を介して情報を表示するためのディスプレイ駆動プログラムが含まれている。
【００３０】
加えて、メモリ８８には、表示画面４８を介して表示される画像を管理するためのプログラムが含まれている。例えば、本発明の少なくとも幾つかの実施形態において、メモリ８８にあるプログラムは、マスタープレゼンテーションユニット２８からスレーブプレゼンテーションユニットの１つへ「フリップ（ｆｌｉｐ）」された（めくられた）各画像に一意の識別子番号等を付与してもよく、そして、後にアクセスするためにメモリ８８内に各フリップされた画像とそれに対応する識別子番号とを保存してもよい。他の例としては、ある画像が、特定のスレーブプレゼンテーションユニットへフリップされたときに、マスターユニットプロセッサ８０は、フリップされた画像を、該画像のフリップ先であるスレーブユニットを一意的に識別するユニット識別子と相関づけたうえで、該画像とユニット識別子とを保存するようにプログラムされてもよい。識別子と画像とがすでにメモリ８８に保存されている状態であれば、一意の識別子を参照することにより画像にアクセスすることができる。
【００３１】
さらに、本発明の少なくとも幾つかの実施形態において、パワーポイント、表計算アプリケーション、ＣＡＤアプリケーション、ワードプロセッサアプリケーション、インターネットブラウザアプリケーションなどの従来のソフトウェアアプリケーションのコピーをメモリ８８に保存したうえで、プロセッサ８０によってアクセスおよび実行してもよい。ここで、本発明の少なくとも幾つかの実施形態において、従来のソフトウェアアプリケーションは、プレゼンテーションシステム１０とともに用いることができない場合には、当然のことながら、従来のソフトウェアアプリケーションのコピーはメモリ８８には保存されない。さらに、本発明の少なくとも幾つかの実施形態において、パワーポイント、表計算といったソフトウェアアプリケーションは、マスタープレゼンテーションユニット２８とともに用いることができる小型またはラップトップ型コンピュータに保存され、それらを介してアクセスされることができる。この場合、プロセッサ８０が従来のソフトウェアアプリケーションによってサポートされている画像を表示するために用いられているとはいっても、プロセッサ８０それ自体としては、ソフトウェアアプリケーションを実行するわけではないことになる。ここで、コンピュータは、プログラムを実行し、情報をプロセッサ８０に提供して、表示画面４８を駆動するように構成されている。
【００３２】
図３に示すように、制御インタフェース３０は、様々なタイプの入力装置を備えている。例えば、本発明の少なくとも幾つかの実施形態において、フリップコマンド（「表示画面４８に現在表示されている画像をスレーブプレゼンテーションユニットに送信し、表示画面４８から該画像を削除せよ」といった内容を示すコマンド）およびデータアクセス、プログラム制御などに関するその他のコマンドをプロセッサ８０に与えるため、図２に示されたキーのような機械的ハードウェア型ボタンが、筐体５２の前面５３に設けられている。
【００３３】
ハードウェア型ボタンに代えて、または、ハードウェア型ボタンに加えて、本発明の少なくとも幾つかの実施形態においては、システム操作者による選択のためのタッチセレクトアイコンが、表示画面４８上に設けられている。このタッチセレクトアイコンを選択することにより、指令信号がプロセッサ８０に送信されて処理が実行される。場合によっては、表示画面４８上の画像にマークを追加および削除することができるように、入力装置３０には、画像拡大機能、すなわち、部分的に拡大インタフェース（ａｕｇｍｅｎｔ  ｉｎｔｅｒｆａｃｅ）が与えられている。この目的のため、２００３年６月２日出願の米国特許出願第１０／４５２，１７８号、発明の名称「電子ホワイトボード」を参照されたいが、これは、全体として参照により本明細書に編入されているものである。代替案として、本発明の少なくとも幾つかの実施形態において、マスタープレゼンテーションユニット２８への入力は、常に小型またはラップトップ型コンピュータデバイス（例えば、移動式制御インタフェース）を介して行われてもよく、その場合、プロセッサ８０へのコマンドはトランシーバ２０を介して受信されることになる。
【００３４】
以下、特に断らないかぎり、便宜上、マスタープレゼンテーションユニット２８は機械式キーボード３０を備えているものと仮定して説明する。また、特に断らないかぎり、小型およびラップトップコンピュータおよび制御装置は、総称的に「携帯型デバイス（ＨＨＤ）」と表記する。さらに、ユニット・装置の通信は、有線通信であってもよいが、ここでは、ユニット・装置の通信は、すべてワイヤレス通信プロトコルおよびトランシーバ（例えば、図２の２０参照）によって行われるものとする。
【００３５】
図１および図２に示すように、一例としてのマスターユニットのキーボードキーは、再開（Ｒｅｓｕｍｅ）キー５６と、送信（Ｓｅｎｄ）またはフリップキー５８と、保存（Ｓｔｏｒｅ）キー６０と、読出し（Ｒｅｔｒｉｅｖｅ）キー６２と、左送信キー６８と、右送信キー７０と、数字キーパッド６７とを備えている。ここに記載された選択可能なキーは例示的なものにすぎず、多くの場合、ここに記載された追加的な選択可能なキーまたはキーのサブセットを表示画面４８により表示することができる。ここで、選択可能なキー群は、プレゼンテーションシステム１０によってサポートされている機能に依存するものであり、そして、少なくとも幾つかの場合においては、システムコンポーネントの相対的な併設関係に依存するものである。加えて、従来のソフトウェアプログラムがプロセッサ８０によって実行されている場合、または、表示画面４８が、従来のソフトウェアプログラムを実行する携帯型デバイス（ＨＨＤ）のための大型ディスプレイとして用いられている場合には、ソフトウェアアプリケーションをサポートするのに必要なマウスまたはタッチセレクトアイコンが、表示画面４８に表示されてもよい。
【００３６】
少なくとも幾つかの場合においては、マスタープレゼンテーションユニット２８は、図１および図２に示すように、会議室１１内でユニットを眺めている聴衆に対してスレーブプレゼンテーションユニット２２ａ、２２ｂ等の一方の側に位置付けしてもよい。この場合、表示画面４８からの画像をスレーブプレゼンテーションユニット２２ａ、２２ｂにフリップするには、対象となるスレーブユニットを何らかの形で具体的に指定して、フリップされた画像を該指定されたスレーブユニットに受信させる必要がある。ここに記載した例示的な実施形態においては、一意のスレーブユニット識別子「１」および「２」がスレーブユニット２２ａ、２２ｂ等にそれぞれ付与されており、システム操作者がマスタープレゼンテーションユニット２８とやりとりを行うことで共同作業を支援するための立ち位置にあるときに、該操作者がスレーブユニット識別子を容易に視認できるようになっている。図１に示すように、スレーブユニット識別子「１」および「２」は、各スレーブユニット筐体組立体の一端に恒久的に印字されている。
【００３７】
この例においては、プロセッサ８０は、表示画面４８上の画像がスレーブユニットユニット２２ａまたは２２ｂへフリップされた形跡の有無についてキーボード３０を監視するようにプログラムされている。この場合、スレーブユニット２２ａまたは２２ｂのいずれかに画像をフリップするには、システム操作者は、画像フリップ先ユニットのユニット識別子番号を数字キーパッド６７で選択して、さらに送信キー５８を選択するものと想定されている。例えば、画像を表示画面４８からスレーブユニット２２ａへフリップするには、操作者は数字キーパッド６７で番号「１」を選択したうえで送信キー５８を選択する。同様に、画像をスレーブユニット２２ｂへフリップするには、操作者は数字キーパッド６７で番号「２」を選択して送信キー５８を選択する。
【００３８】
ここで、スレーブユニットが各個別にアドレス指定可能であり、また、一部の実施形態においては、マスタープレゼンテーションユニット２８が、データ送信に用いられる、一意のネットワークアドレスを有していることを想定している。例えば、図１に示すように、スレーブユニット２２ａとスレーブユニット２２ｂは、一意のワイヤレスアドレス「ＸＰ４５５１９７８４」および「ＱＺ１４３３２１７」をそれぞれ与えられている、他方、マスタープレゼンテーションユニット２８に与えられているアドレスは「ＡＭ７９６６１４２」である。スレーブ画面のアドレスは、一意に決まるスレーブユニット識別子（例えば、本例では「１」および「２」）と相関付けされて、互いに相関付けされたアドレスと識別子とが、マスターユニットのメモリ８８に保存されている。加えて、スレーブユニット２２ａおよび２２ｂ等のプロセッサは、それぞれ、各ユニットのネットワークアドレスに送信されたワイヤレス信号を監視および受信するようにプログラムされている。
【００３９】
スレーブユニットが画像フリップ先として選択されている場合には、プロセッサ８０は、対象スレーブユニットと関連付けされたネットワークアドレスを識別し、画像と対象スレーブユニットのアドレスとを含む画像データパケットを生成し、生成したデータパケットを選択されたスレーブユニットに送信し、そして、最良の実施形態の幾つかにおいては、従来のメモ用紙タイプのフリップチャートを模倣するような仕方で、何も書かれていないクリア状態の表面４８が提示されるように、その画像を表示画面４８（すなわち、ブランク状態とされた表示画面４８）から消去するか、あるいは、その画像を表示画面４８上で視認できないように処理する。他の実施形態においては、マスター側画像を視認できないようにするには、第２の具体的なステップが必要とされてもよい。
【００４０】
本発明の少なくとも幾つかの実施形態において、マスタープレゼンテーションユニット２８側で、スレーブプレゼンテーションユニット２２ａ、２２ｂ等を介して提示された画像を読み出して、それらの画像を編集したうえで、該編集された画像をスレーブユニットに提示させることができる。この目的のため、図１ないし図３に示すように、画像がマスタープレゼンテーションユニット２８からスレーブユニット２２ａ、２２ｂ等のいずれかにフリップされた場合には、少なくとも幾つかの進歩的な実施形態においては、スレーブユニットが受信したその画像データが、スレーブユニットのメモリ（図５の１１９参照）に一時的に保存される。
【００４１】
画像がスレーブユニットを介して提示されてから、システム操作者が、上述したのと同様な方法で、画像をスレーブユニット２２ｂへフリップするためにその画像をさらに編集したい場合には、システム操作者はスレーブユニットに対応する識別子番号を数字キーパッド６７で選択して読出しキー６２を選択すればよい。読出しキー６２が選択されると、マスター側プロセッサ８０は、画像読出し要求と画像読出し元であるスレーブユニットのアドレスとを含む読出しデータパケットを生成して、その読出しデータパケットをスレーブユニットにワイヤレス送信する。これに応じて、スレーブユニットは、スレーブ画像とマスターユニットのネットワークアドレスとを含む画像データパケットを生成し、画像データパケットをマスタープレゼンテーションユニット２８に送信し返す。マスタープレゼンテーションユニット２８が画像データパケットを受信すると、マスタープレゼンテーションユニット２８は、さらなる閲覧および編集といった共同作業のために、画像を表示画面４８に再提示するように構成されている。
【００４２】
上述したような、スレーブユニットのメモリからスレーブ画像にアクセスする代わりに、少なくとも幾つかの進歩的な実施形態において、マスタープレゼンテーションユニット２８が画像をスレーブユニットにフリップすると、画像は、一意のスレーブユニット識別子と相関付けされて、該一意のスレーブユニット識別子とともにマスターユニットメモリ８８内に保存される。しかる後、操作者が編集等のためスレーブ画像をマスタープレゼンテーションユニット２８に提示させたい場合、操作者は、読出しキー６２によってプロセッサ８０に前回保存されたメモリ８８内の画像にアクセスし、さらに、適切なスレーブユニット識別子（すなわち、再アクセスされた画像を提示すべきスレーブユニットと関連付けされた識別子番号）を、数字キーパッド６７を用いて選択することができ、画像を表示画面４８に提示させることができる。
【００４３】
図１ないし図３に示すように、本発明の少なくとも一様相によれば、プレゼンテーションまたは共同作業の間、画像が１以上のプレゼンテーションユニット２８、２２ａ、２２ｂ等によって提示された後で、操作者がプレゼンテーションを後ほど再開することを意図してプレゼンテーションを中止する場合には、プレゼンテーションユニットによって現在提示されている全画像を操作者が直ちに保存するための機能が備えられているので、プレゼンテーションまたは共同作業が再開されると、現在提示されているすべての画像が直ちにかつ迅速にプレゼンテーションユニットを介して、同じ配置関係で再提示されるようになっている。この目的のため、プロセッサ８０は、保存キー６０を監視するようにプログラムされており、アイコン６０が選択されると、一意のプレゼンテーションユニット識別子（例えば、「１」、「２」等、マスタープレゼンテーションユニット２８に一意的に与えられた識別子）のそれぞれを、対応するプレゼンテーションユニットによって現在提示されている画像と相関付けして「画像−ユニット群」とし、さらに、該画像−ユニット群をメモリ８８内に保存するようにプログラムされている。その後、後続する任意の時点で画像をマスターユニットおよびスレーブユニットを介して再提示するには、操作者は、再開キー５６を選択すると、プロセッサ８０が画像−ユニット群にアクセスしてそれらの画像をマスターユニットおよびスレーブユニットに再提示させる。
【００４４】
ここで、画像−ユニット群が保存または再アクセスされると、プロセッサ８０は、操作者が画像−ユニット群を一意に識別することができるように、特定の画像−ユニット群を認識するための名前を与えるようにプログラムされている。この場合、２以上の画像−ユニット群がメモリ８８に保存されており、後ほどプレゼンテーションを再開するために間違うことなく読み出される。
【００４５】
保存キー６０が選択されたときに画像をネットワークアドレスとともに保存する場合にも、画像がユニット識別子とともに保存されるのと同様の結果が達成されることが理解できよう。ここで、セッションが再開されると、プロセッサ８０は保存された画像とアドレスとにアクセスするだけで、ユニット識別子とアドレスとを相関付けする中間ステップの実行を要せずして、画像を相関付けされたアドレスへフリップする。
【００４６】
少なくとも幾つかの実施形態において、マスターユニットとともに用いられるスレーブユニットの数が不変であり、そして、個別的なスレーブユニットに専用とされたキーおよび機能が、キーボード３０上に提供されているということが想定されている。例えば、プレゼンテーションシステム１０がマスタープレゼンテーションユニット２８と２つのスレーブユニット２２ａおよび２２ｂのみで構成されている場合には、互いに独立な送信キーおよび検索キーがスレーブユニット２２ａおよび２２ｂにそれぞれ設けられて、単一キーのみを選択すれば画像のフリッピングと読み出しとが可能である。
【００４７】
同様に、図１に示すように、少なくとも幾つかの場合においては、マスタープレゼンテーションユニット２８は、２つのスレーブユニットの間に位置付けられてもよい（すなわち、マスタープレゼンテーションユニット２８がスレーブユニット２２ａとスレーブユニット２２ｂとの間に配置されるように、マスタープレゼンテーションユニット２８とスレーブユニット２２ａとが入れ替えられる）。この場合には、単純に、左送信アイコン６８および右送信アイコン７０を用いて画像をマスタープレゼンテーションユニット２８からスレーブユニットへフリップすることになる、すなわち、マスターユニットの左側および右側にそれぞれフリップされることになる。図示しないけれども、左送信アイコン６８および右送信アイコン７０と同様な、シンプルな左読出し矢印アイコンおよび右読出し矢印アイコンを設けて、それらを操作して画像をスレーブユニットから読み出して、表示画面４８に再提示させるようにしてもよい。
【００４８】
図１に示すように、本発明の少なくとも幾つかの実施形態においては、スレーブプレゼンテーションユニット２２ａおよび２２ｂは互いに同様の構成と動作とを有しているので、説明の便宜上、ここではユニット２２ａのみを詳細に説明することにする。図４および図５に示すように、スレーブプレゼンテーションユニット２２ａは、引き出し・巻取り式ブラインドタイプのユニット（ｐｕｌｌ−ｏｕｔ，ｒｏｌｌｅｒ  ｗｉｎｄｏｗ  ｓｈａｄｅ  ｓｔｙｌｅ  ｕｎｉｔ）であって、筐体組立体１００（以下、「筐体１００」という）と、トランシーバ３４ａと、展開・巻取り自在なプレゼンテーションスクリーン３８と、第１の取付部材（またはフック）１０２と、第２の取付部材（またはフック）１０４と、プロセッサ１１０と、モータ１１２と、電動スクリーンスピンドル１１４と、本例ではプリンタ１１６の形態をとるところのスレーブ側プレゼンター／プリントアプリケータと、イレーザ１１８と、メモリ１１９とを備えている。
【００４９】
筐体１００は、概して剛体の箱状組立体であって、上壁１０７および底壁１０９の間に、および、前壁１１１および後壁１１３との間には、それぞれキャビティ１０５が形成されている。前壁１１１および後壁１１３は、それぞれ、互いに対向する前面１０１と裏面１０３とを規定している。底壁１０９には、ほぼ筐体１００の長さ方向にスリットまたは開口１２２が設けられ、プレゼンスクリーン３８ａの下端が該開口１２２を通って延在している。
【００５０】
取付部材１０２および１０４は、マスターユニットの筐体５２に固定された取付部材７２と部材７４と同様に、それぞれ、筐体１００の裏面１１３から後方に、かつ、筐体１００の両端部から、それぞれ延在しつつ固定されている。部材１０２および１０４の遠位端は、それぞれ、下方に延在しており、部材１０２によって溝寸法Ｒ２を有する溝１１７が規定され、同じく、部材１０４によって溝寸法Ｒ２を有する溝１１５が規定されている。なお、溝寸法Ｒ２は、レール４０の幅寸法Ｗ１と同様のものである。このように、メインユニット２８の場合と同様に、レール４０が溝１１５および溝１１７内に収容されるように取付部材１０２および取付部材１０４をレール４０の上側に位置付けて、スレーブユニット２２ａをレール４０に取り付けることができる。
【００５１】
トランシーバ３４ａは、上壁１０７に取り付けられ、そして、そこから情報に延在している。プレゼンスクリーン３８ａは、本発明の少なくとも幾つかの実施形態において、可撓かつ巻取り可能な略直線状部材であって、この部材は、展開された状態では、開口１２２を通って延在しており、そして、開口１２２の下方において、筐体１００の前面１０１と同じ方向に面しているプレゼンテーション面４８ａが提供されるようになっている。少なくとも幾つかの実施形態において、プレゼンテーション面４８ａは、Ｍｙｌａｒ（ＤｕＰｏｎｔ社によって開発・販売されているポリエステル材料の登録商標）などの書込可能／消去可能な表面とされており、該表面上に、消去可能なインクが印刷されまたはプロットされ、その後消去されることができる。場合によっては、プレゼンスクリーン３８ａの下側反対端部に錘つきのバー１０６を取り付けてもよい。このバーは、プレゼンスクリーン３８ａが伸展されて筐体１００下に延在している状態でプレゼンスクリーン３８ａを略平坦に保つためのものである。
【００５２】
図示された実施形態においては、プロセッサ１１０、モータ１１２、スピンドル１１４、プリンタ１１６およびイレーザ１１８が、それぞれ筐体キャビティ１０５の内部に取り付けられている。プロセッサ１１０は、モータ１１２、プリンタ１１６およびイレーザ１１８にそれぞれ接続されて、これらコンポーネントを制御するように構成されている。また、プロセッサ１１０は、メモリ内に保存された情報にアクセスすることができるようにメモリ１１９に接続されており、そして、データパケットを送受信することができるようにトランシーバ３４ａに接続されている。モータ１１２は、スピンドル１１４にその上端が取り付けられたスレーブ側プレゼンスクリーン３８ａをスピンドル１１４から伸展するとともにスピンドル１１４に巻取るため、スピンドル１１４に接続されている。
【００５３】
画像がマスタープレゼンテーションユニット２８からスレーブユニット２２ａへフリップされたときに、プロセッサ１１０は、プリンタ１１６を制御してプレゼンスクリーン３８ａを伸展させるように、あるいは、これに代えて、プレゼンスクリーン３８ａをスピンドルにより上下に移動する間にプレゼンテーション面４８ａに隣接した１以上のプリンタヘッドを移動させることにより画像をプレゼンテーション面４８ａ上にプリントするように、構成されている。いずれの場合でも、プロセッサ１１０は、プリンタ１１６を制御して、マスタープレゼンテーションユニット２８からスレーブユニット２２ａへフリップされた画像を再現させる。再現はカラーでも白黒でもよい。さらに、他の場合には、ユーザは、カラー印刷または白黒印刷を選択することができる。
【００５４】
イレーザ１１８は、プロセッサ１１０により制御されて、プリンタ１１６によってプレゼンテーション面４８ａに適用されたインクを消し取るように構成されている。この目的のため、イレーザ１１８は、スピンドル１１４がプレゼンスクリーン３８ａを巻き上げるにつれてイレーザパッドをプレゼンテーション面４８ａにあてがいつつ、筐体１００の長さに沿って前後に単純に移動する。代替案としては、プロセッサ１１０は、イレーザ１１８を制御して、他の情報をプレゼンテーション面４８ａに残しつつ特定の情報をプレゼンテーション面４８ａから消去させるものとしてもよい。ここで、例えば、システム操作者がマスタープレゼンテーションユニット２８で編集を行うためにスレーブユニット２２ａから画像に再度アクセスした場合には、編集作業が単純に画像の特定部分をマスタープレゼンテーションユニット２８側で編集して、その修正された画像をスレーブユニット２２ａへフリップし返すという単純な作業であれば、その修正された画像は、適切な情報をプレゼンテーション面４８ａから消去することにより、そして、その修正された画像がプレゼンテーション面４８ａを介して視認されるように、プレゼンスクリーン３８ａを展開させることにより、スレーブユニット２２ａに提示させてもよいであろう。
【００５５】
このように、図１ないし図５に示す実施形態においては、操作者が、マスター側表示画面４８上の画像をスレーブユニット２２ａへフリップすべきことを指示すると、画像データパケットがトランシーバ２２とプロセッサ１１０のトランシーバ３４ａとを介してプロセッサ１１０に送信され、しかる後、プロセッサ１１０は、モータ１１２とプリンタ１１６とを制御して、プレゼンスクリーン３８ａを伸展させ、それと同時にインクをプレゼンテーション面４８ａに塗布して、フリップされた画像をプレゼンテーション面４８ａ上に形成する。画像がプレゼンテーション面４８ａ上に形成された後で、システム操作者が別の画像をユニット２２ａへフリップする場合には、プロセッサ１１０は、まずモータ１１２とイレーザ１１８とを制御して、プレゼンスクリーン３８ａを巻き上げ、その間、プレゼンスクリーン３８ａ上に印字されたインクを消し取る。プレゼンテーション面４８ａがクリーンになると、プロセッサ１１０は、続いて、モータ１１２とプリンタ１１６とを制御して、再度インクをプレゼンテーション面４８ａに塗布して、新にフリップされた画像をプレゼンテーション面４８ａ上に提示して聴衆の閲覧に供する。
【００５６】
画像がマスタープレゼンテーションユニット２８からフリップされてからスレーブユニット２２ａまたはスレーブユニット２２ｂのいずれかが既存の画像を消去して、インクを適用してプレゼンテーション面４８ａ上に画像を形成するのに、しばらく（例えば、３０秒以上）時間がかかることもあるであろうが、表示画面４８は直ちにクリアされて共同セッションに継続的に供されることができるので、前述したような画像生成の遅れは、共同作業全体を遅延させるものとはならないであろう。
【００５７】
図１を参照すれば、マスター側表示画面４８の寸法と、画像を提示するスレーブ側プレゼンスクリーン３８ａの伸展される部分の寸法とが同様のもとされており、画像フリップ先であるプレゼンスクリーン３８ａで提示される画像寸法は、表示画面４８によって提示されていた元画像とほぼ同様の寸法となることが理解できよう。
【００５８】
図１ないし図５に示すように、以下のことが理解されるであろう、すなわち、マスタープレゼンテーションユニット２８およびスレーブユニット２２ａ、２２ｂ等がレール４０から取り外し可能であれば、上述のプレゼンテーションシステム全体を一の会議室１１から他の会議室へ容易に移動させることができるとともに、各プレゼンテーションユニットの裏面から延在している取付部材を、レール４０と同様の他の会議室のレールに取り付けることで、容易に該他の会議室内に設置することができる。搬送中は、スレーブユニットのスクリーン（例えば、３８ａ）は、保護のためおよびコンパクトな構造とされるように、完全に巻き取られることができる。
【００５９】
図６は、第２実施形態に係るスレーブプレゼンテーションユニット１２０を示す図であり、スレーブプレゼンテーションユニット１２０は、上側ヘッダ部１２２と、筐体１２４と、トランシーバ１３０と、スクリーン１２６と、第１の取付部材１３２と、第２の取付部材１３４とを備えている。取付部材１３２、１３４は、その構成および作用において上述の取付部材１０２、１０４と同様のものであるので、その詳細な説明は割愛させていただく。ここでは、取付部材１３２、１３４が、ユニット１２０を上述のレール４０と同様のレールに取り付けるために、ヘッダ１２２の裏面から延在しているとだけ述べておけば説明として十分であると思われる。
【００６０】
第２実施形態においては、スクリーン１２６はヘッダ１２２の下面に堅固に固定されており、そして、下側の筐体１２４には開口（図示せず）が形成されている。ヘッダ１２２の下面に固定されたスクリーン１２６の端部と反対側のスクリーン１２６の下端が、この開口を通って延在しているとともに、この開口の内部には、図５を参照して説明した上述のスピンドル１１４と同様のスクリーンスピンドルが取り付けられている。加えて、本実施形態においては、図５を参照して説明した上述のプロセッサ１１０、モータ１１２、プリンタ１１６、メモリ１１９およびイレーザ１１８も筐体１２４内に取り付けられており、トランシーバ１３０が筐体１２４から上方に延在している。ここで、画像がマスタープレゼンテーションユニット２８からスレーブユニット１２０へフリップされると、送信された画像データパケットがトランシーバ１３０によって受信され、筐体１２４内のプロセッサが同時に同じく筐体１２４内に配置されたモータとプリンタとを制御し、スクリーン１２６を伸展させる。筐体１２４がヘッダ１２２から下方向（矢印１２８参照）に移動するにしたがって、インクがスクリーン表面１２６に塗布されて、フリップされた画像がスクリーン表面１２６に形成される。この利点は、画像が上から下へとプリントされる点である。同様に、スクリーン表面１２６上の画像を消去する場合には、筐体１２４内のプロセッサが、同時に筐体１２４内のモータとイレーザとを制御して、スクリーン１２６を巻き上げつつインクを表面１２６から消し取る。
【００６１】
図７、８、９は、それぞれ、図５におけるスレーブプレゼンテーションユニットと類似の、３つの実施形態に係るスレーブプレゼンテーションユニット１７１、１７３、１７５を示す図である。図７ないし図９において、スレーブユニットは、それぞれ、プロセッサ１１０と、所定のタイプのモータまたはモーチベータ１１２と、プリンタ１１８と、イレーザ１１６と、メモリ（図示せず）と、取付部材（１０４）と、トランシーバ３４ａとを備えているが、これらは、図５において記載されたものと同様であるので、説明の便宜上、これらのコンポーネントを各別に再述しないことにする。図７、８、９の実施形態と図５の実施形態の主要な相違は、プレゼンテーションスクリーンの展開および巻取り方法にある。
【００６２】
図７の実施形態は、一般的には、引出し式無端ループタイプ（ｐｕｌｌ‐ｏｕｔ  ｅｎｄｌｅｓｓ  ｌｏｏｐ  ｓｔｙｌｅ  ｕｎｉｔ）のユニットであって、電動スピンドル１５１とフリーホイール型スピンドル１４８との双方を備えている。電動スピンドル１５１は、プロセッサ１１０の制御のもとでモータ１１２により駆動される。図７において、スクリーン１４４は、一体的・連続的なベルト状またはループ型のスクリーンであって、筐体１００内の電動スピンドル１５１の周囲に巻きつけられ、下方の延在し、筐体１００下方のフリーホイール型スピンドル１４８に巻き取られる。そして、スクリーン１４４の前側部分が前側プレゼンテーション面１５５をなし、スクリーン１４４の後側部分が、表面１５５と反対方向に面している裏面１５９をなしている。少なくとも幾つかの実施形態において、筐体１００には、２つのスリット状開口１４０、１４２が形成されており、これらの開口は、スクリーン１４５がその内部を通されるように筐体１００のほぼ全長に沿って延在している。
【００６３】
少なくとも幾つかの実施形態において、スピンドル１５１は、スクリーン１４４を矢印１４６で示す上下方向のいずれかに移動することができるように、時計回りまたは反時計回り方向に駆動され、これにより、フリーホイール型スピンドル１４８が、矢印１５０で示す時計回りまたは反時計回り方向に回転可能とされている。ここで、本発明の少なくとも幾つかの実施形態において、画像がスレーブユニット１７１へフリップされると、プロセッサ１１０は、モータ１１２とプリンタ１１６とを制御して、スピンドル１５１が時計回り方向に回転する間に同時にインクを塗布して画像をスクリーン１４４上に形成する。
【００６４】
画像形成後、該画像は、筐体１００とフリーホイール型スピンドル１４８との間の前面１５５で閲覧可能となっている。この場合、画像を消去するには、イレーザ１１８がインクをスクリーン１４４から除去する間、スピンドル１５１を反時計回り方向に回転させればよい。代替案として、画像を前面１５５から消去するには、スピンドル１５１を時計回り方向に回転させて、画像がフリーホイール型スピンドル１４８の周りに沿って回転させ、電動スピンドル１５１に向けて上方へ移動させ、さらにイレーザ１１８を通過させて下方に移動させて、その間にイレーザ１１８がスクリーン上のインクを消去するようにしてもよい。そして、他のさらなる図７に図示しない実施形態においては、イレーザ１１８は、筐体１００内においてスクリーン１４４の反対側に配置されて、前側プレゼンテーション面１５５が開口１４０を通って上方に移動するにつれて、スクリーン１４４に提示された画像を消去するように構成されている。
【００６５】
図８に示すように、一例としてのスレーブプレゼンテーションユニット１７３は、引出し式ドロップループタイプ（ｐｕｌｌ−ｏｕｔ  ｄｒｏｐ  ｌｏｏｐ  ｓｔｙｌｅ）のユニットであって、筐体１００内に取り付けられた第１の電動スピンドル１６３および第２の電動スピンドル１６５と、フリーホイール型スピンドル１６７とを備えている。
【００６６】
プレゼンテーションスクリーン１８１の第１の端部および第２の端部は、スピンドル１６３、１６５に取り付けられているとともに該スピンドルの周囲にそれぞれ巻きつけられており、スクリーン１８１の中央部分は、筐体１００の下方に吊り下げられたフリーホイール型スピンドル１６７の周囲に巻きついている。この場合には、電動スピンドル１６３、１６５は、矢印１４６で示すようにスクリーン１８１のプレゼンテーション面１８３を上方または下方に移動させるために用いられるものであり、矢印１８７で示すように、スピンドル１６７周りにいずれかの方向に移動することができる。上述のスレーブユニットの実施形態におけると同様、プリンタ１１６とイレーザ１１８とが制御されて、マスタープレゼンテーションユニット２８とのやりとりの結果生じた画像フリップ操作を反映させるために、インクをプレゼンテーション面に塗布するか、あるいは、プレゼンテーション面上のインクを除去するように構成されている。
【００６７】
図９に示すように、ユニット１７５は、図５、７、８に示したユニットと類似の引き出し式アコーディオンタイプ（ｐｕｌｌ‐ｏｕｔ  ａｃｃｏｒｄｉｏｎ  ｓｔｙｌｅ）のユニットであるが、相違しているのは、スピンドルが巻取・伸展組立体１７４で置換されている点、および、スクリーンが、巻取り可能なスクリーン部材に代えて、水平長尺形状の端部に沿って互いに連結された複数の長尺形状の水平スクリーン部材（うち２つを集合的に符号１８９で示す）で構成された、セグメント化されたアコーディオンタイプのスクリーン１７２とされている点である。ここで、モーチベータ１１２は、プロセッサ１１０によって制御されて、矢印１７０で示すごとく、スクリーン１７２をプリンタ１１６に隣接するように引き出させるとともにスクリーン１７２をイレーザ１１８に隣接するように引き上げる。
【００６８】
図１、１０（Ａ）および１０（Ｂ）に示すように、一例としての携帯型デバイス（ＨＨＤ）インタフェースユニット２００は、表示画面２０４と、キーボード２０９と、トランシーバ２１１と、プロセッサ２０３を含むユニットコンポーネントを保護および支持する剛体かつ略直線形状のプラスチック製または金属製筐体１９９と、を備えている。プロセッサ２０３は、トランシーバ２１１、表示画面２０４、メモリ２０７およびキーボード２０９にそれぞれ接続され、必要に応じてそれらから情報を受信し、またはそれらへ情報を提供するように構成されている。また、プロセッサ２０３は、メモリ２０７に保存された各種プログラムを実行する。加えて、本発明の少なくとも幾つかの実施形態において、プロセッサ２０３は、ワイヤレス通信と会議室１１の室内またはその近辺に設置されたアクセスポイントとを介して、従来のコンピュータネットワーク（例えば、ローカルエリアネットワーク、広域ネットワーク、インターネットなど）にアクセスすることができる。ＨＨＤインタフェースユニット２００とネットワークサーバなどワイヤレスデバイスとの間のアクセスポイントを介しての通信は、無線通信分野で公知であるので、説明の便宜上、ここではその詳細には立ち入らないことにする。
【００６９】
キーボード２０９は、図２を参照して説明した上述のキーボードキーと同様のハードウェアキーを備えている。より具体的には、メカニカルキー２０８、２１０、２１６、２２０は、前述したキー５６、６０、６２、５８と同様のものであって、プレゼンテーションの再開、プレゼンテーションに関連する画像の保存、スレーブユニットによって提示された画像をマスタープレゼンテーションユニット２８側で再提示するための該画像の読出し、および、マスタープレゼンテーションユニット２８からスレーブユニットのいずれかに対する画像の送信に用いられるものである。数字キーパッド２１４は、図２を参照して説明した数字キーパッド６７と同様の態様にて用いることができる。例えば、識別子番号「２」と関連付けされたスレーブユニットであって画像フリップ先であるスレーブユニットを表示するには、操作者は「２」のキーをキーボード２０９で選択してからキー２２０を選択すればよい。
【００７０】
左矢印キー２２２は、その名称が示唆するように、マスタープレゼンテーションユニット２８が現在提示している画像をマスタープレゼンテーションユニット２８の左側に配置されているスレーブユニットに送信することを示す「左へ送信」キーである。同様に、右矢印キー２２８は、マスタープレゼンテーションユニット２８が現在提示している画像をマスタープレゼンテーションユニット２８の右側に配置されたスレーブユニットに送信することを示す「右へ送信」キーである。また、右方向矢印キー２２３は、マスタープレゼンテーションユニット２８の左側のスレーブユニットが現在提示している画像を、マスターユニットに読出し表示すべきことを示す「左から読出し」キーである。同様に、左方向矢印キー２２６は、マスタープレゼンテーションユニット２８の右側のスレーブユニットが現在提示している画像を、マスタープレゼンテーションユニット２８に読出し表示すべきことを示す「右から読出し」キーである。
【００７１】
上述の各キーに加えて、ＨＨＤインタフェースユニット２００には、「Ｅｎｔｅｒ」キー２１２が設けられている。「Ｅｎｔｅｒ」キー２１２は、他のキーボードキーから入力された情報を操作対象とすべきことを指示するために用いることができる。例えば、プレゼンテーションが再開され、前回までに保存された特定の画像−ユニット群にアクセスするためには特定の７桁数字コードを入力しなければならない場合において再開ボタン２０８が選択されると、プロセッサ２０３は、画像−ユニット群に対応する画像にアクセスして該画像をプレゼンテーションユニットに提示させるために特定の７桁の数字コードを入力するための、セッション識別番号フィールドを表示画面２０４に表示させるように構成されてもよい。本発明の少なくとも幾つかの実施形態においては、ＨＨＤインタフェースユニット２００が、実際に、様々なソフトウェアアプリケーション（例えば、パワーポイント、表計算ソフト、ワープロソフトなど）とインタラクティブに使用できる完全なラップトップコンピュータとして用いられることができるように、ＨＨＤインタフェースユニット２００は、コンピュータキーボードに通常実装されているような文字、数字およびファンクションキーを備えたフルキーボード構成とされてもよい。
【００７２】
少なくとも幾つかの実施形態において、表示画面２０４は、図１および図１０（Ａ）に示すように、全機能搭載型のタッチセンサ式フラットパネル型の表示画面であって、その形式を問わず実質的にあらゆる視覚映像を表示するために用いることができるものである。そのような画像の例としては、各種ソフトウェアアプリケーションに対応した画像、表示画面２０４にスタイラス２０２またはその他の同様のタイプのインタフェースツールによって適用された情報に対応する画像、そして、場合により、各種ソフトウェアで作成した画像と適用された情報とを組み合せた画像など、を挙げることができる。このように、例えば、パワーポイントのスライドが表示画面２０４に提示されると、少なくとも幾つかの場合においては、システム操作者は、スタイラス２０２を用いて、マーク（例えば、図１０ａの２２９）を表示画面２０４上に作成する。このとき。該スタイラス２０２の動作がプロセッサ２０３によって追跡され、プロセッサ２０３が、表示画面２０４上の画像をそれに対応して変更して、マークが提示されるようになっている。ここでいう「マーク」とは、本物のインクが塗布されていないにもかかわらず、該マークが表示画面２０４の表面に表示されるという意味で、バーチャルなインクマークを意味している。
【００７３】
重要なことは、本発明の一様相によれば、制御インタフェース２００の表示画面２０４で提示された情報は、直ちにマスタープレゼンテーションユニット２８のマスター側表示画面４８でもアップデートされるという点である。このように、システム操作者が会議室１１内の任意の場所で携帯型デバイス（ＨＨＤ）２００を用いている状態で、操作者は、ＨＨＤ２００を用いて、表示画面４８に表示された画像をリアルタイムに、共同作業的に、かつ、フリップチャート的な態様で修正することができる。表示画面４８上の画像が完成して、操作者がその画像を図１のマスタープレゼンテーションユニット２８からスレーブユニット２２ａまたはスレーブユニット２２ｂのいずれかにフリップしたいときには、操作者はＨＨＤ２００を用いて、画像を適切なスレーブユニットへフリップする。例えば、図１に示した例においては、画像をマスタープレゼンテーションユニット２８からスレーブユニット２２ａへフリップするには、操作者は「１」のキーをＨＨＤ２００で選択して、送信キー２２０を選択する。送信キー２２０の選択後、プロセッサ２０３は選択されたスレーブユニットへの画像フリップを指示するとともに、マスターユニットネットワークアドレスを含むフリップコマンドデータパケットを生成し、フリップコマンドデータパケットをプロセッサ８０（図３参照）へトランシーバ２１１、２０を介して送信する。フリップコマンドの受信をうけて、プロセッサ８０は、現在表示されている画像を含む画像データパケットを生成して、該画像データパケットを、ＨＨＤ２００で選択したスレーブユニットに送信する。
【００７４】
図１０（Ａ）、図１０（Ｂ）、図１に示すように、ユニット２００は、スタンドアロン型のラップトップコンピュータであり、完結的なデータ処理プラットフォームを構成するものであって、マスタープレゼンテーションユニット２８は単純な入出力装置である。ここで、例えば、ディスプレイ２０とのやりとりを追跡するプログラムは、ユニット２００によって実行され、そして、ユニット２００は、単純にディスプレイ駆動データをマスターユニットプロセッサ８０に提供する。
【００７５】
加えて、この場合には、ユニット２００が画像プレゼンテーションを完結的にオーガナイズするとともに、マスタープレゼンテーションユニット２８側ではフリップおよび読み出し処理は実行されない。ここで、例えば、ユニット２００は、マスター側およびスレーブユニットによって表示された画像を含むすべての画像を保存してもよい。司会者が、マスタープレゼンテーションユニット２８で、マスター側画像のスレーブユニットへのフリップを指示すると、そのコマンドがユニット２００によって受信され、ユニット２００がマスター側画像を指定されたスレーブユニットへ送信することによりフリップを発生させる。加えて、ユニット２００は、コマンドをマスターユニットに自動的に送信して、フリップされた画像を消去するように構成されてもよい。また、読出しコマンドは、マスター側プロセッサ８０によってではなく、逆にユニット２００によって実行されてもよい。
【００７６】
図１１は、本発明の少なくとも幾つかの様相に係る一例としての第２のプレゼンテーションシステム２３０を示す図である。プレゼンテーションシステム２３０は、図１を参照して説明した前述の会議室１１と同様の会議室の状況で図示されているが、ここでは、プレゼンテーションユニット４８、２３２は、聴衆が関連しているプレゼンテーション面を容易に閲覧することができるように、室内においてレール４０上に取り付けられている。ここで、マスタープレゼンテーションユニット２８は、図３を参照して説明した前述のマスタープレゼンテーションユニット２８と同様のものであるが、若干異なる部分がある。つまり、図１１の実施形態におけるマスターユニットプロセッサ８０は、図１を参照して説明した前述のプロセッサにおける図３に示すプログラムとは、若干プログラムのされ方が異なっている。より具体的には、プレゼンテーションシステム２３０にはスレーブユニット２３２が１基のみ備えられているので、プロセッサ８０は、送信コマンドを受信すると、すべての画像を単一のスレーブユニット２３２へフリップするようにプログラムされている。
【００７７】
第２に、画像をスレーブユニット２３２へフリップするのに先立って、プロセッサ８０は、画像識別子番号をフリップされた画像に付加するようにプログラムされており、該画像識別子番号は、ここでの例においては、フリップされた画像の左上隅に付加されている。例えば、図１１に示すように、画像識別子番号「６」および「７」が、それぞれ、表面２５０および表面２４８にそれぞれ提示された画像と関連付けられている。それゆえ、識別子番号「６」および「７」は、後ほど該画像が一意的に識別されるように、各画像に付加されたものである。
【００７８】
第３に、画像をスレーブユニット２３２へフリップするのに先立って、プロセッサ８０は、画像と画像識別子番号とを相関付けしたうえで、後ほどアクセスできるようにマスターユニットメモリ８８に保存する。図１１に示した上述の例においては、マスターユニットプロセッサ８０（図３参照）は、表面２５０上の画像であって識別子番号６をもつ画像を保存し、同様に、表面２４８上の画像であって識別子番号７をもつ画像を保存し、そこにおいて、これらの画像のそれぞれがスレーブユニット２３２へフリップされる。
【００７９】
スレーブプレゼンテーションユニット２３２は、図１１に示すように、コンポーネントのサブセットまたは図５に示したコンポーネントに類似したコンポーネント群を備えた大判プリンタまたはプロッターである。この目的のため、スレーブユニット２３２は、プロセッサ３３６と、モータ３３８と、プリンタ３４０と、大判ロール紙３４２と、トランシーバ２４０とを備えている。スレーブユニット２３２の場合には、プロセッサ３３６は、モータ３３８、トランシーバ２４０およびプリンタ３４０に接続されており、画像がスレーブユニット２３２へフリップされると、プロセッサ３３６がモータ３３８とプリンタ３４０とを制御して、同時に、ロール紙の一部を伸展させて、該ロール紙の伸展されていない部分が下方へ落ちていく間に、インクを前面２５０に適用するように構成されている。画像を表面２５０に適用することに加えて、プリンタ３４０は、画像識別子番号（例えば、図１１では「６」）を画像の左上隅に適用する。
【００８０】
画像がプリントされた後で、ロール紙のうちスレーブユニット２３２の外部に配置された部分を剥ぎ取ることができ、連続的閲覧のために、スレーブユニット２３２に隣接して貼り付けることができる。この目的のため、少なくとも幾つかの実施形態において、レール４０は、コルクボードで構成された前面を備えて、剥ぎ取ったシートを該前面に沿って貼り付けることができるようになっている。図１１に示すように、一例としての剥ぎ取られたシート２３４は、識別子番号として数字「７」を付与されており、スレーブユニット２３２に隣接したレール４０に貼り付けられて図示されている。なお、穴あきの切り取り線がロール紙上に間隔を置いて設けられているので、シートをきれいに剥ぎ取ることができる。
【００８１】
図１１に図示した実施形態においては、スレーブユニット２３２によってプリントされた画像の１つをマスタープレゼンテーションユニット２８側で再提示するには、図２ないし図１１に示すように、システム操作者は数字キーパッド６７を用いて該画像と関連付けされた番号を選択して再提示し、そのうえで読出しキー６２を選択する。例えば、図１１中のシート２３４に画像を再提示するには、操作者は、番号「７」と読出しキー６２とを選択する。読出しキー６２が選択されると、図３に示すように、マスターユニット側プロセッサ８０は、メモリ８８に保存された画像であって画像識別子番号「７」に該当する画像にアクセスして、その画像を表示画面４８で再提示させる。ひとたび画像が再提示されると、画像が修正され、印刷と登録のためスレーブユニット２３２側に再フリップされる。
【００８２】
図１２は、本発明に係る他の追加的プレゼンテーションシステム２５１を示す図である。ここで、プレゼンテーションシステム２５１は、マスタープレゼンテーションユニット４８と、第１のスレーブユニット２５２ａおよび第２のスレーブユニット２５２ｂとを備えている。記載された実施形態においては、マスターユニット４８は、スレーブユニット２５２ａおよびスレーブユニット２５２ｂの間に挟まれてレール４０上に取り付けられており、聴衆の視点から眺めた場合には、スレーブユニット２５２ａがマスターユニット４８の左手にくるように、そして、スレーブユニット２５２ｂがマスターユニット４８の右手にくるように配置されている。
【００８３】
マスターユニット４８は、上述したマスターユニットと同様のものであるので、その詳細な説明は省略する。スレーブユニット２５２ａおよびスレーブユニット２５２ｂは、それぞれ同様の構成と動作とを有しているので、説明の便宜上、ユニット２５２ａのみを詳細に説明することにする。ユニット２５２ａは、硬化された略直線状のプラスチック製または金属製筐体２５８ａと、トランシーバ２５４ａと、大判・薄型の、プラズマ、ＬＣＤその他の表示画面２５６ａと、を備えている。加えて、スレーブユニット２５２ａは、プロセッサと該プロセッサに接続されたメモリとを備えているが、プロセッサとメモリとのいずれも図示されていない。スレーブ側プロセッサは、表示画面２５６ａ、スレーブ側トランシーバ２５４ａおよびスレーブ側メモリに接続されている。
【００８４】
画像がマスターユニット４８からスレーブユニット２５２ａへフリップされると、図１２に示すように、画像はスレーブユニット２５２ａにワイヤレス送信され、そして、直ちに表示画面２５６ａを介して提示される。上述の例におけると同様、画像がマスタープレゼンテーションユニット２８からフリップされると、マスタープレゼンテーションユニット２８は、従来のメモ用紙タイプのフリップチャートのシートめくりが模倣されるように直ちにブランク画面とされる。ここで、画像がマスタープレゼンテーションユニット２８からフリップされると、画像と、画像フリップ先であるスレーブユニットとが相関付けされて、マスターユニットメモリ８８またはスレーブユニットメモリのいずれかに保存される。
【００８５】
画像がスレーブユニット側で表示および読出され、その後再びマスタープレゼンテーションユニット２８側で表示されると、マスタープレゼンテーションユニット２８のキーボードを用いて、画像読出し元であるスレーブユニットが識別され、その後、読出し処理が行われる。ここで再び、読出し処理はマスタープレゼンテーションユニット２８側で完全に内部的とされることができ、スレーブユニット側で提示された画像は、マスターユニットメモリ８８に保存される。代替案として、スレーブ画像がスレーブユニットのメモリに保存される場合には、読出しプロセスは、マスタープレゼンテーションユニット２８からスレーブユニット（例えば、図１２の２５２ａ）への読み出し要求パケットが必要になる。また、画像を読み出してから、スレーブユニットからマスタープレゼンテーションユニット２８への逆方向の第２のパケット送信を行うことが必要となる。
【００８６】
図１８は、本発明の少なくとも幾つかの様相と整合的な一の追加的なプレゼンテーションシステム４７０を示す図である。プレゼンテーションシステム４７０は、単一のプレゼンテーションユニット（引用符号４７０で示す）を備え、該プレゼンテーションユニット４７０は、剛体の筐体組立体４７２の内部に取り付けられた表示画面４７４を備えており、その表示面４７５が聴衆から見えるようになっている。ここで、表示面４７５は、一般的には、プレゼンテーション用途に応じて、隣接するスペース４７６、４７８、４８０を含む複数のサブスペースに分割されている。少なくとも幾つかの実施形態において、プレゼンテーションスペース４７６、４７８および４８０の間の機械的なデリニエータは設けられていない。その代わりに、それらの互いに独立なスペースは、情報が表示面４７５上に提示されてはじめて認識可能なものである。このように、例えば、図２３に示すように、プレゼンテーションシステム４７０は、画像を各プレゼンテーションスペース４７６、４７８、４８０に映し出す前方投影ユニット４７１と、表示面４７５上での動作を感知するセンサ組立体４７３とを備えている。代替案として、ユニット４７０は、互いに独立な画像が各スペース４７６、４７８、４８０に表示されるフラットパネルプラズマ型、ＬＣＤ型その他の薄型ディスプレイである。
【００８７】
図１８に示すように、表示面スペース４７８の下方には、所定の方向に向いている四つのタッチセンサ式矢印アイコン４８２、４８４、４８６、４８８が設けられている。フリップアイコン４８４を選択することで、表示面スペース４７８に提示された画像を矢印４９０で示すごとく表示面スペース４７６上において左側にフリップさせることができる。フリップアイコン４８６を選択することで、表示面スペース４７８に提示された画像を矢印４９２で示すごとく表示面スペース４８０上において右側にフリップさせることができる同様に、矢印アイコン４８２を選択することで、表示面スペース４７６内の左側画像を読出して、矢印４９４で示すごとく表示面スペース４７８に提示させることができる。矢印アイコン４８８を選択することで、表示面スペース４８０内の右側画像を読み出して、矢印４９６で示すごとく、中央の表示面スペース４７８に提示させることができる。この場合には、中央の表示面スペース４７８は、上述のマスターユニットによって画像を編集し、該画像をスレーブユニットへフリップするとともに該画像をスレーブユニットで読み出すのと同様に用いることができる。
【００８８】
図１９は、図１８のプレゼンテーションシステムと同様のプレゼンテーションシステム５２０を示す図である。プレゼンテーションシステム５２０は、単一のプレゼンテーションユニット５２２であって、視認表面５２６をなすプレゼンテーション画面５２４を備えた電子フラットパネルユニットである。図１８の実施形態におけると同様に、図１９においても、システム操作者によって（例えば、スタイラスやユーザの指などで）選択または指示された表面５２６上の特定の場所を判別するための所定の型式のセンサコンポーネント（図示せず）が設けられている。プレゼンテーションシステム５２０の場合は、マスター用プレゼンテーションスペース５３０は、境界線やアウトラインを周囲に配置するなどして視覚的に区別しうるような態様にて表面５２６上に提示されている。マスター用スペース５３０は、図１９に示すように、表面５２６のほぼ中央部分に配置された状態で図示されている。場合によっては、より精緻なビジュアルグラフィックスを提供してマスター用スペース５３０を明確に区分するようにしてもよい。例えば、フリップチャートを模倣するという目的に適うように、フリップチャートを表わすグラフィックスによってスペース５３０を明確に区別してもよい。
【００８９】
図１９に示すように、場合によっては、マスター用スペース５３０内にコントロールアイコン５３６が設けられている。コントロールアイコン５３６は、画像をマスター用スペース５３０から表面５２６上の他のスペースへフリップするために用いることができる。
【００９０】
ここに記載された実施形態においては、画像がマスター用スペース５３０で作成された後で、システム操作者は、スタイラスの先端をアイコン５３６に位置付けて、画像を表面５２６上の他の場所へドラッグすることができる。ここで、画像がマスター用スペース５３０からドラッグされても、マスター用スペースとその視覚的に区別された特徴とは、表面５２６上におけるそれらの従来の位置に留まっているであろう。前回フリップされたかあるいはマスター用スペース５３０からフリップされた１つの画像は、図１９に示すように、５２８と表記されており、そして、第２の画像であってマスター用スペース５３０から矢印５４０で示すごとくフリップされた画像は、５３２と表記されている。矢印５４２は、操作者がドラッグ処理を行うために用いるスタイラスの先端部を示している。
【００９１】
少なくとも幾つかの場合において、画像がマスター用スペース５３０からドラッグされると、コントロールアイコンはそれとともに移動して、フリップされた画像が、フリップ操作に、表面５２６を移動することができるようにされている。加えて、少なくとも幾つかの実施形態において、前回フリップされた画像は、フリップされた画像の上でコントロールアイコンを選択して該選択されたアイコンを再度マスター用スペース５３０にドラッグすることにより、マスター用スペース５３０で読み出される。ここで、前述の実施形態におけると同様に、マスター用スペース編集およびソフトウェアスクリーンショット表示用のソフトウェアが想定されている。
【００９２】
図２０は、マスターユニットと２つのスレーブユニットとを備えた他の進歩的な実施形態５５０を示す図である。マスターユニットは、マスター用表示画面または組立体５５４と、マスター用プロジェクタユニット５６０とを備えている。第１のスレーブユニットは、スレーブ用スクリーン５５２と、第１のスレーブ用プロジェクタユニット５５８とを備え、そして、第２のスレーブユニットは、第２のスレーブ用スクリーン５５６と、第２のスレーブ用プロジェクタユニット５６２とを備えている。スクリーン５５２、５５４、５５６は、ディスプレイ投影面５６４、５６６、５６８をそれぞれ備えているが、これらは、同様の寸法とされ、共同作業に参加している聴衆またはグループによって同時に閲覧可能とされるために互いに並列に配置されている。加えて、マスター用組立体５５４は、表面５６６上またはその近くにあるスタイラス、ペン、イレーザなどの位置を感知するための、スクリーン５５４の上端に沿って設置されたレーザセンサユニット５７０を備えている。
【００９３】
プロジェクタユニット５５８、５６０、５６２は、図２０に示すように、互いに独立な画像を表面５６４、５６６、５６８にそれぞれ映し出すように配置されている。マスター用組立体５５４は、画像とシステムソフトウェア一般とを制御するための上述のプロセッサと類似したプロセッサ（図示せず）に接続されているかまたはそれを備えており、より具体的には、プロセッサは、画像フリップ動作と、閲覧・編集のための該画像のマスター側表面５６６への再読み出しとを制御するためのものである。
【００９４】
図２１は、進歩的な一様相と適合的であるところの他のプレゼンテーションシステム６００を示す図である。プレゼンテーションシステム６００には、マスタープレゼンテーションユニット６１０と、３つのスレーブユニット６０４、６０６、６０８が備えられている。各スレーブユニット６０４、６０６、６０８は、図１、４、５を参照して説明した上述のスレーブユニットと同様のものであるので、詳細な説明は行わないが、ここでは、スレーブユニット６０４、６０６、６０８が壁部６０１（より具体的には、壁部に取り付けられたレール６０２）に取り付けられ、そして、マスターユニット６１０からフリップされた画像をスレーブユニット６０４、６０６、６０８側で受信することができるとともに、該受信された画像をスレーブプレゼンテーション面（すなわち、表面６２２、６２４および６２６）に提示することができるように構成されている、とだけ述べておく。
【００９５】
スレーブユニット６０４、６０６、６０８はそれぞれ壁部取付されているのであるが、マスターユニット６１０は、移動式かつ床上支持型のイーゼルタイプの組立体であって、内部スペース６１４と１以上の棚部材６１６とを有するイーゼル構造（これも同じく引用符号６１０で示す）を備えている。図示された実施形態においては、施設内での移動のため、イーゼル構造６１０の下端部にはキャスター６１８（２つだけ符号を付してある）が取り付けられている。また、コンピュータプロジェクタおよびその他のシステムコンポーネントは、内部スペース６１４内の棚６１６に配置されている。マスターユニット６１０は、マスター画像を提示・修正および一般的には共同作業を支援するためのマスタープレゼンテーション面６１２を備えている。上述の実施形態においては、マスター画像のスレーブユニットへのフリップ、該画像の読出しその他の画像管理機能を実行するために、オンスクリーン選択可能なアイコンがマスタープレゼンテーション面６１２に設けられている。ここで、マスタープレゼンテーション面６１２は、プラズマスクリーン、プロジェクタがスペース６１４内に配置されたリアプロジェクション式画面、フロントプロジェクション式画面など、複数の形態のいずれかをとりうるものである。
【００９６】
図２４は、本発明の他の諸様相と適合的であるところの一の追加的なプレゼンテーションシステム７００を示す図である。プレゼンテーションシステム７００は、複数の移動式プレゼンテーションユニット７０２、７０４、７０６、７０８、７１０、７１２を備えている。各プレゼンテーションユニット７０２、７０４、７０６、７０８、７１０および７１２は、それぞれ同様な構成を有して同様な動作を行うものであるので、説明の便宜上、プレゼンテーションユニット７０２についてのみ詳細に説明することにする。
【００９７】
プレゼンテーションユニット７０２は、移動式ディスプレイスタンド７１６の上面に取り付けられたフラットパネル電子表示画面７１４を備えている。ユニット７０２の移動のため、キャスター７１８がスタンド７１６の下部に設けられている。例えば、プレゼンテーションユニット７０２は、複数の異なる会議室のいずれにおいても用いることができ、そして、会議スペース内などで、または、場合によってはプライベートオフィス内において用いられることができる。なお、図示されていないが、電子表示画面７１４は、電子表示画面７１４の前面上でまたはそれに近接して行われた動作を追跡するための追跡システムを備えている。このように、例えば、上述したように、ペン、イレーザまたは他の電子デバイスを用いて、表示画面７１４に提示された情報を修正または選択する際に、ペンまたはイレーザ動作が感知されて、その結果、表示画面７１４に提示された情報の修正または選択が行われることになる。
【００９８】
加えて、プレゼンテーションユニット７０２は、他の実施形態に関して上述したトランシーバに似たワイヤレストランシーバ（図示せず）を備えており、プレゼンテーションユニット７０２が情報を他のプレゼンテーションユニット７０４、７０６、７０８、７１０、７１２に送信するとともに情報を他のプレゼンテーションユニットから受信することができるようにされている。本実施形態においては、プレゼンテーションユニット７０２、７０４、７０６、７０８、７１０、７１２のいずれかがマスターユニットとして用いられるとともに、他のプレゼンテーションユニットまたはそのサブセットが、スレーブユニットとして用いられている。
【００９９】
図２８は、本発明の少なくとも幾つかの様相と適合的であるところの一の追加的なプレゼンテーションシステム８００を示す図である。プレゼンテーションシステム８００は、相対的にワイドな表示画面または表示面８０２と、２つのビデオ型プロジェクタ８０４、８０６と、移動式フラットパネル型表示装置を備えた１つのプレゼンテーションユニット８０８と、ラックマウント式のプロセッサ８１０と、ローカルエリアネットワーク（ＬＡＮ）８１２と、ワイヤレスアクセスポイント８１４と、ＤＶＤ／ＶＣＲ８１８と、スキャナ／プリンタ８１６とを備えている。移動式プレゼンテーションユニット８０８は、図２４を参照して説明した前述のプレゼンテーションユニットと同様のものであるので、プレゼンテーションユニット８０８は、移動式カートタイプの装置（符号なし）の上に取り付けられたフラットパネル型表示画面８３８を備え、そして、情報をアクセスポイント８１４経由で情報を送受信するためのワイヤレストランシーバ８３６を備えていることを指摘しておくにとどめ、これ以上の再度の詳述は省略する。
【０１００】
ラックマウント式のプロセッサ８１０は、ＬＡＮ８１２経由でアクセスポイント８１４に接続されて、該アクセスポイント８１４を介してプレゼンテーションユニット８０８の情報の送受信を行う。加えて、プロセッサ８１０は、ＤＶＤ／ＶＣＲ８１８と、スキャナ／プリンタ８１６と、プロジェクタユニット８０４、８０６とに配線接続されている。プロジェクタユニット８０４は、表示面８０２のほぼ左半分の部分に情報を映し出すように構成され、そして、プロジェクタユニット８０６は、表示面８０２のほぼ右半分の部分に情報を映し出すように配置および構成されている。より具体的には、プロジェクタユニット８０４は、２つの画像を互いに隣り合った状態で表示面８０２の左半分の互いに隣接するスペース８２０、スペース８２２に映し出すように構成され、そして、プロジェクタユニット８０６は、画像を、互いに隣り合った状態で表示面８０２のほぼ右半分の第３のスペース８２４および第４のスペース８２６に映し出すように構成されている。
【０１０１】
情報が含まれている画像またはブランク画像のいずれかをスペース８２０、８２２に映し出す場合には、プロジェクタユニット８０４は画像識別子をスペース内に映し出すように構成されている。図２８に示した画像識別子では、それぞれ、識別子「１」および「２」（それぞれ引用符号８２８および８３０を付す）がこれに相当する。同様に、プロジェクタユニット８０６は、識別子「３」および「４」（引用符号は８３２および８３４を付す）をスペース８２４、８２６内に映し出す。数字１、２、３、４は、システム操作中にスペース８２０、８２２、８２４、８２６を互いに区別するために付番されたものである。
【０１０２】
少なくとも幾つかの構成において、プロセッサ８１０は、プレゼンテーションユニット８０８およびプロジェクタユニット８０４、８０６をそれぞれ駆動し、そして、それにより、すべての表示または提示された画像を制御する。これらの構成においては、プレゼンテーションユニット８０８は単純なインタフェースであって、フリップ／読み出しプロセスはプロセッサ８１０によって実行される。例えば、画像がプレゼンテーションユニット８０８からスペース８２２へフリップされると、プレゼンテーションユニット８０８は、「フリップ」コマンドをプロセッサ８１０に送信し、これをうけてプロセッサ８１０は、プロジェクタユニット８０４により、表示画面８３８のスペース８２２に画像を表示させる。スペース８２２からの画像が読み出されると、読出しコマンドがプロセッサ８１０へ送信され、これをうけてプロセッサ８１０は、読み出された画像を再度プレゼンテーションユニット８０８へ送信して表示させる。
【０１０３】
移動式表示画面８３８の下側部分付近には、図２８に示すように、コントロールアイコンが設けられている。コントロールアイコンは、スペース選択アイコン８４２、８４４、８４６、８４８と、読出しアイコン８４０および送信またはフリップアイコン８５０とを備えている。スペース選択アイコン８４２、８４４、８４６、８４８は、それぞれ、スペース８２０、８２２、２８４、８２６にそれぞれ関連付けされた、８２８、８３０、８３２、８３４で示されたラベルに対応するスペース番号１、２、３、４を備えている。
【０１０４】
実際の動作についていえば、画像を表示画面８３８からスペース８２０、８２２、８２４および８２６のいずれかへフリップするには、ユーザは、スペース選択アイコン８４２、８４４、８４６、８４８のいずれかを選択し、そのうえでフリップアイコン８５０を選択すればよい。例えば、画像を表示画面８３８から表示面８０２のスペース８２２へフリップしたいのであれば、ユーザは、スペース選択アイコン８４４を選択して、次にフリップアイコン８５０を選択すればよい。同様に、画像をスペース８２０、８２２、８２４、８２６のいずれかから読み出すには、ユーザは、対応するスペース選択アイコン８４２、８４４、８４６、８４８のいずれかを選択して、そのうえで読み出しアイコン８４０を選択すればよい。
【０１０５】
図２８に示すように、画像が表示画面８３８からフリップされると、情報が移動式プレゼンテーションユニット８０８からトランシーバ８３６を介してアクセスポイント８１４へ送信され、そして、ＬＡＮ８１２経由でプロセッサ８１０へ送信される。その後、プロセッサ８１０は、プロジェクタユニット８０４、８０６のいずれか関連付けされた一方を制御して、対応するスペース８２０、８２２、８２４、８２６のいずれかに映し出された画像をアップデートする。読み出しアイコン８４０が表示画面８３８にて選択されると、情報がプロセッサ８１０へアクセスポイント８１４およびＬＡＮ８１２を介して送信されるが、この情報は、プロジェクタユニット８０４、８０６のいずれかに表示された画像のうち関連付けされたものを読み出して表示画面８３８に映し出すべきことを要求する情報である。本実施形態においては、あるセッションの間において前回表示された画像が、関連付けされたメモリに、プロセッサ８１０によって保存され、そして、少なくとも幾つかの実施形態において、移動式ユニット８０８によって現在表示されている画像のみがユニット８０８のメモリに保存される。
【０１０６】
図２８を再度参照すると、ディスプレイユニット８０８によって画像をスペース８２０、８２２、８２４、８２６に表示させることに加えて、少なくとも幾つかの実施形態において、ＤＶＤ／ＶＣＲユニット８１８によって再生されたＤＶＤおよびＶＣＲは、表示画面８３８上に、または、映し出されたスペースのいずれかに提示される。加えて、画像が表示画面８３８に映し出されている間、表示画面８３８上のスペースコントロールアイコンのすぐ上の部分に提示された印刷（Ｐｒｉｎｔ）アイコン８７０を選択すると、プロセッサ８１０が、表示画面８３８に現在表示されている画像をスキャナ／プリンタ８１６に印刷させる。ここで、情報は、表示画面８３８での表示または情報修正のためにスキャナ８１６によってスキャンされることができる。画像がスキャンされると、プロセッサ８１０は、画像をディスプレイユニット８０８に表示させるため、該画像をＬＡＮ８１２経由でアクセスポイント８１４からディスプレイユニット８０８へ送信する。
【０１０７】
図１３ないし図１６は、本発明のある様相に係る様々な手順と副手順とを示すものである。ここに記載された各手順は、上述のプレゼンテーションシステムまたはその派生型システムの少なくとも１つのシステム、場合によっては２以上のシステム、あるいは、すべてのシステムとともに用いることができるものである。
【０１０８】
図１３は、画像をマスタープレゼンテーションユニット２８からスレーブユニットへフリップする手順２７０を示すものである。なお、手順２７０は、図１ないし図５に示すプレゼンテーションシステム１０との関連において説明する。まず、ブロック２７２において、システム操作者は、マスタープレゼンテーションユニット、スレーブプレゼンテーションユニットまたは装置を、会議室１１内の聴衆が閲覧できるように適宜配置する。ブロック２７４において、情報がマスター側表示画面４８に提示される。ブロック２７６において、プロセッサ８０は、キーボード３０などの入力装置、携帯型デバイス（ＨＨＤ）２００等により生成される無線制御信号を監視して、マスターユニット２８に現在提示されている画像をスレーブプレゼンテーションユニット２２ａおよび２２ｂのいずれかへフリップすることを指示するコマンドの有無を監視する。判定ブロック２７８において、フリップコマンドが検出されない場合には、制御ループはブロック２７４に戻り、上述の手順が繰り返される。ブロック２７８において、フリップコマンドが受信されると、制御はブロック２８０へ進み、マスターユニット４８が、マスター画像をその一部に含む画像データパケットを、選択されたスレーブユニットへ送信する。ブロック２８２において、選択されたスレーブユニットは、受信された画像を上述の態様のいずれかにしたがって提示する。
【０１０９】
図１４は、図１３のブロック２８０および２８２と代替的な副手順２８４を示すものである。副手順２８４は、マスタープレゼンテーションユニット２８が後に画像を再度アクセスし、再提示および編集することができるように、フリップされた画像を画像識別子と相関付けるためのものである。この目的のため、副手順２８４は、一意の画像識別子をスレーブユニットによって生成された画像に割り当てて、それに続いて、スレーブユニットが、（例えば、印刷するなどして）画像生成時に画像識別子を該画像に含ませるプレゼンテーションシステムとともに用いられる。つまり、副手順２８４は、図１１のプレゼンテーションシステム２３０との関連で記載されている。
【０１１０】
図２、図３、図１１、図１３および図１４に示すように、ブロック２７８においてマスタープレゼンテーションユニット２８からスレーブユニット２３２へのフリップが指示されると、制御は図１４のブロック２８６へ進む。ブロック２８６において、マスター画像が、一意の画像識別子番号（例えば、図１１に示す「６」または「７」等）と相関付けされる。ブロック２８８において、マスター側プロセッサ８０は、相関付けされた画像および画像識別子番号を、マスター側メモリ８８に保存する。ブロック２９０において、マスタープレゼンテーションユニット２８は、マスター画像を選択されたスレーブユニットへ送信する。ブロック２９２において、選択されたスレーブユニットは、送信された画像を画像識別子番号とともに提示する。このように、例えば、図１１において、スレーブユニット２３２が、画像を表面２５０上に生成し、そして、画像識別子番号「６」を画像の左上隅に付加する。この時点で、画像フリップが完了する。
【０１１１】
続いて、ブロック２９４において、画像フリップ完了後、マスター側プロセッサ８０は、特定の識別子番号と関連付けされた画像の読み出し要求の有無を監視する。例えば、図１に示すように識別子番号「７」がシート２３４上の画像に対して付加された場合には、システム操作者は、シート２３４上の画像の読み出しを、数字「７」の入力および読出しキー６２の選択によって要求する（図２参照）。ブロック２９６において読み出しが要求されていない場合、制御ループはブロック２９２ないし２９４に戻る。読み出しコマンドがブロック２９６において受信された場合、制御はブロック２９８に進み、マスター側プロセッサ８０は、操作者によって入力された識別子番号と相関付けされた画像にアクセスする。ブロック３００において、マスタープレゼンテーションユニット２８は、相関付けされた画像をマスター側表示画面４８に再提示する。
【０１１２】
図１５は、図１の実施形態におけると同様に各スレーブユニットが一意のスレーブユニット識別子によって識別可能とされている場合における、フリップチャート画像を管理する手順３３０を示すものである。この目的のため、図１に示すように、スレーブユニット２２ａは、数字「１」によって一意に識別可能とされており、スレーブユニット２２ｂは、同様に番号「２」によって識別可能とされている。図１、図２、図３および図１５に示すように、ブロック３３４において、スレーブユニット識別子（例えば、２４ａ、２４ｂ等）が各スレーブ表示装置に与えられており、スレーブユニット識別子は、スレーブユニット識別子に対応するワイヤレスネットワークアドレスと所定の態様にて関連付けされている。関連付けされたスレーブユニット識別子およびネットワークアドレスは、マスターユニットのメモリ８８に保存されている。ブロック３３２において、マスタープレゼンテーションユニット２８およびスレーブプレゼンテーションユニット２２ａ、２２ｂが、聴衆の閲覧のため会議室１１内に適宜配置される。
【０１１３】
ブロック３３６において、画像がマスター側表示画面４８に提示され、および／または、操作される。ブロック３３８において、マスターユニットのプロセッサ８０は、現在表示されている画像をスレーブプレゼンテーションユニットのいずれかにフリップすべきことを示すフリップコマンドの有無を監視する。ブロック３４０においてフリップコマンドが検出されない場合、制御はブロック３３６ないしブロック３３８に戻る。ブロック３４０においてフリップコマンドが検出されると、制御はブロック３４２に進み、マスター画像と、操作者によって指定されたスレーブユニット識別子（すなわち、画像フリップ先であるスレーブユニットの識別情報）とが相関付けされる。
【０１１４】
ブロック３４４において、マスター側プロセッサ８０は、相関付けされた画像とスレーブユニット識別子番号とをメモリ８８に保存する。ブロック３４６において、マスター側プロセッサ８０は、マスター画像をスレーブユニットに送信する。ブロック３４８において、スレーブユニットは、受信された画像を提示する。
【０１１５】
ブロック３５０において、マスター側プロセッサ８０は、画像読み出し元としてのスレーブユニットと関連付けされた特定のスレーブユニット識別子を示す読出し要求の有無を監視する。ブロック３５２において、読み出しコマンドが受信されない場合、制御はブロック３４８に戻り、上述のループが繰り返される。ブロック３５２において、読み出しコマンドが受信された場合、制御はブロック３５４に進み、そこにおいて、プロセッサ８０は、マスター側メモリ８８内のスレーブユニット識別子と関連付けされた画像にアクセスする。ブロック３５６において、プロセッサ８０は、相関付けされた画像をマスター側表示画面４８に再提示する。
【０１１６】
図１６は、図１３ないし図１５を参照して説明した前述の手順のいずれかと並行して、マスターユニットプロセッサ８０によって実行される手順３６０を示すものである。手順３６０は、セッション保存コマンドが受信されたときに、（ａ）現在表示されている画像を特定のプレゼンテーションユニットと関連付け、（ｂ）該相関付けされた画像とユニット識別子とを後のアクセスのために保存し、そして、（ｃ）再開コマンドが受信された場合に、セッション保存コマンドが受信された際に該画像と関連付けされた前記プレゼンテーションユニットによって画像を再表示するための手順である。
【０１１７】
例えば、図１に示すように、保存キー６０が選択されると、共同セッションの間、第１の、第２のおよび第３の画像が、それぞれ、スレーブユニット２２ａ、２２ｂおよびマスタープレゼンテーションユニット２８によって表示されるということが前提とされている。ここで、キー６０が選択されると、第１の画像、第２の画像および第３の画像が、スレーブユニット２２ａ、２２ｂおよびマスターユニット２８にそれぞれ関連付けされたユニット識別子と相関付けされ、該相関付けされたデータが、画像群としてマスター側メモリ８８に保存され、そして、スレーブユニット２２ａ、２２ｂおよびマスターユニット２８のプレゼンテーション画面がクリアされる。その後、操作者が保存された画像群に対応するセッションを再開すると、プロセッサ２８が第１および第２の画像をプレゼンテーションのためスレーブユニット２２ａ、２２ｂへそれぞれフリップし、そして、セッション中断箇所からセッションが再開されるように、第３の画像を表示画面４８に提示する。
【０１１８】
図１、図２、図３および図１６に示すように、ブロック３６２において、画像は、マスター側表示画面４８とスレーブユニット２２ａ、２２ｂとに提示されている。ブロック３６４において、プロセッサ８０は、保存キー６０が選択されたかどうかを監視している。ブロック３６６において、保存キー６０が選択されていなければ、制御はブロック３６２に戻る。ブロック３６６において保存キー６０が選択されると、制御はブロック３６８に進み、プロセッサ２８はマスター側表示画面４８をブランク画面とし、各スレーブユニット（２２ａ、２２ｂ等）に信号を送信して、各スレーブユニットにそれぞれのプレゼンテーション画面をブランク画面とさせる。ここで、プレゼンテーション画面がブランク状態とされている間は、プレゼンテーション画面の画像に対応するデータは、マスター側メモリ８８に保持されるか、あるいは、マスター側メモリ８８とスレーブ側メモリとの組み合せにより適宜保持されている（例えば、図５の１１９）。
【０１１９】
続いて、ブロック３７１において、プロセッサ８０は、操作者に対してセッション識別子を要求する。このセッション識別子は、セッション画像を後でアクセスする際に用いるものである。例えば、プロセッサ８０は、セッション識別子フィールドを備えているとともに、操作者に対してセッション画像群を指名することを促すクエリを、マスター側表示画面４８に提示する。テキスト形式のセッション識別子のほうがよいのであれば、プロセッサ８０は、アルファベット全文字を含むキーボードで構成されたタッチセレクトアイコンを表示画面４８に設けてもよいし、代替案として、手書き認識可能なセッション識別子フィールドを設けてもよい。ブロック３７１においてセッション識別子を要求することに代えて、プロセッサ８０は、単純にランダムアクセスコードをセッション画像群に割りあてて該コードを表示画面４８により操作者に一時的に提供してもよいであろう。
【０１２０】
ブロック３６９において、プロセッサ８０は、画像群の各画像と、一意のプレゼンテーションユニット識別子（すなわち、マスタープレゼンテーションユニット２８に一意的に付与された識別子またはスレーブユニット（２２ａ、２２ｂ等）のそれぞれに一意的に付与された識別子）と、を相関付けする。ブロック３７０において、マスター側プロセッサ８０は、セッション画像群をセッション識別子とともに保存するが、ここで、各画像は、マスター側メモリ８８内のマスターユニットおよびスレーブユニット識別子の特定のいずれかと関連付けされることになる。ブロック３７０を経ると、すべてのセッション画像が、事後的参照のためにアクセス可能なフォーマットにて保存された状態となる。
【０１２１】
次に、ブロック３７４において、マスター側プロセッサ８０は、前回の共同セッションの再開を指示し、したがって、保存された画像群が再アクセスおよび再提示されるべきことを指示する再開アイコン５６の選択の有無を監視する。ブロック３７６において、再開コマンドが受信されていない場合、制御はブロック３７４に戻る。ブロック３７６にて再開コマンドが受信されると、制御はブロック３７７に進む。
【０１２２】
ブロック３７７において、マスター側プロセッサ８０は、システム操作者に対して、前回保存された画像群に対応するセッション識別子を提供するように促す要求を提示する。ここで、プロンプトは、テキストクエリおよびセッション識別子フィールドと、識別子を指定するための適切なタッチセンサ式アイコン群（例えば、数字、英数字等）とを備えている。
【０１２３】
ブロック３７８において、入力されたセッション識別子と関連付けされた画像群は、メモリ８８から読み出され、そして、ブロック３８０において、前回のセッションが停止したところから再開されることができるように、画像群に属する画像が、マスター側ディスプレイとスレーブユニットとによって表示される。ブロック３８０の後、制御はブロック３６２に戻り上述のプロセスが続けられる。
【０１２４】
後にアクセスするために、複数のシステムプレゼンテーションユニットに同時に提示される画像群を保存することが可能であることに加えて、本発明の少なくとも幾つかの実施形態において、保存および後のアクセスのために互いに独立な画像を選択することが可能であり、これは、画像がスレーブユニットへフリップされたかどうかを問わず可能である。例えば、図２および３を再度参照すると、少なくとも幾つかの場合において、マスター側プロセッサ８０は、保存キー６０がひとたび選択されると、現在提示されている画像であって表示画面４８に提示されている画像が保存され、そして、保存キー６０が素早く２回選択（例えば、マウスのダブルクリックのような動作）されると、プロセッサ８０は、セッション画像の全体を画像群として保存するようにプログラムされている。単一の画像が後のアクセスのために保存されると、一部の場合においては、それらの画像は、画像が保存された時点において進行していた共同セッションと関連付けされたセッション群に追加される。
【０１２５】
代替案として、一部の場合において、単一の画像が保存されると、プロセッサ８０は、セッション画像群の保存に関する前述のプロセスと同様のプロセスを実行する。その際、テキストまたは数字で構成された画像識別子をシステム操作者に対して要求するが、これは、該画像に後ほど再アクセスするのに用いられる画像識別子である。
【０１２６】
画像を別個独立に保存する場合には、図２および図３に示すように、読出しキー６２が選択されると、画像がマスター側メモリから、または、いずれかのスレーブプレゼンテーション装置から読み出されることができる。このため、プロセッサ８０は、画像を読み出すことができる対象ソースを示すオプションメニューと、それらの画像にアクセスするための適切なツールを備えている。
【０１２７】
図１７は、図２のマスタープレゼンテーションユニット２８と同様のマスタープレゼンテーションユニット５２８を示す図である。マスターユニット５２８は、下側縁部５３０にタッチセンサ式アイコン群を備えている。ここで、再開アイコン５６、送信アイコン５８、保存アイコン６０および読み出しアイコン６２、加えて、左フリップアイコン６８および右フリップアイコン７０は、図２において同様に付番されたキーに関して上述した機能をほぼ忠実に再現する機能を有しているものであるので、説明の便宜上、ここでは詳細に記載しないことにする。ただし、マスターユニット５２８によって提供されるアイコン群とマスターユニット２８によって提供されるキー群との主要な相違は、図２の数字キーパッド６７は、図１７ではサムネイルスケッチバー４５０で置換えられていることである。
【０１２８】
画像がマスターユニット５２８からスレーブユニットのいずれかへフリップされると、フリップされた画像のサムネイルがサムネイルスケッチバー４５０に提示される。図１７では、２つの例示的サムネイルスケッチが引用符号４５２、４５４で示されている。ここで、スレーブユニットのいずれかに提示されている画像をマスター側表示画面４８に再提示するには、特定のユニットまたは画像にアクセスするために各画像に適用された画像識別子を判別する代わりに、システム操作者は、サムネイルスケッチのいずれか（例えば、４５２、４５４等）と読み出しアイコン６２とを選択するだけでよく、これにより画像を表示画面４８に再提示することができるのである。
【０１２９】
少なくとも幾つかの場合において、システム操作者が共同作業セッションを終了するとともに対応するサムネイルスケッチ（例えば、４５２、４５４等）がサムネイルスケッチバー４５０に付加されるまで、マスターユニット５２８からスレーブユニットのいずれかへフリップされたすべての画像が、マスター側メモリ８８に保存されて保持される。ここで、共同作業セッションが長引くとよく起こるケースであるが、フリップされた画像点数がスレーブプレゼンテーションユニット数を超える場合であっても、システム操作者は迅速且つ容易にすべてのフリップされた画像にアクセスすることができる。これは、画像がスレーブユニットによって現在提示されているかあるいはマスター側メモリに単純に保存されたかを問わない。
【０１３０】
アイコン６４および６６は、左スクロールアイコンおよび右スクロールアイコンであって、これを操作することで、操作者が特定の画像を再提示するために多数のサムネイルスケッチをグラフィカルに検索することができる。場合によっては、すべてのフリップされた画像およびフリップされずに保存されたすべての画像が、マスター側メモリ８８に保存され、そして、選択可能なサムネイルスケッチとしてサムネイルスケッチバー４５０に再提示されてもよいであろう。
【０１３１】
図２４を再度参照すると、少なくとも幾つかの進歩的な実施形態において、複数基のプレゼンテーションユニットが利用可能でありかついずれのプレゼンテーションユニットもマスターユニットまたはスレーブユニットとして使用することができる場合には、システムユーザがマスターユニットとして機能するユニットを識別するとともに多数のユニット群からスレーブユニットとして動作するユニットを選択することを迅速に支援し、マスター側および選択されたスレーブユニットを関連付け、そして、画像をマスター側およびスレーブユニット間でフリップするためのツールを提供するために所定の処理手順がソフトウェアとして実装される。
【０１３２】
この目的のため、図２４に示す例は、プレゼンテーションユニット７０２、７０４、７０６、７０８、７１０、７１１が多様な目的のために例えば、プライベートオフィスにおいて、会議室において、玄関またはカフェテリア入口といった公共スペースにおいて利用されうることを前提としている。この目的のため、各ユニットは、キャスター付きスタンド７１６の上部に取り付けられたフラットパネル型表示装置７１４を備えており、プレゼンテーションユニットをある場所から他の場所へ容易に移動できるようになっている。会議プロセスを支援するために２以上のプレゼンテーションユニットがともに用いられて、プレゼンテーションユニットのいずれかがマスターユニットとして用いられかつ他のユニットのいずれかまたは複数がスレーブユニットとして用いられている場合には、複数のプレゼンテーションユニットを会議スペースに搬入して相互に関連付けしたうえで、会議プロセス支援アプリケーションを実行させることを想定している。
【０１３３】
図２５は、上述のプロセスと適合的であるところの手順７３０を示すものである。また、ブロック７３２において、図２４に示すごとく複数のプレゼンテーションユニット（例えば、７０２、７０４、７０６、７０８、７１０、７１２）が設置される。ここで、各プレゼンテーションユニットは一意のワイヤレスアドレスをそれぞれ有している。例えば、プレゼンテーションユニット７０２は、ワイヤレスアドレス「００４２５Ａ１」、プレゼンテーションユニット７０４はワイヤレスアドレス「５４４７８Ｂ１」、プレゼンテーションユニット７０６はワイヤレスアドレス「８９９０８Ｂ１」といった具合である。処理ブロック７３４において、プレゼンテーションユニットのうちの幾つかが会議スペース内に運び込まれる（図２４参照）。
【０１３４】
処理ブロック７３６において、会議スペース内の各プレゼンテーションユニットの電源を立ち上げ、システム操作者は、プレゼンテーションユニットのいずれかをマスターユニットとして使用することを指定する。この目的のため、図２４に示すように、少なくとも幾つかの実施形態において、複数のプレゼンテーションユニットのいずれか（例えば、７０２）が電源オンされるたびに、システム操作者にそのユニットをマスターユニットとして選択する方法を指示するインフォメーション（すなわち、初期インタフェース）が、そのプレゼンテーションユニットの表示画面（例えば、７１４）に提示される。この点で、インストラクション７２０が、ディスプレイユニット７０２をマスターユニットとして認識するための「Ｍａｓｔｅｒ」アイコン７２２とともに、ディスプレイ７１４に提示されている。
【０１３５】
同様のインストラクションおよびＭａｓｔｅｒアイコン（例えば、７２４参照）が、プレゼンテーションユニット７０４、７０６、７０８、７１０、７１２にそれぞれ提示されている。操作者が、プレゼンテーションユニットのいずれかをマスターユニットに指定した場合、デフォルト設定では、会議スペース内の他の各ユニットがスレーブユニット候補として認識される。本例では、操作者は、マスター側アイコン７２２を表示画面７１４で選択することによりディスプレイユニット７０２をマスターユニットに指定することが前提とされている。
【０１３６】
続いて、ブロック７３６において、操作者によりプレゼンテーションユニット７０２がマスターユニット指定されると、マスター指定されたプレゼンテーションユニット７０２が会議スペースをワイヤレスポーリングして、会議スペース内の他のプレゼンテーションユニット７０４、７０６、７０８、７１０、７１２を識別する。プレゼンテーションユニット７０４、７０６、７０８、７１０、７１２が、各プレゼンテーションユニットに対して自ユニットがスレーブユニット候補であると名乗りを上げることを要求するポーリング信号を受信すると、プレゼンテーションユニット７０４、７０６、７０８、７１０、７１２は、それぞれ、スレーブユニットを一意のワイヤレスネットワークアドレスによって識別する情報パケットをマスターユニット７０２に送信し返す。例えば、上述の例示的アドレスによれば、プレゼンテーションユニット７０４は、一意のアドレス「５４４７８Ｂ１」を含む情報パケットを送信し、プレゼンテーションユニット７０６は、一意のアドレス「８９９０８Ｂ１」を含む情報パケットを送信する。マスターユニット７０２がスレーブユニット候補から返信された情報パケットを受信すると、マスターユニット７０２は、各スレーブユニット候補を識別して、一意の単純なる識別子を各スレーブユニットに関連付けして、コンフィギュレーションプロセスを支援する。
【０１３７】
この目的のため、本例においては、マスターユニット７０２は、５つの互いに独立なスレーブユニット７０４、７０６、７０８、７１０、７１２を識別して、単純な識別子１、２、３、４、５をそれらと関連付けする。
【０１３８】
図２５および図２６に示すように、ブロック７３８において、５つのスレーブユニットを識別した後で、マスターユニット７０２は、情報パケットを５つのスレーブユニット７０４、７０６、７０８、７１０、７１２それぞれに送信し返すとともに、単純な識別子ラベルをそれぞれに割り当てる。本例においては、識別子ラベルは、数字１、２、３、４、５を含み、これらは、スレーブユニット７０４、７０６、７０８、７１０、７１２にそれぞれ送信される。スレーブユニットが、単純な識別子ラベルを受信すると、スレーブユニットは、該ラベルをその表示画面に表示する。図２６では、表示された単純なラベルは、引用符号７５２、７５４、７５６、７５８および７６０で示されている。
【０１３９】
加えて、図２５および図２６に示すように、ブロック７３８において、マスターユニット７０２にはコンフィギュレーションインタフェースが設けられている。コンフィギュレーションインタフェースは、その上部近辺に「Ｍａｓｔｅｒ」ラベル７５０指定と、会議プロセスを支援するためにマスターユニット７０２とともに用いられる会議スペース内のスレーブユニットのサブセットを選択するためのインストラクション７８０と、単純なるラベル（例えば、７５２、７５４等）に対応したアイコンであってスレーブユニット７０４、７０６、７０８等にそれぞれ関連付けされたアイコンとを備えている。例えば、アイコン７６２は、ラベル７５２と関連付けされており、したがってスレーブユニット７０４と関連付けされている。同様に、アイコン７６６、７６８、７７０、７７２は、ラベル７５４、７５６、７５８および７６０と関連付けされており、したがって、スレーブユニット７０６、７０８、７１０、７１２とそれぞれ関連付けされていることになる。
【０１４０】
また、「Ｅｎｔｅｒ」アイコン７７４がマスターユニットの表示画面の底部付近に設けられている。ここで、インストラクション７８０に対応して、スレーブユニット７０４ないし７１２のサブセットは、アイコン７６２、７６６、７６８、７７０、７７２のサブセットを選択してＥｎｔｅｒアイコン７７４を選択することにより、選択することができる。例えば、スレーブユニット７０６、７０８、７１０を会議セッション中にマスターユニット７０２とともに用いるユニットとして選択するには、操作者は、アイコン７６６、７６８、７７０を選択して、さらにＥｎｔｅｒアイコン７７４を選択すればよい。スレーブユニットのサブセットの設定動作のための監視プロセスは、図２５のブロック７４０および７４２に該当する。
【０１４１】
Ｅｎｔｅｒアイコン７７４が選択されると、処理ブロック７４４において、マスターユニット７０２が、Ｍａｔｅｒラベル７５０指定を有する制御インタフェースを提供する。制御インタフェースには、マスター画像を選択されたスレーブユニットのサブセットへフリップするとともに、該画像をスレーブユニットの選択されたサブセットから読み出すためのアイコンが設けられている。この目的のため、図２７に示すように、マスターユニット７０２は、互いに独立なフリップ／読み出しアイコン７８２、７８４、７８６を選択されたスレーブユニット７０６、７０８、７１０からなるサブセットのそれぞれについて提供する。フリップ／読出しアイコン７８２、７８４および７８６は、同様の構成と動作を有しているので、説明の便宜上、アイコン７８４のみを詳細に説明するにとどめる。
【０１４２】
アイコン７８４は、フリップ矢印アイコン７６９および読み出し矢印アイコン７７１を備えている。フリップアイコン７６９が選択されると、マスター側表示画面に現在表示されている画像が、アイコン７８４と関連付けされたスレーブユニット７０８（すなわち、単純なラベル７５４と関連付けされたユニット７０８）へフリップされるか、あるいは送信される。同様に、読み出し矢印アイコン７７１が選択されると、スレーブユニット７０８に現在表示されている画像が、マスター側プレゼンテーションユニット７０２によって読み出しおよび表示される。終了（Ｅｎｄ）アイコン７８８は、現在の会議プロセスを終了するために設けられたアイコンである。
【０１４３】
このように、多用途電子ディスプレイ装置を、単体利用または組み合せ利用のために異なる態様により構築することができることが理解されるであろう。また、ディスプレイ装置がワイヤレス通信機能を有している場合には、コンフィギュレーションプロセスを効率化するソフトウェアを提供してもよい。
【０１４４】
図２９は、本発明のある実施形態の少なくとも幾つかの様相と適合的であるところのさらなるプレゼンテーションシステム８９０が図示されている。また、図２８に示すように、プレゼンテーションシステム８９０は、図２８を参照して説明した上述のプレゼンテーションシステム８００と類似の、第１のサブシステム９００と第２のサブシステム９０１を備えている。このように、サブシステム９００およびサブシステム９０１は、それぞれ、移動式マスタープレゼンテーションユニットと、第１のプロジェクタユニットと、第２のプロジェクタユニットと、表示画面と、ラックマウント式プロセッサと、ローカルエリアネットワークと、ワイヤレスアクセスポイントと、を備えているが、図２９においてはそのいずれも各別に付番されていない。
【０１４５】
図２８に図示された実施形態におけると同様に、各プロジェクタは、２つの互いに独立な画像を表示画面に映し出すように構成されている。例えば、図２９において、サブシステム９００のプロジェクタの一方が、互いに独立な第１の画像と第２の画像とを互いに独立な第１のスペース９０４と第２のスペース９０６とに映し出す。また、サブシステム９０１のプロジェクタの一方が、第１の画像と第２の画像とを第１のスペース９０３と第２のスペース９０５とにそれぞれ映し出すように構成されている。図２９において、上述のコンポーネントに加えて、複数のローカルエリアネットワークが広域ネットワーク（ＷＡＮ）９２０を介して接続されている。
【０１４６】
図２９に示すように、少なくとも幾つかのコンフィギュレーションにおいては、サブシステム９０１がサブシステム９００に対して遠隔地に所在していること、および、いずれの移動式プレゼンテーションユニットもマスタープレゼンテーションユニットとして用いることができること、が想定されている。また、少なくとも幾つかの用途において、システムユーザがマスタープレゼンテーションユニットのいずれかを用いてプレゼンテーションを実施する場合に、対応するサブシステムで生じるすべての動作が、他のサブシステムにおいて再現される。例えば、システムユーザがマスター側表示画面９０２上の情報を変更する場合、それらの変更内容は、遠隔地にあるリモートマスターユニットのプレゼンテーション画面９０７にほぼリアルタイムに再現される。
【０１４７】
加えて、システムユーザが、画像をマスター側プレゼンテーションスペース９０２からスレーブ側プレゼンテーションスペースのいずれか（例えば、９０４、９０６等）へフリップすると、フリップ動作がサブシステム９０１の側においても再現される。例えば、システムユーザがサブシステム９００の側で画像をスペース９０２からスペース９０４へフリップした場合には、サブシステム９０１の側でこれと同じ画像が、スペース９０７からスペース９０３へフリップされる。同様に、システムユーザが画像をスペース９０６から再度マスター側プレゼンテーションスペース９０２へ読み出しする場合には、サブシステム９０１の側でも、スペース９０５からの画像が再度マスター側のプレゼンテーションスペース９０７へ読み出される。
【０１４８】
加えて、マスター側プレゼンテーションスペース９０７における画像に変更をもたらす動作は、少なくとも幾つかの実施形態において、また、マスター側プレゼンテーションスペース９０２における同様の画像を自動的かつほぼリアルタイムに変更することになろう。同様に、プレゼンテーションスペース９０７による画像フリップおよび読み出しは、少なくとも幾つかの実施形態において、サブシステム９００において生じる同様の動作によって反映されるであろう。
【０１４９】
図３０は、本発明の一部の実施形態における少なくとも幾つかの様相と関連しているところの他の実施形態９５０を示す図である。図２８に示すように、プレゼンテーションシステム９５０は、移動式マスタープレゼンテーションユニット９５１と、表示画面９５３と、第１のプロジェクタ９６４と、第２のプロジェクタ９６６とを備えている点において、プレゼンテーションシステム８００と同様のものである。図２８に示された他のコンポーネントは、説明の便宜上、図３０には図示されていない。図３０のシステムと図２８のシステムとの主要な相違は、プレゼンテーションユニット９５１が、図３０に示すタテ表示（ポートレイト表示）から図３１に示すヨコ表示（ランドスケープ表示）へ、矢印９５７で示すごとく回転可能なフラットパネル型表示画面９５５を備えている点である。
【０１５０】
ここで、表示画面９５５がタテ方向からヨコ方向へ回転されると、少なくとも２つの変化が、少なくとも幾つかの実施形態において、自動的に発生する。第１に、映し出されたスレーブ画像の点数が表示画面９５５の向きに依存していることがある。この目的のため、少なくとも幾つかの実施形態において、表示画面９５５が図３０に示すようにタテ方向とされているときに、プロジェクタ９６４およびプロジェクタ９６６が、それぞれ、２つの互いに独立な隣接する画像を映し出すようにプログラムされている。例えば、図３０に示すように、プロジェクタ９６４は、第１の画像および第２の画像を、互いに隣接するスペース９５６および９５８内に映し出し、他方、プロジェクタ９６６は、第１の画像および第２の画像を、互いに隣接するスペース９６０および９６２内に映し出し、そして、映し出された画像はそれぞれ、タテ方向形式（ｐｏｒｔｒａｉｔ  ｆｏｒｍ）で映し出されている。
【０１５１】
図３１に示すように、表示画面９５５がヨコ方向に回転されると、プロジェクタを駆動するプロセッサが、自動的に再フォーマット化を行うようにプログラムされており、プロジェクタ９６４および９６６がそれぞれ、１つのヨコ方向画像のみを映し出すように構成されている。図３１において、プロジェクタ９６４は、第１のヨコ方向画像をヨコ方向スペース９８０に映し出し、プロジェクタ９６６は、第２の画像をヨコ方向スペース９８２に映し出す。
【０１５２】
第２に、表示画面９５５がタテ方向からヨコ方向へ回転されると、表示画面９５５に提示されたコントロールアイコン９５４は、まず、表示画面９５５の閲覧部分内でより良い方向に向けられるように、スレーブプレゼンテーションスペースに生じた変化に対応するように変更される。この目的のため、図示されたように、４つのスレーブ側スペース選択アイコンが図３０図示されている一方で、スレーブ側スペース選択アイコンは２つのみが図３１に図示されており、これは、スレーブ側スペース９８０および９８２にそれぞれ対応した、互いに独立なスレーブ側スペース選択アイコンである。
【０１５３】
前述の記載から、本発明の新規なコンセプトの趣旨と範囲とを逸脱しないかぎりにおいて多数の変更が実行可能であることが理解されよう。また、本開示が、本発明の例示を提供することを意図したものであって、ここに記載された具体的な実施形態に本発明が限定される趣旨のものではないことも理解できるであろう。例えば、マスタープレゼンテーションユニット２８は、単純に、カメラを備えた従来のホワイトボードであって、画像がマスターユニットからスレーブユニットのいずれかへフリップされたときに、カメラがマスターユニットを介して提示された画像の静止画像を撮影し、その画像をプレゼンテーションのため選択されたスレーブユニットへ送信するようなものであってもよい。
【０１５４】
加えて、ここに記載されたすべてのプレゼンテーションユニットは、プレゼンテーションユニットを、壁部に取り付けられたレールに取り付けるための取付部材を備えているところであるが、以下のことが理解されるであろう、すなわち、プレゼンテーションユニット用の他のタイプの支持構造であってもよく、例えば、マスタープレゼンテーションユニット２８は、イーゼル型組立体によって支持されてもよく、あるいは、カート据付型組立体とされてもよい。このようなカートは、施設内でのユニットの移動が容易となるようにキャスターを備えている。
【０１５５】
さらに、シンプルなイレーザとプリンタとが上述のとおり記載されているものの、本発明の様々な実施形態とともに用いることができるかぎりにおいて、様々なタイプのプリンタとイレーザとが用いられてもよい。例えば、一部の場合においては、スレーブ側プレゼンテーション面は、剛体のホワイトボード部材で構成されてもよいし、上述のプリンタは、プレゼンテーション面に沿ってまたはそれに対して移動するプロッターとして構成されてもよく（すなわち、剛体ホワイトボードは、実際には、プロッターに対して相対的な移動を行うことになる）、そして、イレーザは、プレゼンテーション面に支持されて画像をプレゼンテーション面上に提示するとともに画像をそこから消去するために同様な仕方でプレゼンテーション面上を移動するように構成されてもよい。
【０１５６】
さらに、スレーブプレゼンテーションユニットとマスタープレゼンテーションユニットとは、ともに、恒久的な壁部取付構造やイーゼル型支持構造（図２４、２６および２７参照）を含む任意の態様にて支持されており、移動用キャスター、天井取付構造、ユニットを仕切り壁部に固定する構造などを適宜備えている。
【０１５７】
ここに記載されたシステムはスレーブユニットを２基のみ備えたものであるものの、一部のシステムは、３基またはそれ以上のスレーブユニットを備えることができる。加えて、一部のシステムは、２以上のタイプのスレーブユニットを備えてもよい。例えば、図１１および図１２に示すように、スレーブユニット２３２のようなプリンタ型スレーブユニットを図１２のシステム２５１に追加することができ、該システムがプリンタ２３２とともにフラットパネルユニット２５２ａ、２５２ｂを備えることができるようになっている。この他のスレーブユニットのコンビネーションも観念することができる。
【０１５８】
少なくとも幾つかの場合において、画像をどのプレゼンテーションユニットからも編集することができ、どのプレゼンテーションユニットからもフリップすることができ、どのプレゼンテーションユニットへでも読み出すことができるように、すべてのシステムユニット（例えば、マスターユニットおよびスレーブユニット）は、同一の構成と機能とを有してもよい。このように、例えば、マスタープレゼンテーションユニット２８と同様の３つのプレゼンテーションユニットによってプレゼンテーションシステムが構成されている場合には、操作者は、プレゼンテーションユニット間を移動してより強化された共同作業環境において編集、フリップおよび読み出し操作を行うことができる。
【０１５９】
加えて、一基のレール４０のみからなるシンプルなコンフィギュレーションが前述のとおり記載したが、本発明は、これとは異なる多くのタイプのレール構成であってもよい。例えば、フック相互連結型（ｈｏｏｋ  ｔｏ  ｈｏｏｋ  ｔｙｐｅ）レール、マスターユニットとスレーブユニットとの取付可能なホイールを収容することができるレール、その端部を介してのみ取り付け可能とされているレール（例えば、レールが、上下方向の動きによる取り付けられた装置の離脱を制限するなど。これは、プレゼンテーションユニットが相対的に高価である場合には特に重要である）およびその他のシステムユニットをレール部材４０により効果的に固定することができる固定構造が設けられたプレゼンテーションユニットなどであってもよい。
【０１６０】
図２８に示すように、上述のコンポーネントに加えて、進歩的なシステムのいずれかが、ミーティング参加者がミーティング間において利用することができるようにまたはミーティング後各自持ち帰ることができるように、あるいは、ドキュメントをシステムによる閲覧と編集のためにクイックスキャンすることができるように、表示された画像の写しを印刷するための標準サイズのプリンタ／スキャナ（例えば、８．５×１１サイズ、リーガルサイズなど）を備えてもよい。
【０１６１】
さらに、図１および図２２に示すように、少なくとも幾つかの場合において、マスターユニット２８およびスレーブユニット２２１、２２ｂのいずれかまたはそのすべてが、ラップトップコンピュータまたはパーソナルコンピュータを使ってマスターユニットおよびスレーブユニットならびにそこに提示された画像を制御する、司会者から遠隔した位置７９８に配置されてもよい。
【０１６２】
例えば、シカゴにいる司会者が、シカゴで設置されているプレゼンテーションユニット８００の表示画面上でマークを施す場合、該マークは、ニューヨークの会議室に設置されているマスタープレゼンテーションユニット２８（図１参照）に直ちに提供される。ここで、マスター画像の第１のスレーブユニット２２ａへのフリップをユーザが指示した場合、ニューヨーク側の画像が、ニューヨーク設置の第１のスレーブユニット２２ａへフリップされる。同様に、ニューヨーク設置のスレーブユニットからの画像がマスタープレゼンテーションユニット２８によって読み出されて、シカゴ側で入力された命令によって編集される。上述した場合においては、図２２に示すように、リモートコントロールユニット２００（図１０ａ参照）が、ネットワークリンク８１０（例えばインターネット）を介してマスタープレゼンテーションユニット２８と通信を行い、ニューヨーク側のプレゼンテーションを進行させる。
【０１６３】
場合によっては、司会者がリモートプレゼンテーションをフォローすることができるように、プレゼンテーションユニット８００は、マスターユニットおよびスレーブユニットの各画像の表示画面を有してもよい。この目的を達成するため、図２２の表示画面８１２は、マスターユニット画像ボックス８１４と、第１のスレーブユニット画像サムネイルスケッチ８１６と、第２のスレーブユニット画像サムネイルスケッチ８１８とを備えている。
【０１６４】
この場合、フリップおよび読出しは、画像をボックス、サムネイルスケッチからドラッグするのと同様にシンプルに行うことができる。例えば、第１のスレーブユニット２２ａへフリップするには、司会者は、ボックス８１４内のマスター画像をサムネイル８１６にドラッグするだけでよい。同様に、第２のスレーブユニット画像を読み出すのであれば、ユーザは、第２のスレーブユニットサムネイル８１８をマスター側ボックス８１４へドラッグするだけでよい。この機能をプレゼンテーションユニット８００とともに用いる（すなわち、プレゼンテーションユニットと同一のスペース内に配置されたプレゼンテーションユニット８００とともに用いる）ことで、マスター画像およびスレーブ画像をローカルで制御することができる。
【０１６５】
場合によっては、マスタープレゼンテーションユニット２８と、スレーブユニット２２ａおよび２２ｂからなるサブセットとは、シカゴに所在しており、他方、１以上のスレーブユニットは、シカゴから離れた場所、例えばニューヨークに所在していてもよい。ここで、司会者は、上述したと同様の態様にて、異なるスレーブユニットへのフリップ処理を制御することができる。
【０１６６】
加えて、図２４に示すように、少なくとも幾つかの場合においては、手持ち型インタフェース装置７３１が、マスターユニットおよびスレーブユニットを指定するために備えられている。この目的のため、インタフェース装置７３１は、プレゼンテーションユニット７０２、７０４、７０６、７０８、７１０、７１２をワイヤレスポーリングしてマスターユニットおよびスレーブユニット候補を認識して、表示画面７３３に選択可能なアイコンを提示するようにプログラムされている。ここで、マスターユニットとスレーブユニットのサブセットとが選択されると、インタフェース装置７３１は、ユニット指定情報を、対応するプレゼンテーションユニット７０２、７０４等へ送信する。これにより、マスターユニットからの画像フリップ／読出しまたはマスターユニットへの画像フリップ／読出しを支援する適切なコンフィギュレーションを構築することができる。構築後、制御インタフェースツールが、マスターユニットまたはインタフェース装置７３１の少なくとも一方によって提供される。
【０１６７】
さらに、図２４のプレゼンテーションシステムはワイヤレス通信を想定して記載されているものの、少なくとも幾つかの場合において、通信はハードワイヤ接続による有線通信であってもよい。
【０１６８】
さらに、図２４ないし図２７に関して説明した上述のプロセスを支援するためのコンフィギュレーションは、ロールダウン型または投影型といった他の型式のプレゼンテーションユニットとともに用いられることができ、そして、図２５のすべてのステップの実装を必須とするものではない。例えば、マスターユニットをあらかじめ指定してもよく、あるいは、他の型式のユニットとともに用いられている場合に１つの型式のプレゼンテーションユニットを常にマスターユニットとすることも可能である。例えば、１つのプレゼンテーションユニットが電子フラットパネルタッチスクリーンであり、他のプレゼンテーションユニットがロールダウン型である場合には、タッチスクリーンユニットを常にマスターユニットとして用いて、会議中に会議室内の他のプレゼンテーションユニットをポーリングするように構成してもよい。
【０１６９】
次に、複数の進歩的な特徴を有する一例としてのインタフェースが、図２９に図示したシステム８９０との関連において説明される。ここでは、プレゼンテーション担当者（司会者）が、マスターユニット９０２を用いて、情報を会議室内の会議参加者に対して提示する。また、会議室には、第１のサブシステム９００を構成するコンポーネントが備えられており、第２のサブシステム９０１を構成するコンポーネントを備えたリモートカンファレンス室内の別グループまたは参加者に対しても情報が提示される。少なくとも幾つかの会議参加者は、パーソナルインタフェース装置を所持および使用しているのであるが、かかる装置は、例えば、会議に参加するためのラップトップコンピュータ９１１、９１３、９１５等である。
【０１７０】
ラップトップパソコン９１１、９１３は、図２９に示すように、ＬＡＮ経由で第１のサブシステム９００に接続され、ラップトップパソコン９１５は、ＷＡＮ９２０経由で第１のサブシステム９００に接続されている。図示された実施形態においては、ラップトップパソコン９１１、９１３は、第１のサブシステム９００を備えた会議スペース内で使用され、ラップトップパソコンのユーザが、ラップトップ表示画面と、マスターユニット９０２に提示された画像と、あるいは、スレーブプレゼンテーションスペース９６９に提示されたスレーブ画像（例えば、９０４、９０６等）とを閲覧可能となるようにされている。同様に、１以上のラップトップパソコンが第２のサブサブシステム９０１と関連付けされた会議スペース内において用いられている。加えて、図示された実施形態において、ラップトップパソコン９１５は、会議活動への一時的接続、監視および参加を行うため遠隔的に使用されるものである。以下において、特に断らないかぎり、ラップトップパソコン９１１、９１３、９１５等を「パーソナルインタフェース装置」と表示することにする。
【０１７１】
図２９、図３２および図３３に示すように、本例においては、プレゼンテーションの間のある時点において、スクリーンショット１０００と整合的な特性を有し、司会者が４つの画像１０２２、１０２４、１０２６、１０２８のインスタンスをスレーブ側プレゼンテーション面９６９上に表示させるためのインタフェースが、マスターユニット９０２によって司会者に提供されることを前提としている。このように、第１のサブシステム９００を備えた会議室内の会議参加者は、マスターユニット９０２に提示された画像を閲覧することができるとともに、図３３の４つの画像のそれぞれを閲覧することができる。
【０１７２】
図２９、図３２および図３３に示すように、少なくとも幾つかの実施形態において、同様のプレゼンテーション性能を有する２つのサブシステムすなわち第１のサブシステム９００および第２のサブシステム９０１が接続され、サブシステムの１つ（例えば、第１のサブシステム９００）によって提示された画像のすべてが、他のサブシステム（例えば、第２のサブシステム９０１）のコンポーネントによって繰り返されまたは再提示される。このように、例えば、図３２および図３３に示す画像がマスターユニット９０２およびスペース９６９によって提示される場合には、５つの同一の画像がプレゼンテーションユニット９０７とスレーブプレゼンテーションスペース９７１とによって同時に提示される。
【０１７３】
同様に、少なくとも幾つかの実施形態において、第１のサブシステム９００のコンポーネントによって実行される何らかの動作が、第２のサブシステム９０１のコンポーネントによってほぼリアルタイムで繰り返されて、第１のサブシステム９００および第２のサブシステム９０１に関連付けされた互いに独立した会議スペース内の出席者が、同時に画像動作を見ることができるようになっている。したがって、例えば、「２」を付番されたスペース９６９のサブスペースに表示された画像が変更される場合には、「２」を付番されたスペース９７１のサブスペースに表示された画像も同様に変更されて、どのような画像が第１のサブシステム９００に表示されていても、第２のサブシステム９０１によって同様に提示されることになる。別の例としては、マスターユニット９０２に提示された画像が変更された場合には、プレゼンテーションユニット９０７に提示された同様の画像もまた同様な態様にて変更されることになる。
【０１７４】
インタフェーススクリーンショット１０００は、図３２に示すように、アスペクトレイシオ１６×９の表示画面による表示に適したフォーマットで示されているが、そこにおいて、表示画面は、タテ１６が垂直かつヨコ９が水平であるタテ方向（ｐｏｒｔｒａｉｔ  ｏｒｉｅｎｔａｔｉｏｎ）である。図示したごとく１６×９サイズのスクリーンがタテ方向に配置されていれば、少なくとも幾つかの実施形態において、一例としてのスクリーンショット１０００は、スクリーンショット１０００の上端に沿って設けられたツール領域１００２と、ツール領域１００２の下側に設けられたワークスペース領域１００４とを備えている。
【０１７５】
図３２に示す一般的な１６：９のタテ方向レイアウトについていえば、多数の会議参加者にとり慣用的なフォームファクタを維持するためには、典型的な機械式フリップチャートパッドまたは典型的なパーソナルコンピュータスクリーンの寸法と同様の寸法を有するワークスペース領域１００４を設けることが有利であることが認識されている。典型的なフリップチャートパッドは、概して幅２×高さ３のアスペクトレイシオを有しているが、パーソナルコンピュータ表示画面は典型的にはおよそ幅４×高さ３のアスペクトレイシオを有している。
【０１７６】
ここで、少なくとも幾つかの実施形態において、マスターユニットが図３２に示すタテヨコ方向とされている場合には、ワークスペース領域１００４は、２：３のアスペクトレイシオ（例えば、幅２×高さ３）であり、残りのスペースはツール領域１００４のためのスペースとなる。以下に詳述するが、マスターユニットが図４０に示すヨコ方向（ｌａｎｄｓｃａｐｅ  ｏｒｉｅｎｔａｔｉｏｎ）であれば、ワークスペース領域１２１６は４：３のアスペクトレイシオ（すなわち、幅４×高さ３）であり、残りのスペースはツール領域１２０２のためのスペースとなる。
【０１７７】
図３２に示すように、アスペクトレイシオ１６：９とされたスクリーンによって、ツール領域をスクリーンの上端または、少なくとも幾つかの実施形態において、下端（図示せず）に沿って設けることにより、最小サイズであるアスペクトレイシオ２：３（すなわち、幅２×高さ３）にフォーマットされることができる。ここで、２：３フォーマットのワークスペース領域１００４を提供するのであれば、１８：５フォーマットのツール領域１００２を構成することができる。
【０１７８】
１８：５のツール領域フォーマットが選択されたのは、この比が一般的には、１６：９表示画面を用いて実現可能な最大の２：３ワークスペース領域１００４に適合することが主要な理由である。ここで、ワークスペース領域１００４が２：３から３：４までの範囲の寸法とされるべきであるという一般的に教示されているところと整合的であろう他のスクリーンレイアウトも想定されていることに留意すべきである。この目的のため、図３２に示すように、別の実施形態において、ツール領域１００２をスクリーンの上端に沿って設ける代わりに、ツール領域１００２を底縁に沿って設けることも可能である。
【０１７９】
同様に、ツール領域１００２は、スクリーンの上部および底縁に沿って配置された第１および第２の相互に独立なツール領域に分割されることがでる。その場合、各ツール領域は、３６：５のアスペクトレイシオまたは、両者あわせて１８：５の比となるようなアスペクトレイシオとなる。さらに他の実施形態において、ワークスペース領域１００４は、望ましい２：３ないし３：４のアスペクトレイシオを有しつつ、１６：９スクリーンで可能な最大サイズよりも小さくすることもできる。アスペクトレイシオ４：３の表示画面であって、タテ方向表示されたものおよびヨコ方向表示されたもの、および、アスペクトレイシオ１６：９の表示画面であってヨコ方向表示されたものに該当する他の一例としてのスクリーンショットが、以下、図４０、図４２および図４３を参照して説明される。
【０１８０】
ツール領域１００２は、図３２に示す引用符号が示唆しているように、マスターユニット９０２によってスレーブプレゼンテーションスペース９６９上に表示された情報を司会者が変更するために選択する複数のオンスクリーンアイコンを備えている。オンスクリーンアイコンは、例えば、タッチ、スタイラス、マウスで制御されたポインタアイコンの動きとそれによる起動、トラックボールなど、複数の異なる方法にしたがって選択可能である。説明の便宜上、特に断りのないかぎり、マスターユニット９０２は、表示画面上の位置がどの時点でタッチされたか、そして、タッチ動作がどの位置で行われたかを識別するためのセンサを備えていることを前提として説明する。
【０１８１】
図３４は、少なくとも幾つかの進歩的な実施形態に係る、図２９に示すパーソナルインタフェース装置９１１、９１３、９１５等のいずれかを使用しているユーザに対して提示されうる一例としてのスクリーンショット１０３０を示す図である。また、図３２および図３３に示すように、図３４に示すリモートユーザに対して提示された情報は、第１のサブシステム９００を備えた会議スペース内にいる会議参加者に対して提示されたすべての情報を含むものである。したがって、図３４に示すように、一例としてのスクリーンショット１０３０には、マスターユニット９０２に現在表示されている画像およびスペース９６９に提示されたスレーブ画像１０２２、１０２４、１０２６、１０２８のそれぞれに対応した互いに独立なウィンドウである５つのウィンドウが含まれている。ウィンドウ１０３２は、図３４に示すように、マスターユニット９０２に表示された画像に対応し、そして、ウィンドウ１０３４、１０３６、１０３８、１０４０は、図３３に示すように、スレーブ画像１０２２、１０２４、１０２６、１０２８にそれぞれ対応している。
【０１８２】
図３２および３４図（より具体的には図３４のウィンドウ１０３２）に示すように、ツール領域１００２とワークスペース領域１００４とを備えたスクリーンショット１０００と同様に、マスターユニット９０２に対応しているウィンドウ１０３２は、ツール領域１０３１と、領域１００２、１００４と同様の態様で配置されたワークスペース領域１０３３とを備えている。図示されているように、ツール領域１０３１は、図３２に示すツールアイコン群にもれなく対応しているところのスクリーン上で選択可能なアイコン群を備えている。
【０１８３】
少なくとも幾つかの進歩的な実施形態において、画像情報を修正することができるマスターユニット９０２を使用している司会者に加えて、いずれの会議出席者も、画像情報をワークスペースの一部分１０３３にて修正することがでる。画像がワークスペースの一部分１０３３で修正されると、その修正内容が、ほぼリアルタイムでマスターユニット９０２に提示された画像を修正するために用いられ、したがって、マスターユニット画像を反復表示したすべての画像を修正するために用いられる。つまり、少なくとも幾つかの実施形態において、すべての出席者または出席者の一部が、マスターユニット９０２を使用する司会者と同一の画像操作機能を実行することができるのである。
【０１８４】
同様に、少なくとも幾つかの実施形態において、パーソナルインタフェース装置９１１、９１３、９１５等を用いるいずれの出席者も、ツール領域１０３１のツールを用いて、マスターユニット９０２を使用している司会者が用いているのと同様の方法にしたがって、どの画像をスクリーンウィンドウ１０３２、１０３４、１０３６、１０３８、１０４０に表示すべきかを変更することができる。このように、例えば、パーソナルインタフェース装置９１１を使用している出席者は、本例においては、ツール領域１０３１のツールを用いて、新しい画像をウィンドウ１０３６内に移動させることができる。これをうけて、同一の新しい画像が、スレーブ画像の１つとして、プレゼンテーションスペース９６９上に表示されることになる（図２９参照）。
【０１８５】
図３５は、一例としてのツール領域１００２を示す図である。ツール領域１００２は、第１のツールセクション１０５２と、ターゲットセクション１０５４と、パネルセクション１０５６と、ソースセクション１０５８と、第２のツールセクション１０６０とを備えている。ラベルが示唆するように、ツールセクション１０５２およびツールセクション１０６０は、対応するワークスペースセクション内に表示された画像を修正するために用いる異なるタイプのツールに対応した、スクリーン上で選択可能なアイコンを備えている（図３２の１００４参照）とともに、あわせて以下に説明する他のタイプのアイコンも備えている。第１のツールセクション１０５２は、イレーザアイコン１０６２と、ポインタアイコン１０６４と、ペンアイコン１０７０と、ドロップダウン矢印アイコン１０６８と、「現在の設定」インジケータ１０６６とを備えている。
【０１８６】
ペンアイコン１０７０を選択すると、マスターユニット９０２とともに用いられるメカニカルスタイラスまたは電子スタイラス装置を、表示された画像に情報を追加するためのペンとして用いることをマスターユニット９０２に対して指示することができる。ペンアイコン１０７０が選択されると、ワークスペース領域１００４内の画像にマーキングを施すためメカニカルスタイラスまたは電子スタイラスが利用可能になる。
【０１８７】
イレーザアイコン１０６２は、選択することにより、メカニカルスタイラスを、マスターユニット表示画面から上方を除去するためのイレーザとみなすべきことを、マスターユニット９０２に指示することができるアイコンである。イレーザアイコン１０６２が選択されると、メカニカルスタイラスの先端部がワークスペース領域１００４内においてスクリーン表面を移動することができるようになり、それにより、ペンツールによってそれまでに適用された情報を除去することができる。少なくとも幾つかの実施形態において、スタイラスに設けられたボタン（図示せず）を選択して該スタイラスをイレーザとして用いるべきことを示すようにしてもよい。スタイラスイレーザボタンが選択された状態でマスターユニットのセンサがスタイラス動作を感知すると、そのスタイラス動作は消し取り動作とみなされる。
【０１８８】
ポインタアイコン１０６４は、例えば、ワークスペース領域１００４内で情報を選択する、スクリーンアイコンを入力として用いるソフトウェアアプリケーションが実行されている場合にワークスペース領域１００４内のスクリーンアイコン上を選択する、選択された情報および／または非選択とされた情報を表示画面上で移動する、スクリーン情報を回転させる、スクリーン情報をサイズ変更する等の動作のために、マスターユニット９０２に対して、スタイラスをイレーザまたはペンとしてではなくポインティングデバイスとして用いるべきことを指示するために選択することができるアイコンである。
【０１８９】
アイコン１０６２、１０６４または１０７０のいずれかが選択されると、選択されたアイコンは、少なくとも幾つかの実施形態において、任意の方法にしたがって強調表示されて、そのアイコンが選択されたことが示される。例えば、ペンアイコン１０７０が選択されていないときには、ペンキャップが表示されてペン先が覆われるようになっている（図３２参照）。ペンアイコン１０７０が選択されると、キャップが消えてペンの先端部が露出した状態となる（図３５参照）。同様に、イレーザアイコン１０６２とポインタアイコン１０６４とが選択された場合には、所定の態様にて他と視覚的に区別して表示されるであろう。
【０１９０】
ドロップダウン矢印アイコン１０６８は、現在選択されたている任意のアイコン１０６２、１０６４または１０７０と関連付けされた１以上のドロップダウンメニューを開くために選択するアイコンである。したがって、例えば、ペンアイコン１０７０が選択された状態でアイコン１０６８が選択されると、ドロップダウンメニューが開いて、司会者がペン種類、線の太さ、線エフェクト（実線、点線など）を適宜選択することができる。別の例では、イレーザアイコン１０６２が選択された状態でアイコン１０６８が選択されると、ドロップダウンメニューが開いて、司会者が、イレーザの消し取り幅、どの情報をイレーザで消去するか等のイレーザ特性（例えば、特定のカラーマーキングのみを消去対象とするか等）を選択することができる。
【０１９１】
「現在の設定（ｃｕｒｒｅｎｔ  ｓｅｔｔｉｎｇｓ）」アイコン１０６６は、オンスクリーンインジケータであって、その名称が示唆するように、ペンカラー、線の太さ、線に対するエフェクト、または、イレーザの消し取り幅など、現在選択されているツールと関連付けされた現在の特性を表示するためのアイコンである。
【０１９２】
ソースセクション１０５８には、図３５に示すように、複数のアイコンが設けられ、これらのアイコンは、それぞれ、マスターユニットワークスペース領域１００４に提示可能な情報の異なるソースに対応している。図３５において、ソースアイコンは、１列４アイコンかつ３列構成とされた合計１２の互いに独立なアイコンである。図示されたアイコンは、３つの異なるタイプのアイコン、すなわち、コンピュータアイコン（例えば、１１０２）、１１０３等、映像アイコン（その１つを図３５の１１００で示す）、および、マスターユニット９０２と同様の別の装置に対応するイーゼルアイコン１０９８からなる。アイコン１１０２のような独立のコンピュータアイコンが提供されており、会議に一時的に接続するために用いられるパーソナルインタフェース装置９１１、９１３、９１５等にそれぞれ対応している。このように、例えば、図２９に対応して、独立のコンピュータソースアイコン１１０２が、パーソナルインタフェース装置９１１、９１３、９１５等について各別に設けられている。
【０１９３】
ここで、ある人物が会議に一時的に接続して出席者となると、本人情報が所定の方法（例えば、出席者から受信される、システムプロセッサによって自動的に取得される等）にしたがって取得されることを前提としている。また、本例においては、システムプロセッサが、出席者のイニシャルなどの一意の識別子を本人情報から抽出するものと仮定している。本例においては、出席者のイニシャルが、独立のコンピュータアイコンのそれぞれによって提供され、各特定のアイコンに関連付けされた出席者を容易に識別できるようになっている。例えば、図３５では、イニシャル「ＡＳＤ」が、コンピュータアイコン１１０２と関連付けされ、イニシャル「ＳＳＣ」が、アイコン１１０３と関連付けされて、アイコン１１０２および１１０３にそれぞれ関連付けされたインタフェース装置を用いて出席者の本人性が示されるようになっている。
【０１９４】
ここで、少なくとも幾つかの実施形態において、コンピュータアイコンのいずれか（例えば、１１０２）が選択されると、該選択されたアイコンと関連付けされたラップトップパソコンに現在表示されている情報が、マスターユニット９０２に同時に表示されることが想定されている。より具体的には、コンピュータアイコンのいずれかが選択されると、関連付けされたラップトップパソコンに対応したウィンドウがマスターユニットスクリーン上で開き、関連付けされたラップトップパソコンに現在表示されている情報が、マスターユニットに同時に表示される。
【０１９５】
例えば、図２９、図３５および図３６に示すように、パーソナルインタフェース装置９１１、９１３が、イニシャル「ＡＳＤ」および「ＳＳＣ」をそれぞれ有する会議参加者によって使用されており、かつ、その２人の出席者が、売り上げ情報を他の出席者と比較のために共有したいと考えているものと仮定している。ここで、各出席者（ＡＳＤ氏およびＳＳＣ氏）は、インタフェース装置ソフトウェアを使用して、提示されて専用ウィンドウ内で比較されるべき売り上げ情報にアクセスすることができ、そして、出席者のインタフェース装置（図３４参照）に備えられたツール領域１０３を用いて、アイコン（すなわち、アイコン１１０２またはアイコン１１０３）を特定のユーザに対応するスペース１０５８から選択することができ、さらに、情報を最大化（すなわち、インタフェース装置の全スクリーンを占めるように拡大）させて、売り上げ情報をマスターユニットスクリーンに提示することができる。
【０１９６】
図３６に示すように、上述したような動作によって、一例としてのウィンドウ１１７８およびウィンドウ１１８１が開かれて、売り上げ情報を出席者ＡＳＤ氏およびＳＳＣ氏に対して、画像１１７９および画像１１８３としてそれぞれ表示させる。コンピュータアイコン１１０２が選択される（すなわち、ワークスペース領域１０３２へのダブルクリック・ドラッグなど）と、図３６に示すように、ウィンドウ１１７８が開いて、その中に、コンピュータアイコン１１０２と関連付けされたインタフェース装置に現在表示されている画像に対応した画像１１７９が表示される。
【０１９７】
図３６では、ユーザＡＳＤ氏が、四半期に２度のペースで集計される業績が示されたウィンドウを、彼女のラップトップコンピュータ上で最大化しており、これに対して、ウィンドウ１１７８が、四半期に２度のペースで集計される業績のみを表示していることを前提としている。同様に、コンピュータアイコン１１０３が選択されると、ウィンドウ１１８１が開いて、コンピュータアイコン１１０３と関連付けされたインタフェース装置に現在表示されている画像に対応した画像１１８３が表示される。このように、複数ソースに対応した複数ウィンドウを、マスターユニット９０２によってワークスペース領域１００４内に開くことができる。
【０１９８】
図２９および図３６に示すように、ワークスペース領域１００４に表示されるウィンドウ１１７８およびウィンドウ１１８１を含む情報を「移動」することができ、そして、スレーブ用プロジェクタユニット（すなわち、スペース９６９に映写するユニット）によって表示することができるので、複数のパーソナルコンピュータ装置の「ライブビュー」（すなわち、パーソナルコンピュータ装置９１１、９１３、９１５等によって現在表示されている情報）を、スペース９６９に映し出された複数のスレーブ画像上に表示することが可能となる。例えば、図３６において、マスターユニットのユーザは、ウィンドウ１１７８およびウィンドウ１１８１のサイズを拡大することができ（すなわち、ウィンドウのコーナー部分をドラッグする等）、ウィンドウ１１７８およびウィンドウ１１８１がワークスペース領域１００４の上半分および下半分をそれぞれ占めるように、両ウィンドウを移動することができる（例えば、ウィンドウを移動するために、上側のウィンドウバーを別の場所にドラッグする等）。さらに、ウィンドウ１１７８およびウィンドウ１１８１を含む画像をスレーブ側スペース９０４に移動することができる。
【０１９９】
次に、マスターユニットのユーザは、２つの追加的なコンピュータアイコンをソースセクション１１５８（図３５参照）から選択して、２つの他のパーソナルコンピュータ装置（例えば、９１１、９１３、９１５等）に現在表示されている売り上げ業績を表示させることができ、これにより、２つの他のウィンドウをワークスペース領域１００４内に開くことができる。新しく開かれたウィンドウがそれぞれワークスペース領域１００４の上半分を占めるようにサイズ変更された後で、ユーザは、新ウィンドウを含む画像を図２９のスレーブ側スペース９０６へ移動することができる。このプロセスは、複数回反復することができ、それにより、複数のライブウィンドウをスペース９６９に表示させることができる。
【０２００】
少なくとも幾つかの実施形態において、ソースセクション１０５８内のアイコンは、メカニカルスタイラスの先端でアイコンにタッチすることで、そして、そのアイコンをワークスペース領域１００４内にドラッグすることで選択することができる。他の場合において、ソースセクション１０５８内のアイコンは、スタイラスの先端でアイコンを１回または２回タップすることで選択することができる。開いているウィンドウ（例えば１１７８）を閉じるため、各ウィンドウには、スクリーン上で選択可能な「閉じる」アイコン１１８５（１つだけ図示する）が設けられている。図示しないが、ウィンドウ１１７８、ウィンドウ１１８１等のサイズは、例えば、図３６のウィンドウ１１７８およびウィンドウ１１８１が、ワークスペース領域１００４の上半分および下半分を占めるように、少なくとも幾つかの実施形態において、サイズ変更することができる。
【０２０１】
ウィンドウ（例えば１１７８、１１８１）がワークスペース領域１００４において開かれると、ペンアイコン１０７０を用いて、ウィンドウ画像上およびウィンドウ相互の間、およびワークスペース領域１００４内の他のスペースを含め、ワークスペース領域１００４内の任意の場所にマークを施すことができる。例えば、図３６では、ウィンドウ１１７８およびウィンドウ１１８１内の各情報の間の相違を強調表示するために、マーキング１１８７が、ワークスペース領域１００４内に表示された情報に付加されており、マーキング１１８７は、ウィンドウ１１７８およびウィンドウ１１８１の中とウィンドウどうしの間とに延在するように施されている。
【０２０２】
少なくとも幾つかの実施形態において、（ａ）ワークスペース領域１００４内に表示された画像がウィンドウ１１７８、１１８１等を含んでおり、かつ、（ｂ）該画像が、別の画像がワークスペース領域１００４内に表示または作成されることができるように、最小化されている（すなわち、該画像はワークスペース領域１００４から除去されているが、しかしながらパネルセクション１０５６内のパネルアイコンとして依然として視認されている）場合には、開いているウィンドウは、最小化された画像と関連付けされたままである。
【０２０３】
その最小化された画像が再度最大化される（すなわち、ワークスペース領域１００４に表示される）場合には、ウィンドウが再度提示される。同様に、ウィンドウを含む画像が保存されると、そのウィンドウ情報が画像とともに保存され、画像が再アクセスされると、ウィンドウも再提示される。要するに、これらの実施形態において、ワークスペース領域１００４に提示されたすべての情報は、最小化された後および／または後続するアクセスのために保存された後も引き続き維持されるのである。
【０２０４】
図３６に示すように、停止アイコン１１９７および再開アイコン１１９９は、パーソナルコンピュータ装置のいずれかと関連付けされた各ウィンドウ１１７８、１１８１等の上部に、アイコン（例えば、１１５８）と隣接して設けられている。停止アイコン１１９７を選択することで、対応するウィンドウに表示された情報をフリーズさせることができる。例えば、停止アイコン１１９７が選択されると、ウィンドウ１１７８に現在表示されている情報は、どの情報がウィンドウ１１７８と関連付けされたパーソナルコンピュータ装置を介して表示されているかを問わず、維持される。停止アイコン１１９７が選択された後で、ウィンドウ１１７８と関連付けされたパーソナルコンピュータ装置に現在表示されている情報を反映させるためにウィンドウ１１７８を更新するには、再開アイコン１１９９を選択すればよい。
【０２０５】
映像アイコン１１００は、少なくとも幾つかの進歩的な実施形態において、ＤＶＤプレーヤ、カメラ、テーププレーヤ、ハードドライブなどの映像ソースであって、司会者または出席者が会議中に用いることができるストリーミングビデオクリップを提供することができるものである。一の映像ソースに対応している映像アイコン１１００を選択すると、対応するビデオクリップがウィンドウに提供される。図３６において、映像ソースを示す映像アイコン１１００に対応した映像ウィンドウ１１８０がオープン状態で図示され、そして、ビデオクリップ画像１１９０と、ソース識別子情報１１８２と、「一時停止」アイコン１１８４、「再生」アイコン１１８６および「閉じる」アイコン１１８８が設けられたコントロールバーと、が備えられている。
【０２０６】
識別子情報１１８２は、映像のソースとしてのビデオ装置を制御する出席者を識別するイニシャルを提供する。映像ウィンドウ１１８０が開くと、少なくとも幾つかの実施形態において、ビデオクリップ画像１１９０が自動的に再生を開始する。ビデオクリップ画像１１９０は、アイコン１１８４を選択して一時停止させることができ、再生アイコン１１８６を選択すれば再開させることができる。また、映像ウィンドウ１１８０を閉じる場合には、「閉じる」アイコン１１８８を選択すればよい。少なくとも幾つかの実施形態において、ウィンドウ制御アイコン１１８４、１１８６、１１８８等を会議室制御システムに接続することができ、これによりウィンドウ動作（例えば、再生、一時停止など）を物理的に制御することができる。
【０２０７】
ここで、ウィンドウ１１７８およびウィンドウ１１８１の場合と同様に、少なくとも幾つかの実施形態において、映像ウィンドウ１１８０もワークスペース領域１００４内で移動および／または縮小することができる。加えて、映像ウィンドウ１１８０のような映像型式のウィンドウを同時に複数開くこともでき、複数ビデオクリップを一度に再生することができる。さらに、ペンツール１０７０を用いて、ビデオクリップ画像に、および／または、静止ビデオクリップ画像にマーキングを施すことができる。少なくとも幾つかの実施形態において、映像型式ウィンドウを含む画像が最小化され、および／または保存されると、ウィンドウも該画像に含まれ、画像がワークスペース領域１００４で再度アクセスされると画像とともに再提示される。
【０２０８】
イーゼルアイコン１０９８は、マスターユニット９０２と類似したインタフェースユニットと関連付けされている。図２９に示したプレゼンテーションユニット９０７は、マスターユニット９０２と同様の第２の大型インタフェース装置であり、そして、複数の異なる仕方で用いられることができるものである。
【０２０９】
第１に、プレゼンテーションユニット９０７は、実際に、マスターユニット９０２をシャドウイングするような仕方で用いることができ、上述したようにマスターユニット９０２によって表示される内容を精確に常時表示することができる。第２に、プレゼンテーションユニット９０７は、パーソナルインタフェース装置９１１、９１３、９１５等のいずれかと同様に独立して用いることができ、アプリケーションの実行および／または画像作成に用いることができる。この第２の場合において、プレゼンテーションユニット９０７は、インタフェース装置９１１、９１３、９１５等のようにソースとして用いることができ、これにより表示された画像は、マスターユニットのアイコン１０９８を選択することによりマスターユニット９０２側で複製させることができる。図示しないが、プレゼンテーションユニット数は、２基（プレゼンテーションユニット９０２および９０７）を超えてもよい。
【０２１０】
新しいソースを追加するには、ソースセクション１１５８のアイコンと空間的に関連付けされた「＋」アイコン１１０４を選択する。アイコン１１０４が選択されると、少なくとも幾つかの実施形態において、ウィンドウ（図示せず）が開いて、該ウィンドウを用いて、追加すべき新しいソースを同定することができる。一部の実施形態においては、新しいソースのユーザが、パーソナルインタフェース装置などを介して会議に参加したいと考えたとする。この場合、会議への参加を自動的に許可されることも、所定の方法によりまたはパスワード入力などにより現在の出席者によって許可されることも同様に観念することができる。いずれにせよ、新しいソースが追加されると、新しいソースのアイコンもソースセクション１０５８に追加される。インタフェース装置９１５を使用している出席者が会議への接続を切断するときなど、ソースが会議へアクセス不能とされる場合には、関連付けされたソースアイコンは、ソースセクション１０５８から削除される。
【０２１１】
パネルセクション１０５６は、図３５に示すように、プレゼンテーションの間、削除されずかつ閉じられなかった画像または新たに開かれた画像に対応する互いに独立なパネルアイコンが備えられている。図３５では、１２の独立なパネルアイコンが複数図示されている。各パネルアイコンは、数字１〜１２のいずれかを割り当てられている。各パネルアイコンは、パネルアイコンと関連付けされた画像のサムネイルスケッチである。本例においては、画像がパネルアイコン１、２、３、５のそれぞれと関連付けされる一方で、パネルアイコン４および６ないし１２については情報が関連付けされていない（すなわち、アイコン４および６ないし１２に対応して、何らの画像も含まないブランクページが作成される）。新しいブランクページを作成するには、パネルセクション１０５６と空間的に関連付けされた「＋」アイコン１０９４を選択すればよい。パネルアイコンを除去するには、そのパネルアイコンを選択してごみ箱アイコン１０７４に移動すればよい（この点については後に詳述することにする）。
【０２１２】
図２９および図３５に示すように、マスターユニット９０２に現在表示されている画像に対応しているパネルアイコンは、パネルセクション１０５６内の他のパネルアイコンに対して視覚的に区別されている。例えば、図３２および図３５では、パネルアイコン３に対応する画像がワークスペース領域１００４に表示されると、第３のパネルアイコンがパネルアイコン周囲の視覚的に区別されたボックス１０７９によって強調表示される。加えて、図３２に示すように、マスターユニットに現在表示されている画像に対応したパネルアイコンと関連付けされたアイコン番号が、表示された画像の一部として提示されている。例えば、図３２では、数字「３」は、ワークスペース領域１００４に表示された画像の右上隅に図示されている。
【０２１３】
少なくとも幾つかの実施形態において、図３５に示すごとくマスタープレゼンテーションユニット９０２に現在表示されている画像に対応するパネルアイコンを視覚的に区別することに加えて、インタフェースソフトウェアは、スレーブユニットに現在提示されているパネルアイコンを視覚的に区別する。この目的のため、図３５において、スレーブ用マーカー１０８２、１０８４、１０８６、１０８８は、現在表示されているスレーブ画像に対応した各パネルアイコンの上側に配置されている。図３３の記載に対応するように、スレーブ用マーカーは、１、２、３、５でラベリングされたパネルと関連付けされた各パネルアイコンの上部に設けられている。図示しないが、少なくとも幾つかの実施形態において、スレーブ用マーカー１０８２、１０８４、１０８６、１０８８にはスレーブ用マーカーが含まれているにもかかわらず、司会者および出席者がマーカー下方の情報を見ることができ、そして、一般的には、どのパネルがどのアイコンに対応しているのかを把握することができるように、少なくとも何らかの態様で半透明に視認可能とされている。
【０２１４】
図２９に示すように、少なくとも幾つかの実施形態において、２以上のサブシステム９００、９０１等が会議のため相互接続されている場合には、サブシステム９００、９０１等は、異なる点数のスレーブ画像を所定の時点において備えている（例えば、あるサブシステムが、別のサブシステムにけるよりも大きい数のスレーブ側ハードウェアを備えているということを意味する）。例えば、サブシステム９００が４つのスレーブ画像を表示しているのに対しサブシステム９０１が６のスレーブ画像または８のスレーブ画像等（図示せず）を表示するといった具合である。
【０２１５】
複数のサブシステムが互いに異なる点数のスレーブ画像を表示する場合には、少なくとも幾つかの実施形態において、共通に表示される画像に対応するパネルアイコンが、マスタープレゼンテーションユニット９０２によって視覚的に区別され、そして、独自に表示されたスレーブ画像（すなわち、一のサブシステムまたは複数のサブシステムからなるサブセットを介してのみ表示される画像）に対応したパネルアイコンが、異なる態様にて視覚的に区別される。この目的のため、図２９および図３５に示すように、本例においては、パネルアイコン１、２、３、５にそれぞれ対応する画像が、サブシステム９００およびサブシステム９０１のようなサブシステムにより共通表示され、他方、パネルアイコン７、８に対応する画像は、専らサブシステム９０１と関連付けされたプロジェクタ８９９によって表示される。ここで、共通表示されたパネルは、特定のタイプのマーカーによってマークが施され（マーカー１０８２、１０８４、１０８６、１０８８参照）、独自表示されたパネルは、異なるタイプの第２のマーカー（１０９０、１０９２参照）によってマーキングされる。
【０２１６】
図３３および図３５に示すように、少なくとも幾つかの実施形態において、スレーブ画像が表示されると、それと関連付けされたパネルアイコン番号に対応した画像ラベルが、各スレーブ画像の構成部分として提示される。例えば、図３５のパネル１、２、３、５をマーキングするとろのマーカー１０８２、１０８４、１０８６、１０８８に対応させて図示すると、図３３の画像１０２２、１０２４、１０２６、１０２８には、数字ラベル１、２、３、５がそれぞれ与えられている。
【０２１７】
表示されたスレーブ画像を変更するには、司会者または会議出席者は、マーカー１０８２、１０８４、１０８６、１０８８のいずれかを選択したうえで、マーカーをパネルセクション１０５６の別のパネルアイコンのいずれかに移動すればよい。したがって、例えば、司会者がマーカー１０８４をパネルアイコン２からパネルアイコン１０へ移動するのであれば、パネルアイコン１０に対応する画像が、プレゼンテーションスペース９６９内の図３３の画像１０２４によって占められたスペース内に表示される。ここで、表示された画像は、その右上隅にラベル「１０」が付されており、どの画像が現在表示されているのかが示されるようになっている。
【０２１８】
パネルアイコンおよび「＋」アイコン１０９４に加えて、少なくとも幾つかの実施形態において、「Ｓｅｓｓｉｏｎ」アイコン１０９１がパネルセクション１０５６に設けられている。「Ｓｅｓｓｉｏｎ」アイコン１０９１は、パネルセクション１０５６内のパネルアイコンと関連付けされたすべての画像に対応するアイコンである。
【０２１９】
第２のツールセクション１０６０は、図３５に示すように、保存アイコン１１０８と、設定アイコン１１１０と、ズームアイコン１１０６とを備えている。少なくとも幾つかの実施形態においては、マスターユニット９０２によって生成された画像を個別に保存する必要がある。ここで、例えば、マスターユニット９０２に現在表示されている画像を保存するには、アイコン１１０８を選択すればよい。保存アイコン１１０８を選択すると、少なくとも幾つかの実施形態において、セッション中の画像を保存する「保存」アイコン、他の画像を開く「開く」アイコン、画像を保存せずにセッションを終了する「閉じる」アイコン、および、セッション画像を印刷する「印刷」アイコン等、スクリーン上で選択可能な複数のアイコンが設けられたメニューが開かれる。
【０２２０】
他の実施形態において、保存アイコン１１０８が選択されると、パネルセクション１０５６内のパネルアイコンのいずれかと現在対応しているすべての画像が、セッションデータベースの一部として保存され、セッションデータベースが後にアクセスされるとすべてのパネルが再提示されるようになっており、そして、実際に会議が中断されたところから会議を再開することができる。さらに他の実施形態において、Ｓｅｓｓｉｏｎアイコン１０９１を選択すれば、すべてのセッション画像を保存するために、画像をアイコン１１０８にドラッグすることができる、あるいは、アイコン１１０８と関連付けすることができる。
【０２２１】
設定アイコン１１１０は、マスターユニット９０２がハイバネーションモードへ移行するまでの時間の設定、メカニカルスタイラスの動作の態様（例えば、１回または２回のタップ動作など）、キーボードまたはマウス入力装置の動作の態様など、現在のセッションの設定を変更するためのツールにアクセスするために選択するアイコンである。
【０２２２】
ズームアイコン１１０６は、その名称が示唆するように、ワークスペース領域１００４に現在表示されている情報のサイズを変更するためのアイコンである。この目的のため、ズームアイコン１１０６は、選択可能なプラス端部とマイナス端部と、スライドボタンインジケータとを備えている。ズームアイコン１１０６のマイナス端部を選択すると、ワークスペース領域１００４に現在表示されている画像のサイズが縮小され、プラス端部を選択すると、表示された画像のサイズが拡大される。この目的のため、図３７に示すように、パネルアイコン３に対応する初期画像１１５６が、破線を施されたボックス１１５８の中に縮小サイズで示されており、該破線ボックス１１５８は、追加的な情報が追加できるようにワークスペース領域１００４のうちスペース１１５７の部分を開放する。
【０２２３】
図３７では、追加的な情報１１６０が、ペンツール１０７０によって追加されている。図示しないが、画像が拡大された結果大きくなりすぎてワークスペース領域１００４内に納まらない場合には、左右スクロールおよび上下スクロールのためにスクロールアイコンを設けることにより、画像の異なる部分にアクセスすることができる。他の場合において、表示された領域を超えて画像が拡大されないように、ワークスペース領域１００４内での画像の拡大を制限してもよく、その場合には、スクロールバーおよび／またはツールを不要とすることができる。
【０２２４】
ターゲットスペース１０５４は、図３５に示すように、封筒アイコン１０７２と、プリンタアイコン１０７６と、ごみ箱アイコン１０７４とを備えている。封筒アイコン１０７２は、電子メール機能に対応しているアイコンである。パネルセクション１０５６内のパネルアイコンが封筒アイコン１０７２と関連付けされると、そのパネルアイコンと関連付けされた画像が、所定の相手先にメール送信される。
【０２２５】
例えば、少なくとも幾つかの実施形態において、司会者が、パネルセクション１０５６内のパネルアイコン１を選択してそのパネルアイコンを封筒アイコン１０７２にドラッグすると、マスターユニットソフトウェアが関連付けされた画像のメール送信先人物の電子メールアドレスを要求する。他の実施形態において、パネルアイコンが封筒アイコン１０７２と関連付けされると、その関連付けされた画像は、ソースセクション１０５８内のアイコンに対応するソースのいずれかと関連付けされた出席者など、登録された会議出席者のそれぞれに自動的にメール送信される。電子メール情報は、ルームウィザードなどの別個の装置に保存される。
【０２２６】
さらに他の実施形態において、画像がワークスペース領域１００４に表示されている状態で封筒アイコン１０７２が選択されると、ワークスペース領域１００４内の画像のコピーが１以上の相手先にメール送信される。一部の実施形態においては、Ｓｅｓｓｉｏｎアイコン１０９１が封筒アイコン１０７２へドラッグされるかあるいは封筒アイコン１０７２と関連付けされると、そのセッションと関連付けされたすべての画像のコピーが、１以上の相手先へメール送信される。なお、他のメールルーティング方法を用いることもできる。
【０２２７】
プリンタアイコン１０７６は、プリンタに対応しているアイコンである。その名称が示唆するように、パネルセクション１０５６のパネルアイコンまたはＳｅｓｓｉｏｎセッションアイコン１０９１がプリンタアイコン１０７６と関連付けされると、画像のハードコピー、または、パネルアイコンまたはセッションアイコン１０９１に対応した画像、が印刷される。ここで、関連付けは、パネルアイコンをプリンタアイコン１０７６にドラッグするという形をとる。
【０２２８】
ごみ箱アイコン１０７４は、パネルアイコンをパネルセクション１０５６から削除または消去するためのアイコンである。この目的のため、パネルセクション１０５６のパネルアイコンがごみ箱アイコン１０７４にドラッグされるか、あるいは、ごみ箱と関連付けされると、ドラッグされたパネルアイコンがパネルセクション１０５６から削除される。ワークスペース領域１００４内のパネルアイコンまたは画像がごみ箱アイコン１０７４と関連付けされると、少なくとも幾つかの場合において、ページをゴミ箱に捨てる動画または音声のプレゼンテーションが実行される。例えば、画像がゴミ箱に捨てられると、ページをしわくちゃにする大きな動画がワークスペース領域１００４に、および／または、紙をしわくちゃにするような音声が出力される。
【０２２９】
図３２に示すように、オンスクリーンボタンアイコンをワークスペース領域１００４において選択することができることに加えて、ポインタアイコン１０６４に対応するポインタツールが、他の目的のために用いることができる。例えば、少なくとも幾つかの進歩的な実施形態において、ポインタツール１０６４は、ワークスペース領域１００４内の画像に含まれる情報をサイズ変更のために選択するために用いることができる。この目的のため、図３２に示すポインタアイコン１０１０は、ワークスペース領域１００４内に表示された情報の一部を含む直線的なスペース１００８を選択するために用いられている（直線的なスペースは点線表示されている）。
【０２３０】
スペース１００８が選択されると、ポインタアイコン１０１０は、スペース１００８の周囲のボックスのコーナー部分を選択するために用いることができ、そして、そのコーナー部分を、スペース１００８に対して外側または内側にドラッグすることができ、それにより、ボックス内の画像の部分をサイズ変更することができる。
【０２３１】
別の例として、ポインタアイコン１０１０は、任意のスペースをワークスペース領域１００４内で選択した後で、そのスペース内の情報を、ワークスペース領域１００４内の他の場所に移動するために用いることができる。このように、例えば、図示しないが、図３２において、スペース１００８が選択された後で、アイコン１０１０は、スペース１００８内の情報をワークスペース領域１００４の左上隅から移動して、右下隅にその情報をドロップするために用いることができる。
【０２３２】
もう一例述べておく。少なくとも幾つかの実施形態において、ポインタ１０１０は、情報を、ワークスペース領域１００４に表示された画像から、ツール領域１００２内のパネルアイコンのいずれかへ移動させることができ、したがって、パネルアイコンと関連付けされた画像へ移動させることができる。この点で、図３２に示すように、スペース１００８が設定された後で、ポインタアイコン１０１０は、スペース１００８内の情報を上方へかつ領域１００２内のパネルアイコンのいずれかに対して関連している位置へ移動させるために用いることができる。
【０２３３】
また、スペース１００８は、図３８に示すように、スペース１００８内の情報をパネルアイコン６と関連付けされた画像へ移動するために、パネルアイコン６まで移動されるポインタアイコン１０１０に付加された状態で図示されている。さらに、図３９に示すように、情報がパネルアイコン６と関連付けされた画像へ移動された後で、パネルアイコン６と関連付けされた画像がマスターユニット９０２またはいずれかのスレーブ画像によって次回表示されるときに、そこへ移動された情報は、画像の視覚的に区別された部分として提示される。
【０２３４】
図３９において、スペース１００８は、その情報をその画像の残りの部分から視覚的に区別するために、直線的な点線ボックスをその周囲に配置した状態で左上隅に図示されている。ポインタアイコンは、今回は、スペース１００８をワークスペース領域１００４内の任意の場所に移動するために用いることができる。ポインタアイコンは、また、パーソナルコンピュータ装置がローカルで接続されているのでその「リモートビュー」において、クリック、ダブルクリック、ドラッグその他の動作をするために用いることができる。加えて、セパレート型キーボードは、情報をパーソナルコンピュータ装置にタイピング入力するために用いられることができる。
【０２３５】
ここで再び図３０および図３１に示すように、上述したように、少なくとも幾つかの実施形態において、マスターユニット９５１の表示画面９５５は、タテ方向およびヨコ方向に移動されることができ、そして、ディスプレイが回転されると、幾つかのことが生起する。第１に、図示されているように、スクリーン９５５がタテ方向からヨコ方向へ回転されると、オンスクリーンアイコンまたはツールが、情報のプレゼンテーションを最適に可能とするように再配置される。この目的のため、図３２に示すように、理解しうるところであるが、可能なかぎり、ワークスペース領域１００４は、マスターユニットディスプレイフォーマットにかかわらず、典型的なフリップチャートページの寸法（アスペクトレイシオ）および方向と同様の寸法とされるべきである。
【０２３６】
この点で、典型的なフリップチャートページは、３：２フォーマットおよび４：３フォーマットを有するのが通常であるのに対し、マスターユニット表示画面は、典型的には、４：３フォーマットまたは１６：９フォーマットのいずれかを含む２つの異なるフォーマットで提供されていることが多い。少なくとも幾つかの実施形態において、一般的には４：３または３：２フォーマットを有するワークスペース領域１００４を提供するには、ツール領域は、マスター側表示画面がタテ方向に配置されている場合とヨコ方向に配置されている場合とで異なる方向に向けられている。
【０２３７】
この点で、図３２に示すように、少なくとも幾つかの実施形態において、１６：９フォーマットのマスターユニット画面９５５がタテ方向とされていると、ツール領域１００２は、スクリーンショット１０００の上端に沿って提示されている。少なくとも幾つかの場合において、ツール領域１００２は、１８：５フォーマット（すなわち、幅１８×高さ５）とされ、２：３フォーマットのワークスペース領域１００４が確保されている。この場合には、少なくとも幾つかの実施形態において、提示されたマスター画像が２：３フォーマットであるので、各表示されたスレーブ画像もまた２：３フォーマット（一般的には、図３０参照）となる。
【０２３８】
図４０に示すように、１６：９フォーマットのマスターユニット画面がヨコ方向に回転されると、少なくとも幾つかの実施形態において、ツール領域１２０２は、回転後のスクリーンショット１２００の左縁部に沿って配置され、ワークスペース領域１２１６はその右側に配置されている。ここで、ワークスペース領域１２１６は、４：３フォーマットで提示され、ツール領域１２０２は、４：９フォーマットで提示されている。図４０において、領域１００２（図３２参照）に収容されていたツールアイコンが、すべて領域１２０２内に納まるように再配置されている。しかしながら、ツールは、スクリーンがタテ方向だった状態において提供されていたのと同様の見かけと感触とを有しており、それゆえ、その動作は、直感的であると思われる。
【０２３９】
少なくとも幾つかの実施形態において、マスターユニットスクリーンがヨコ方向へ回転されると、スレーブ画像もまたタテ方向からヨコ方向へ回転され、そして、スレーブ画像のサイズが、スレーブ画像の点数を減らされた群（図３３および図４１を参照および比較されたい）が提示されるように拡大されている。図３３および図４１に示した例では、図３３のような４つのタテ方向スレーブ画像をヨコ方向回転後に提示する代わりに、２つのスレーブ画像のみがスペース９６９に提示され、そして、これらの画像がそれぞれ、ヨコ方向とされている。ちょうど図４０のワークスペース領域１２１６が４：３フォーマットを有していたのと同様に、図４１のスレーブ画像もまた、この例において４：３フォーマットを有しているであろう。
【０２４０】
少なくとも幾つかの実施形態において、マスターユニットスクリーンが、タテ方向およびヨコ方向の間で回転されると、ツール領域／ワークスペース領域の再位置決めと、スレーブ画像の回転とが自動的に行われる。他の実施形態においては、しかしながら、司会者は、プレゼンテーション変更点を実効化するために物理的回転に加えて積極的措置を講じる必要がある。この点で、図３５に示すように、少なくとも幾つかの実施形態において、タテ方向およびヨコ方向をスイッチするための方向変更ボタンアイコン１１１２がツールセクション１０６０に設けられている。このように、ボタン１１１２が選択されるとともにワークスペース領域がタテ方向の状態で、情報がマスターユニット画面に現在表示されていると、ワークスペース領域がヨコ方向となるとともに、ツール領域がそれに応じて再位置決めされるなど、表示された情報が適宜再配置される。
【０２４１】
ここで、図４０に示すように、関心事項は、マスター側画面がヨコ方向の状態になった場合の少なくとも幾つかのツールアイコンに対して生じる変更点である。第１に、図３２および図４０に示すように、符号１ないし１２で示されたパネルアイコンをタテ方向に提示することに代えて、図４０では、パネルアイコン１ないし１２が、ワークスペース領域１２１６の方向と同様に、ヨコ方向で提示されている。第２に、マスター側画面がタテ方向の場合とヨコ方向の場合とで、表示されるスレーブ画像点数が異なるような実施形態においては、パネルアイコン上のマーカー数は、表示された画像のみを反映するように自動的に変更される。この点で、図４０において、マスターユニットスクリーンがタテ方向からヨコ方向へ回転されると表示されるスレーブ画像数が４から２に減る上述の例と整合的であるが、符号１および符号２で示したパネルと関連付けされた２つのマーカー１２０４、１２０６のみが図４０では示されており、それまでパネル３および４に関連付けされたマーカーアイコンは削除されている。
【０２４２】
図４２は、一例としての、４：３フォーマットのスクリーンのタテ方向スクリーンショット１２２１を示す図であり、そして、図４３は、一例としての、４：３フォーマットのスクリーンのヨコ方向スクリーンショット１２４０を示す図である。図４２において、タテ方向に向けられたスクリーンショット１２２１は、その左縁に延在している相対的に細いツール領域１２２５と、ツール領域１２２５の右側のワークスペース領域１２２３とを備えている。ツール領域のフォーマットは１：１２であり、ワークスペース領域１２２３のフォーマットは２：３である。
【０２４３】
図４３において、オンスクリーンツールアイコンは、互いに独立な２つのサブグループに分類され２つの互いに独立なツール領域に配置されている。第１のツール領域１２４２は、スクリーンショット１２４０の左縁に沿って設けられ、第２のツール領域１２４６は、スクリーンショット１２４０の下縁に沿って設けられている。ソースアイコンは、図４３に示すように、第２のツール領域１２４６に設けられており、その他のツールアイコンは、第１のツール領域１２４２に設けられている。残りの領域１２４４は、本実施形態においては、４：３フォーマットを有するワークスペース領域をなしている。少なくとも幾つかの実施形態において、第１のツール領域１２４２のフォーマットは１：９、第２のツール領域１２４６のフォーマットは１６：１である。ただし、他のスクリーンショットフォーマットであってもよい。
【０２４４】
図４４は、図３５のツール領域１００２と同様の、もちろんこれも一例としてであるが、第２のツール領域１３００を示す図である。ツール領域１３００のツールアイコンの多くは、図３５のツールアイコンとほぼ同一の構成と動作を有するものであるので、説明の便宜上、図４４のツールアイコンについては、原則として再度詳述しないが、ツール領域１３００とツール領域１００２との主要な相違は、スレーブプレゼンテーションスペースまたはユニットに提示された画像に対応するパネルアイコンまたはセッション画像の、ツール領域１３００内における表示を、他のパネルアイコンまたはセッション画像の表示（現在提示されているスレーブ画像と関連付けされていないセッション画像の表示）に対して視覚的に区別するその区別の仕方に存する。
【０２４５】
図４４の場合、現在提示されているスレーブ画像は、１、２、３、４、５、６で同定されているが、これらの画像は、スレーブプレゼンテーションスペース１３１０、１３１２、１３１４、１３１６、１３１８、１３２０にそれぞれ提示されているものである。この点で、図３５の現在表示されているスレーブ画像と関連付けされたパネルアイコンが、トークンアイコン（例えば、１０８３、１０８４等）によって、ツール領域１３００においてマークを施されているのに対し、図３５および図４４の場合、現在提示されているスレーブ画像と関連付けされたパネルアイコンが、スレーブ表示領域１３０２に設けられ、そのパネルアイコンは、ボックスをなすフィールドバウンダリ（符号１３０２で示す）によって囲まれている。図示された例においては、スレーブ表示領域１３０２は、パネルアイコン用ツール領域１３００内のスペースの左上隅に設けられている。
【０２４６】
スレーブ表示領域１３０２は、図４４に示すように、さらに、複数のスレーブ表示フィールドに分割され、それらのフィールドは、スレーブ画像が表示されることができるスレーブ画像プレゼンテーションスペースのそれぞれのための互いに独立なフィールドである。例えば、システムが合計で６つのスレーブ画像を提示することができるように、プレゼンテーションシステムが３つのプロジェクタを備え、そして、各プロジェクタが２つの互いに独立な画像を映し出すことができる場合には、スレーブ表示領域１３０２は、６つの互いに独立なスレーブ表示フィールドを備えている。この例によれば、図４４に示すように、６つのスレーブ画像１ｉ、２ｉ、３ｉ、４ｉ、５ｉ、６ｉを会議参加者の閲覧のために提示する６つの互いに独立なスレーブプレゼンテーションスペース１３１０、１３１２、１３１４、１３１６、１３１８、１３２０が設けられている。
【０２４７】
ここで、スレーブ表示領域１３０２は、第１ないし第６の互いに独立なスレーブ表示フィールドに分割され、これらのフィールド（それぞれ、引用符号１３０１、１３０３、１３０５、１３０７、１３０９、１３１１で示す）は、スレーブ表示領域１３０２内に一列に配列されている。さらなるセッション画像表示フィールド１３１３、１３１５、１３１７、１３１９、１３２１、１３２３は、スレーブ表示領域１３０２の外側に設けられており、いずれも、現在提示されているスレーブ画像と関連付けされていないパネルアイコンのためのフィールドである。図４４において、スレーブ表示領域１３０２内のパネルアイコンは、引用符号１、２、３、４、５、６で示され、そして、スレーブプレゼンテーションスペース１３１０、１３１２、１３１４、１３１６、１３１８、１３２０の中に符号１ｉ、２ｉ、３ｉ、４ｉ、５ｉおよび６ｉで示された、現在提示されているスレーブ画像にそれぞれ対応している。
【０２４８】
ツール領域１３００内でアイコンを操作して、会議システムが提示しているスレーブ画像を修正する方法としては複数の方法が考えられる。この目的のため、図４５に示すように、提示されたスレーブ画像を修正する１つの方法は、スレーブ表示領域１３０２内のパネルアイコンのいずれかをマウス制御されたカーソルなどによって選択して、選択されたアイコン（または表示）を領域１３０２外の別の場所へドラッグする、というものである。図４５はかかるドラッグ動作を示しており、パネルアイコン４が、スレーブ表示フィールド１３０７から領域１３０２の外側に位置するフィールド１３２５へ、矢印１３４０で示すごとくドラッグされる。アイコン４をドラッグ解除すると、パネルアイコン４は、パネルアイコン１２の隣のフィールド１３２５に位置付けられる。
【０２４９】
パネルアイコン４がスレーブ表示領域１３０２から撤去されると、フィールド１３０７は、図４５に示すように、空状態になり、図示されたように、スレーブプレゼンテーションスペース１３１６内にそれまで提示されていた画像４ｉ（図４４と図４５とを比較せよ）が除去されて、スペース１３１６はブランク状態となる。
【０２５０】
現在提示された画像をスレーブプレゼンテーションスペースで修正する別の手法は、図４４に示すように、スレーブ表示領域１３０２内のパネルアイコンをマウス制御されたポインティングアイコンなどによって選択して、その選択されたパネルアイコンを領域１３０２の別の場所にドラッグするというものである。例えば、図示されていないが、ポインティングアイコンは、パネルアイコン４を選択してその選択された表示内容をフィールド１３０１および１３０３の間の場所にドラッグするために用いることができるアイコンである。
【０２５１】
選択されたパネルアイコン４がフィールド１３０１とフィールド１３０３との間にドラッグ解除されると、パネルアイコン４がフィールド１３０３に入り、そして、パネルアイコン２、３が１フィールド分だけ右にずれて、フィールド１３０５、１３０７にそれぞれ入る。スレーブ表示領域１３０２内のパネルアイコンがこのようにして再配置されるので、プレゼンテーションスペース１３１２、１３１４、１３１６に提示された画像が同様に修正されて、画像４ｉ、２ｉ、３ｉがプレゼンテーションスペース１３１２、１３１４、１３１６に提示される。
【０２５２】
現在提示されているスレーブ画像を修正する別の手法は、図４６に示すように、パネルアイコンをスレーブ表示領域１３０２の外側からスレーブ表示領域１３０２内の任意の場所に移動するというものである。例えば、図４６に示すように、ポインタアイコンは、パネルアイコン１１を選択し、矢印１３４２で示すごとく選択されたパネルアイコン１１をフィールド１３０３とフィールド１３０５との間のスレーブ表示領域１３０２内の場所へドラッグするために用いることができるアイコンである。
【０２５３】
ここで、パネルアイコン１１がフィールド１３０３とフィールド１３０５との間にドラッグ解除されると、図４７に示すように、パネルアイコン３が、フィールド１３０５内のそれまでの場所からフィールド１３０７にずれて、パネルアイコン１１が、フィールド１３０５に位置付けされる。この変更を反映して、スレーブ表示領域１３０２内において、スレーブプレゼンテーションスペース１３１４、１３１６に提示されるスレーブ画像が更新されて、それぞれ、画像１１ｉ、３ｉ（図４７参照）となる。加えて、パネルアイコン１１がフィールド１３２１から移動されたので、フィールド１３２１の右側のパネルアイコンは、矢印１３５０および矢印１３５２で示すごとく、１フィールド分だけ左にずれており、したがってパネルアイコン１２、４が左に移動していることがわかる。このように、パネルアイコンがスレーブ表示領域１３０２内に移動されて、空白フィールド直前の場所に移動されると、パネルアイコンがドラッグされた先の場所の右側の、スレーブ表示領域１３０２のパネルアイコンが１フィールド分だけ右に移動し、そして、右側の次の空白フィールドがパネルアイコンを受け入れることになる。
【０２５４】
図４８に示すように、スレーブ表示領域１３０２における各スレーブ表示フィールドにおける各別のパネルアイコンとともに、他のパネルアイコンがスレーブ表示領域１３０２内の特定の位置に移動されると、スレーブ表示領域１３０２内の特定の場所の右側のフィールド内のパネルアイコンが、１フィールド分だけ右に移動し、最も右側のスレーブ表示領域１３０２内のパネルアイコンはスレーブ表示領域１３０２の外へ移動する。例えば、図４８に示すように、パネルアイコン１２がフィールド１３２１から選択されてスレーブ表示領域１３０２内のフィールド１３０１と１３０３との間の場所にドラッグされて、パネルアイコン１２がそこでドラッグ解除されると、パネルアイコン２が１フィールド分だけ右にずれ、アイコン１１も１フィールド分だけ右にずれ、同様に、アイコン３が１フィールド分だけ右にずれるといった具合に、パネルアイコン１２のためのフィールド１３０３がクリアされる。
【０２５５】
このパネルアイコンが波打つように移動するさまは、図４９において複数方向の矢印１３６２によって示されている。図４９に示すように、スレーブ表示領域１３０２内のフィールド１３１１に当初位置していたパネルアイコン６は、スレーブ表示領域１３０２外のフィールド１３１３へずれる。また、図４９に示すように、フィールド１３０１、１３０３、１３０５、１３０７、１３０９、１３１１内のパネルアイコンが修正されるので、スレーブプレゼンテーションスペース１３１０、１３１２、１３１４、１３１６、１３１８、１３２０内に提示された画像にも同様の修正が生じる。このように、パネルアイコン１、１２、２、１１、３、５が、フィールド１３０１、１３０３、１３０５、１３０７、１３０９、１３１１にそれぞれ示されているので、対応する画像１ｉ、１２ｉ、２ｉ、１１ｉ、３ｉ、５ｉが、スペース１３１０、１３１２、１３１４、１３１６、１３１８、１３２０内にそれぞれ提示されている。
【０２５６】
少なくとも幾つかの用途においては、会議参加者の２つの異なるグループ間でのリモートカンファレンスを支援するため、異なる会議スペース内に設置されている２つのプレゼンテーションシステムが相互接続されていることが想定されている。また、上述したように、一方のプレゼンテーションシステムが、他のプレゼンテーションシステムよりも多くのスレーブプレゼンテーションスペースをサポートしていることが想定されている。例えば、第１のプレゼンテーションシステムは、３つのプロジェクタを備え、各プロジェクタが２つの別個の画像をそれぞれ提示することができ、したがって合計で６つのスレーブ画像を提示することができる。そして、第２のプレゼンテーションシステムは、４つのプロジェクタを備え、各プロジェクタが２つの別個のスレーブ画像を表示することができ、したがって合計で８つのスレーブ画像を表示することができる。
【０２５７】
ここで、少なくとも幾つかの場合において、第１のプレゼンテーションシステムおよび第２のプレゼンテーションシステムに共通なスレーブ画像に対応するパネルアイコンが、共有されたまたはプライマリスレーブ表示領域内に提示され、および、専ら一方のプレゼンテーションシステム側で提示された、現在表示されているスレーブ画像に対応するパネルアイコンは、セカンダリスレーブ表示領域内に示されることが想定されている。この目的のため、図５０に示すように、セカンダリスレーブ表示領域１３６６は、プライマリスレーブ表示領域１３０２に隣接して設けられ、一方のプレゼンテーションシステムの第７のスレーブプレゼンテーションスペース１３２１ａおよび第８のスレーブプレゼンテーションスペース１３２３ａに対応する２つの追加的なスレーブ表示フィールド１３６８、１３７０を備えている。
【０２５８】
図５０において、第１のプレゼンテーションシステムに対応するスレーブプレゼンテーションスペース１３１０、１３１２、１３１４、１３１６、１３１８、１３２０は、画像１ｉ、１２ｉ、２ｉ、１１ｉ、３ｉ、５ｉを提示し、これらの画像は、スレーブ表示領域１３０２のパネルアイコン１、１２、２、１１、３、５にそれぞれ関連付けられている。同様に、画像１ｉ、１２ｉ、２ｋ、１１ｉ、３ｉ、５ｉは、第２のプレゼンテーションシステムの側で、スレーブプレゼンテーションスペース１３１０ａ、１３１２ａ、１３１４ａ、１３１６ａ、１３１８ａ、１３２０ａにそれぞれ提示されており、画像６ｉ、７ｉは、セカンダリスレーブ表示領域１３６６の各フィールド１３６８、１３７０にそれぞれ対応したプレゼンテーションスペース１３２１ａ、１３２３ａに提示されている。
【０２５９】
少なくとも幾つかの実施形態において、２つの会議参加者グループ間のリモートカンファレンスを支援するため２つのプレゼンテーションシステムが相互接続されている場合には、該２つのプレゼンテーションシステム相互間のリンクが解除されると、各プレゼンテーションシステムは、リモートリンクの終了にもかかわらずセッションを続行することができるように、セッション画像のコピーを保持するように構成されている。リモート接続が終了すると、第１のプレゼンテーションシステムがサポートしているスレーブプレゼンテーションスペース数が、第２のプレゼンテーションシステムがサポートしているスレーブプレゼンテーションスペース数よりも少ない場合には、リンクが解除されると、パネルアイコンがもはや第１のプレゼンテーションシステムにおいて視覚的に区別されることがないようにセカンダリスレーブ表示領域１３６６が撤去される。ここで、第２のプレゼンテーションシステムの側では、プライマリスレーブ表示領域１３０２が拡張されて、サポートされたスレーブプレゼンテーションスペースすべてに対応するパネルアイコンおよび関連付けされたフィールドが表示される。
【０２６０】
このように、例えば、第１のプレゼンテーションシステムおよび第２のプレゼンテーションシステムが相互接続されて、スレーブ表示領域１３０２が図５０に示すようなアイコンで占められている場合には、リンク解除されると、第１のプレゼンテーションシステムの側では図４９に示すようなツール領域１３００が生成される。ここで、図４９では、スレーブ表示領域１３０２には６つのパネルアイコンが設けられている。そして、第２のプレゼンテーションシステムの側では図５１に示すようなツール領域１３００が生成される。ここで、図５１では、スレーブ表示領域１３０２ａには８つのパネルアイコンと互いに独立な８つのスレーブ表示フィールド（符号なし）が設けられている。
【０２６１】
少なくとも幾つかの実施形態において、コンピュータまたはセカンダリ会議システムが遠隔地から会議に参加するために用いられている場合には、少なくとも幾つかの場合において、会議を支援するために用いられているコンピュータ装置に接続された任意の印刷リソースへセッション画像を出力できることが有利である。例えば、４名の参加者が、遠隔地に所在する４つのラップトップパソコンから会議にリモート参加している（ここで、各ラップトップパソコンは、同じオフィス内など、そのラップトップパソコンの近傍に設置されている特定のプライマリプリンタと関連付けされている）場合には、会議の終了時に、会議主催者が、セッション画像をコピーした配布物を各リモート参加者に配布したいと考えるかもしれないからである。
【０２６２】
セッション画像のハードコピーの遠隔配布を支援するには、少なくとも幾つかの進歩的な実施形態において、遠隔地に所在する装置が会議に接続利用されている場合に、会議を管理するサーバが、遠隔地所在装置をポーリングして、それと関連付けされたプリンタを識別するとともに、あとで利用できるようにその認識されたプリンタと関連付けされたネットワークアドレスを保存する。その後、図５２に示すように、会議中のいつでも、あるいは、会議終了後、システムユーザは、プリンタアイコン１０７６を選択して印刷ウィンドウ１３８０を開く。
【０２６３】
一例としての「印刷」ウィンドウ１３８０は、会議セッション支援用の装置と関連付けされたプリンタのリスト１３８２と、関連付けされた各プリンタに対する個別の選択フィールド１３８４と、印刷ボタンアイコン１３８６とを備えている。ここで、会議支援用装置と関連付けされたプリンタのサブセットに対して印刷を実行するには、システムユーザは、リスト１３８２内の印刷対象プリンタに対応するフィールド１３８４のサブセットを選択すればよく、そのうえで印刷アイコン１３８６を選択してセッション画像の完全なコピーを各印刷選択されたプリンタに送信する。
【０２６４】
図５３は、装置が会議に接続されている状態における、ネットワーク装置と関連付けされたプリンタを識別する手順１３９０を示す図である。処理ブロック１３９２において、マスタープレゼンテーションユニットによって会議が開始される。ブロック１３９４において、会議サーバが、マスタープレゼンテーションユニットに接続されたネットワークを監視して、リモート装置（例えば、ラップトップコンピュータ、デスクトップコンピュータ、セカンダリマスタープレゼンテーションユニット等）からの接続要求の有無を監視する。判定ブロック１３９６において、接続要求が受信されなければ、制御はブロック１３９４に戻り、監視が続けられる。ブロック１３９６において接続要求が受信されると、制御はブロック１３９８へ進み、会議サーバが接続装置をポーリングして、関連付けされたプリンタの有無を識別する。ブロック１４００において、会議サーバは、あとで使用できるように、識別されたプリンタのネットワークアドレスを関連付けされたデータベース内に保存する。そして、制御はブロック１３９４に戻り、サーバが追加的な装置からの会議参加要求の有無を監視する。
【０２６５】
図５４は、会議支援用装置と関連付けされたプリンタにセッション画像を出力する手順を示す図である。ブロック１４０４において、会議サーバは、印刷コマンドの有無を監視する。ブロック１４０６において、印刷コマンドが受信されない場合には、制御はブロック１４０４に戻り、監視が続けられる。判定ブロック１４０６において、印刷コマンドが受信されると、制御はブロック１４０８に移行し、図５３のブロック１４００で保存されたプリンタのリストがアクセスされて、該リストが印刷ウィンドウ（図５２の１３８０参照）内に提示される。判定ブロック１４１０において、会議サーバは、印刷オプションが選択されたかどうか判定するための監視を行う。印刷オプションが選択されるまで、制御ループは、ブロック１４０８に戻る。印刷オプションが選択されると、制御はブロック１４１２に移行し、会議サーバがセッション画像を選択されたすべてのプリンタに対して印刷する。その後、制御はブロック１４０４に戻り、会議サーバが、印刷コマンドの有無を監視する。
【０２６６】
セッション画像を会議セッションに接続されたすべての装置に対して印刷のため送信することができることに加えて、少なくとも幾つかの実施形態において、迅速かつ容易に、セッション画像の電子コピーを会議へのローカル参加者およびリモート参加者の双方に対して頒布することができればなお有利である。この目的のため、少なくとも幾つかの場合において、ある人物が会議に参加することに同意するか、あるいは、会議セッションへのリモートログインに同意したとすると、会議と関連付けされた一部のプロセッサは、出席者の電子メールアドレスを要求または取得して保存するようにプログラムされている。
【０２６７】
その後、図５５に示すように、少なくとも１つのセッション画像が生成されてからメールアイコン１０７２が選択されると、少なくとも幾つかの場合において、セッション画像は、特定のセッションと関連付けされた、すでに保存された電子メールアドレスのすべてに対して、電子的に頒布される。他の場合において、メールアイコン１０７２が選択されると、図５２の印刷ウィンドウ１３８０に似た「メール」ウィンドウ（図示せず）が開かれて、システムユーザが会議参加者のサブセットを選択して、セッション画像の電子バージョンを受信することが可能となる。
【０２６８】
一例としてのプレゼンテーションシステム１４２０は、図５５に示すように、マスタープレゼンテーションユニット１４２２と、会議サーバ１４３２と、ルームウィザード１４３４と、ネットワークサーバ１４３０と、ネットワーク１４２６とを備えており、複数の遠隔地に所在するラップトップパソコン１４２８ａ、１４２８ｂ、１４２８ｃ、１４２８ｄのリモート接続が支援されている。マスターユニット１４２２は、会議サーバ１４３２に接続され、会議サーバ１４３２はさらにルームウィザード１４３４に接続されている。ルームウィザード１４３４は、ネットワークサーバ１４３０に接続され、ネットワークサーバ１４３０は、ネットワーク１４２６経由でリモートコンピュータ１４２８ａないし１４２８ｄと接続されている。
【０２６９】
ここで、少なくとも幾つかの場合において、ルームウィザード１４３４は、マスタープレゼンテーションユニット１４２２が使用される会議室のために会議をセットアップまたはスケジュール設定するために用いられる。会議参加者が、リモートコンピュータ（例えば、１４２８ａ、１４２８ｂ等）およびネットワーク１４２６を介して登録すると、ルームウィザード１４３４が、各出席者の電子メールアドレスを受信および保存する。その後、セッション画像が出席者にメール送信される際に、マスターユニット１４２２が画像をルームウィザード１４３４に送信し、ルームウィザード１４３４がその画像を、セッション出席者の保存された電子メールアドレスに配信する。
【０２７０】
図５６は、会議参加者の電子メールアドレスを取得する手順１４４０を示す図である。ブロック１４４２において、会議の仕掛人がラップトップパソコン１４２８ａなどのリモート装置を用いてルームウィザード１４３４に接続して、会議の進行予定を組む。会議スケジューリング処理の一部として、ブロック１４４４において、会議仕掛人が会議に招待したいと考える他の人物が識別される。ブロック１４４６において、ルームウィザード１４３４が、各会議招待者の電子メールアドレスを認識し、あとで用いることができるようにアドレスを保存する。
【０２７１】
図５７は、セッション画像を会議参加者にメール送信するための手順１４５０を示す図である。処理ブロック１４５２において、サーバ１４３２は、マスターユニット１４２２からの電子メールコマンドの有無を監視する。判定ブロック１４５４において、電子メールコマンドが受信されるまで、制御はブロック１４５２に戻る。電子メールコマンドがブロック１４５４にて受信されると、制御はブロック１４５６に進み、サーバ１４３２が、セッション画像をルームウィザード１４３４から送信する。さらに、ブロック１４５８において、ルームウィザード１４３４は、セッション画像のコピーを保存された電子メールアドレスを有する会議参加者にメール送信する。
【０２７２】
ここで、少なくとも幾つかの場合において、ルームウィザード１４３４機能またはそれに準じた機能を会議サーバ１４３２によって実行するようにすれば、ルームウィザード１４３４を設ける必要がないことが理解されるであろう。この目的のため、ルームウィザード１４３４によって会議のスケジュール設定を行うことに代えて、会議サーバ１４３２によって動作するソフトウェアによって会議のスケジュール設定または会議システムのためのスケジュール設定を行うことが可能である。
【０２７３】
上述したシステムの大半が、互いに独立なマスタープレゼンテーションユニットおよびスレーブプレゼンテーションユニットであるか、または、少なくとも１つのマスタープレゼンテーションスペースおよび複数のスレーブプレゼンテーションスペースを含む複数プレゼンテーションスペースを備えた、固定設置された単体のプレゼンテーションユニットであるけれども、少なくとも幾つかの場合においては、マスタープレゼンテーションスペースおよび１以上のスレーブプレゼンテーションスペースの双方を備えた移動式プレゼンテーションシステムを提供することが有利である。この目的のため、図５８には、一例としての移動式プレゼンテーションシステム１４６０が図示されている。
【０２７４】
移動式プレゼンテーションシステム１４６０は、足部材１４７０、１４７２の上部に取り付けられた単体のプレゼンテーション筐体構造１４６２であって、集合的に引用符号１４７４で示されたキャスター（またはホイール）が、該足部材１４７０、１４７２の底面部分に設けられているものである。ここで、マスタープレゼンテーションスペース１４６４および２つのスレーブプレゼンテーションスペース１４６６、１４６８が、筐体構造１４６２の前面（符号なし）に設けられている。
【０２７５】
少なくとも幾つかの実施形態において、プレゼンテーションスペース１４６４、１４６６、１４６８がすべて、単一のフラットパネル型モニタスクリーンにより提供されている。他の実施形態において、３つのプレゼンテーションスペース１４６４、１４６６、１４６８は、それぞれ、互いに独立な電子フラットパネル型表示画面によって提供されてもよい。さらに他の実施形態において、マスター用スペース１４６４は、インタラクティブなフラットパネル型表示画面によって提供されてもよく、かつ、スペース１４６６、１４６８は、リアプロジェクタユニットによって提供されてもよい。さらに他の場合においては、３つのスペース１４６４、１４６６、１４６８がすべて、筐体構造１４６２内に設けられた単一のプロジェクタユニットによって提供されてもよい。少なくとも幾つかの場合において、スペース１４６４内でのポインティング装置（例えば、スタイラスまたはユーザの指）の場所を感知するための位置感知装置が設けられている。
【０２７６】
図５９は、一例としての第２の移動式会議システム１４８０を示す図である。移動式会議システム１４８０は、単一の筐体構造１４８２を備えているとともに、マスター側プレゼンテーションスペース１４８４と２つのスレーブ側プレゼンテーションスペース１４８６、１４８８を、筐体構造１４８２の単一の前面（符号なし）内に備えているものである。スレーブプレゼンテーションスペース１４８６、１４８８は、図５９に示すように、垂直方向とされた場合よりも水平方向とされたほうが横長になるように設置されており、この配置は、図５８に示したシステムの場合とは正反対である。
【０２７７】
少なくとも幾つかの実施形態において、どのようなタイプのポインティング装置でも用いることができ、マスタープレゼンテーションユニットとコンタクトによって直接やりとりを行うことができる。例えば、ユニット操作者は、彼女の指の先を用いて、オンスクリーンアイコンを選択し、ワークスペース内で描画し、ワークスペース内のオブジェクトを消去し、ワークスペース内のオブジェクトを選択・ドラッグするなどの操作を行うことができる。あるいは、スタイラスまたはペン型の装置を用いて同一の機能を実行することができる。
【０２７８】
指またはスタイラス型装置がそれぞれ利用可能である場合には、少なくとも幾つかの実施形態において、操作者とマスターユニットとのやりとりは、指および別のポインティング装置のいずれが用いられてインタラクティブ機能が実行されているかに依存して、デュアルセンシング技術および異なるアルゴリズムによって強化されることができる。
【０２７９】
少なくとも幾つかの実施形態において、マスタープレゼンテーションユニット１６０２の表示面１６０４とのインタラクティビティを感知する一次センサは、図６０に示すように、表面１６０４と平行でありかつ該表面１６０４とギャップ１６１２によって若干（例えば、１／８〜１／４インチ程度）離隔して設けられた、レーザ光面１６１０を生成するレーザ１６０６またはその他のシステムを備えている。これらのシステムにおいて、表面部のインタラクションとインタラクションの場所とは、一般的には、レーザ光面１６１０へのペネトレーションおよびペネトレーション位置とを感知することにより判定される。
【０２８０】
レーザ光面タイプの感知システムは良好な機能を有しているのであるが、若干欠点がある。専らセンサシステムが用いられている場合における１つの主要な欠点は、インタラクティビティが、しばしば、表面１６０４に対してコンタクトが生じる直前および直後に感知されるという点である。この点で、表示面とやりとりを行うユーザの大半は、シート表面との接触の間にだけインタラクションが生じるような紙のフリップチャートシートといった従来の記入表面でのやりとりを模倣したインタラクティビティをむしろ好む。ギャップ１６１２が存在するため、レーザ光面１６１０が貫通されたときにはいつでも、かつ、表面１６０４との同時的接触が生じているかどうかにかかわらず、光面感知システムが動作を感知してしまう。
【０２８１】
このように、ストロークを生成させるために指先またはスタイラスチップが表面１６０４に接離自在に移動されるので、もし、先端が、表面１６０４との接触に先立って、および／または、接触後に、レーザ光面１６１０内において移動すると、ストロークには、表面１６０４との接触中に生じる部分に加えて、その先行部分および／または後続部分も含まれてしまう。その後、この非接触動作は、特に断りのないかぎり、一般的には「非接触動作（ｎｏｎ−ｃｏｎｔａｃｔａｃｔｉｖｉｔｙ）」と呼ぶことにする。ただし、通常は、非接触動作はごく短い時間（例えば、０．５〜１．０秒）において生じるにすぎないものである。
【０２８２】
非接触動作がすべての場合で厄介であることは想像に難くない（例えば、不要な語および文字どうしの干渉等）が、かかる動作は、特に、指先ではなくスタイラス／ペン型装置が用いられてやりとりが行われるようなケースにおいてはとりわけ厄介である。この点で、指先は、スタイラス／ペンの先端と比べると道具としてあかぬけないものであるけれども、指先を使えば非接触動作は相対的に厄介ではなくなる。
【０２８３】
少なくとも幾つかの進歩的なシステムにおいて、ペネトレーション位置を感知するためのレーザ光面感知システムに加えて、セカンダリ感知システムがスタイラス／ペンの先端と表示面との接触を感知するために用いられている。この目的のため、セカンダリ感知システムは、図６０に示すように、スタイラス／ペン装置１６２０とレシーバ１６０８とを備えている。スタイラス／ペン装置１６２０は、先端接触センサ１６２２およびＲＦ送信機またはその他のタイプの送信機１６２４を備えている。先端接触センサ１６２２は、その名称が示唆するように、スタイラス／ペン装置１６２０の先端が例えば表示面１６０４などの表面に接触した時点を感知する。表面１６０４が接触されると、送信機１６２４は、指先以外の装置が表面１６０４に接触したことを示すＲＦ信号またはその他の信号を受信機に送信する。加えて、スタイラス／ペン装置１６２０は、スタイラス／ペン装置１６２０の属性（例えば、ペン、イレーザ、ポインティング装置等）、カラーおよび消し取り幅等を含む追加的な情報を送信してもよい。
【０２８４】
レシーバ１６０８およびレーザ光面感知システムの一部を構成するペネトレーションセンサ（個別に付番しない）に接続されたプロセッサ１６３０は、レーザ光面感知システムにより位置（ポジション）を識別するとともに、レシーバ１６０８からの信号により接触（コンタクト）を識別するようにプログラムされている。これにより、一の進歩的な方法によれば、表面１６０４とのやりとりを行うのに指先を用いた場合には非接触動作が生じるが、送信用スタイラス型装置を用いた場合には非接触動作をなくすことができる。
【０２８５】
スタイラスによるやりとりと指によるやりとりとを峻別するため、少なくとも幾つかの進歩的な実施形態は、図６１に示す峻別処理を実行するようにプログラムされているシステムプロセッサ（図６０の１６３０参照）を備えている。ここで、プロセッサ１６３０は、フィンガーモードおよびスタイラスモードで構成される２つのインタラクティブモードのいずれかにしたがって動作するようにプログラムされているものと仮定する。フィンガーモードでは、感知されたすべての表示面１６０４とのやりとりはインタラクティブな結果をもたらす。これとは対照的に、スタイラスモード動作の間は、スタイラスが接触したときに生じるインタラクティブな動作は、表面（例えば、表面１６０４）と接触している「接触信号（ｃｏｎｔａｃｔ  ｓｉｇｎａｌ）」を開口先端部１６２２から送信したときにのみ、インタラクティブな結果をもたらす。
【０２８６】
図６０のマスターユニットを起動すると、ブロック１５６２に示すように、マスターユニットのプロセッサ１６３０は、動作モードをフィンガーモードに設定する。ブロック１５６４において、タイマＴがゼロに設定され、フラグ「ｆｌａｇ  １」がゼロに設定され、そして、スレッショルド期間Ｔｒが例えば１秒に設定される。
【０２８７】
図６０および図６１に示すように、レーザ光面ペネトレーションの有無を監視するブロック１５６６と、これに続くブロック１５６８において、レーザ光面ペネトレーションがプロセッサにより検出されない場合には、制御はブロック１５６６に戻る。レーザ光面ペネトレーションがブロック１５６８において発生した後で、制御はブロック１５７０へ進む。
【０２８８】
ブロック１５７０において、プロセッサ１６３０は、現在設定されているモードがフィンガーモードであるかスタイラスモードであるかを判定する。スタイラスモードが設定されている場合には、制御はブロック１５７０からブロック１５７２へ進む。ブロック１５７２において、プロセッサ１６３０は、ペネトレーション位置情報を保存する。ブロック１５７４において、プロセッサ１６３０はタイマＴを始動させる。ブロック１５７８において、プロセッサ１６３０は、図６０に示したスタイラス１６２０のような送信スタイラスからのスタイラス信号が受信されたかどうかを判定する。送信されたスタイラス信号が受信されると、制御はブロック１５６９に進み、そこで、保存されたペネトレーションデータが削除される。ブロック１５７１において、「ｆｌａｇ  １」が現在のレーザ光面ペネトレーションについてスタイラス信号が受信されたことを示す「１」に設定される。ブロック１５７３において、プロセッサ１６３０は、現在位置から線描画を開始する。その後、制御はブロック１５７８に戻る。
【０２８９】
スタイラス信号が受信され続けると、制御はブロック１５７８から、ブロック１５７３へと進み、線描画が続行される。ブロック１５７８において、スタイラスのユーザがスタイラス１６２０を持ち上げてその先端がもはや表示面１６０４と接触した状態ではなくなると、制御は、判定ブロック１５７８から判定ブロック１５７６へ進む。フラグ「ｆｌａｇ  １」が、スタイラス信号が表示面でのインタラクションの間に過去に受信されたことを示す「１」である場合には、制御はブロック１５７６からブロック１５７７へ進み、プロセッサ１６３０が、マスターユニットを制御して線描画を停止させる。その後、制御はブロック１５６４に戻り、タイマＴおよび「ｆｌａｇ  １」がリセットされる。ブロック１５６４に続いて上述のプロセスが続く。
【０２９０】
図６１に示すように、タイマＴがブロック１５７４で始動した後で、かつ、制御がブロック１５７８へ進んだ場合に、スタイラス信号がプロセッサ１６３０によって受信されなければ制御はブロック１５７６へ進む。制御は、順に、ブロック１５７４、ブロック１５７８、ブロック１５７６と進んでゆく。現在のレーザ光面ペネトレーションに対応するスタイラス信号が受信されていないので、「ｆｌａｇ  １」はもはや「１」と等しくなくなるので、制御はブロック１５７６から判定ブロック１５６５へ進む。ブロック１５６５において、プロセッサ１６３０は、ペネトレーションが続いているかどうかを判定する。ペネトレーションが停止した場合には、制御はブロック１５６５からブロック１５７８に進み、保存されたペネトレーションデータを用いて線描画が行われる。ブロック１５７８の後、制御は図示したようにブロック１５６２に戻り、フィンガーモードがリセットされる。
【０２９１】
図６１のブロック１５６５においてペネトレーションが続いている場合には、制御はブロック１５８０へ進む。タイマ値Ｔがスレッショルド期間Ｔｒと比較される。ここで、スタイラス、指先またはその他の装置により表示面１６０４に接触させる場合には常に、先端または装置がレーザ光面１６１０を通過する時点と、先端または装置が表面１６０４と接触する時点と、の間に短い時間間隔が存在していることが理解できる。スレッショルド期間Ｔｒは、レーザ光面レベルを通過して表面接触レベルに到達するまでに要する相当な時間幅に設定されている。
【０２９２】
例えば、幾つかの場合において、持続時間Ｔｒは、１秒、２秒、あるいは、１．５秒などとなる。スレッショルド期間を超過すると、プロセッサ１６３０は、レーザ光面１６１０を通過した先端または装置が、送信スタイラス型装置以外の先端または装置であるとみなして動作するようにプログラムされており、そして、制御はブロック１５６１へ進む。ブロック１５６１において、プロセッサ１６３０は、動作モードをフィンガーモードに設定する。ブロック１５６３において、プロセッサ１６３０は、保存されたデータを用いてペネトレーション位置において線描画を実行する。ブロック１５６３に続いて、制御は図６１のブロック１６３１へ進む。
【０２９３】
図６１のブロック１５７０において、システムがフィンガーモードである場合、制御はブロック１５７９へ進み、現在のレーザ光面ペネトレーション位置において線描画が開始される。ブロック１５７９から、制御はさらにブロック１６３１へ進み、プロセッサ１６３０はペネトレーションが継続しているかどうかを判定する。ペネトレーションが停止した場合には、制御はブロック１５７７へ進み、プロセッサ１６３０は、線描画を停止する。その後、制御はブロック１５６４へ進む。
【０２９４】
ブロック１６３１において、ペネトレーションが継続している間、制御はブロック１６３２へ進み、プロセッサ１６３０は、マスターユニットを制御して現在のペネトレーション位置での線描画を続行させる。ブロック１６３４において、プロセッサ１６３０は、スタイラス信号が受信されたかどうかを判定する。スタイラス信号が受信されていない場合には、プロセッサ１６３０はフィンガーモードでの動作を続行し、制御はブロック１６３１に戻り、そこで上述のプロセスが反復される。ブロック１６３４において、スタイラス信号が受信された場合には、制御はブロック１６３６に進み、プロセッサ１６３０はスタイラスモードを設定する。プロセッサ１６３０は、現在引かれている線を現在のペネトレーション位置まで消去し、その後、制御はブロック１５７１に進み、「ｆｌａｇ  １」が、スタイラス信号が受信されたことを示す「１」に再度設定される。
【０２９５】
スタイラスモード／フィンガーモード設定アルゴリズムは、スタイラスチップが表示面に接触すると連続的に信号を送信するスタイラスを前提として上述されたが、他の実施形態においては、スタイラスは、スタイラスが初期接触を行った時点および接触が止んだ時点においてそれぞれ「ペンダウン」信号および「ペンアップ」信号を送信するように構成されてもよく、プロセッサは、ペンダウン信号からペンアップ信号までの期間を接触期間として認識するようにプログラムされてもよい。
【０２９６】
別の進歩的な様相によれば、マスターユニットおよび複数スレーブプレゼンテーションスペースを備えたシステムは、独自のヘルプ機能を支援するために用いることができる。そして、このヘルプ機能のヘルプ情報は、プレゼンテーションスペースのサブセットによって同時に提供されることができ、および／または、インタラクティブなタスクを実行するためにシステムの正常動作の間に提供されることができる。この目的のため、図６２には、マスターユニットのスクリーンショット１５０９および関連する第１ないし第６のスレーブプレゼンテーションスペース１５２２、１５２４、１５２６、１５２８、１５３０、１５３２が図示されている。マスターユニットのスクリーンショットは、以下に限定するものではないが、ワークスペース領域１５１０と、ツール領域１３００と、スレーブ表示領域１３０２と、ヘルプボタン１５１２とを備えている。
【０２９７】
少なくとも幾つかの進歩的な実施形態において、ヘルプボタン１５１０を選択するとヘルプウィンドウ１５１６がワークスペース領域１５１０内に開かれて、所定の態様でヘルプトピック、「ヘルプを閉じる（Ｃｌｏｓｅ  Ｈｅｌｐ）」アイコン１５２１およびヘルプを閉じるためのウィンドウアイコン１５１８が提供される。ウィンドウ１５１６を開いた後でウィンドウを閉じるには、アイコン１５１８を選択すればよい。アイコン１５１６が選択されると、ウィンドウ１５１６が閉じられるが、少なくとも幾つかの実施形態において、すでにアクセスされた他のヘルプ情報は、任意の提示されたフォーマットで閲覧のため維持される。少なくとも幾つかの場合において、すべてのヘルプ情報を閉じたうえでヘルプウィンドウを開く前に提示されていた情報を提示するには、「ヘルプを閉じる」アイコン１５２１を選択すればよい。
【０２９８】
図６２において、ヘルプトピックは、リスト形式１５１４で示されており、ヘルプトピックは、マウスまたは他の制御されたポインティングアイコン１５２０によって選択可能である。アイコン１５２０がトピックの上に位置付けられているとトピックが強調表示されて、トピックと一致していることが示される。また、トピックが選択されると、トピックが異なる態様にて強調表示され、選択が生じたことが示される。
【０２９９】
トピックがリスト１５１４から選択されると、少なくとも幾つかの実施形態において、システムプロセッサは、ヘルプデータベースにアクセスし、ヘルプ情報を読み出して、ヘルプ情報をワークスペース領域１５１０内またはスクリーンショット１５０９の上に現れるウィンドウ内に表示する。ここで、および、他の意図された実施形態において、提示されたヘルプ情報には、単純なテキスト、選択されると他の関連情報に遷移するリンクを張るためのハイパーリンクまたはその他のテキスト、および、動作を示すアニメーションなどである。
【０３００】
少なくとも幾つかの場合において、システムユーザは、ヘルプ情報を閲覧ないしアクセスしている間に同時にマスターユニットおよびスレーブユニットを備えたシステムを使用したいと考えるかもしれない。例えば、システムユーザが、スレーブ表示領域１３０２の内側または外側にどのようにパネルアイコンを移動したらよいか分からない場合や、スレーブプレゼンテーションスペース（例えば、１５２２、１５２４等）によって提示された画像に対して該移動により生じる影響がどのようなものであるか分からないことがある。そのような場合には、パネルアイコンのドラッグおよびドラッグ解除動作を同時的に行うことができる状態で、領域１３０２の内側および外側にパネルアイコンを移動する方法およびスレーブ画像に対するその影響を説明するヘルプ情報（例えば、テキスト、動画等）にアクセスできることがユーザにとって有利である。
【０３０１】
ヘルプ情報に対する同時並行的アクセスおよびインタラクティブ動作を支援するため、少なくとも幾つかの実施形態において、ヘルプ情報がマスター側ワークスペース領域１５１０に提示されると、システムユーザは、ヘルプ情報をマスター側領域１５１０からスレーブプレゼンテーションスペース１５２２、１５２４等のいずれかへフリップすることができ、そして、ヘルプ情報がスレーブ側スペースに提示された状態で、マスターユニットを用いて動作を行うことができる。
【０３０２】
ヘルプ情報をワークスペース領域内に直接表示することに代えて、ヘルプ情報がワークスペース領域１５１０の上に表示されるウィンドウ内に提示される場合には、ウィンドウは、少なくとも幾つかの実施形態において、ウィンドウを選択する（すなわち、ウィンドウのトップバーを選択する）とともに、そのウィンドウをスレーブ表示スペース１３０２内の所望のパネルアイコンの上の位置へドラッグし、そして、パネルアイコンをドラッグ解除することによって、スレーブプレゼンテーションスペースへフリップさせることができる。パネルアイコンがドラッグ解除されると、ヘルプウィンドウは、パネルアイコンと関連付けされたスレーブプレゼンテーションスペースへ移動され、スレーブプレゼンテーションスペース内に現在存在している画像の上に表示される。
【０３０３】
フリップされたヘルプウィンドウは、スレーブプレゼンテーションスペースと関連付けされるか、あるいは、ヘルプウィンドウがその上にフリップされたところの画像と関連付けされる。ヘルプウィンドウがヘルプウィンドウのフリップ先であるスレーブプレゼンテーションスペースと関連付けされた場合には、他の画像がスレーブ側スペース上を移動する場合でも、ヘルプウィンドウはそれに連動して移動しない。ヘルプウィンドウが、ヘルプウィンドウがその上に当初フリップされたところの画像と関連付けされた場合には、その画像の移動に伴ってヘルプウィンドウも連動して移動する。
【０３０４】
ヘルプ情報をウィンドウ形式で提示する利点は、少なくともヘルプウィンドウがスレーブプレゼンテーションスペースの全体を占有してしまわないかぎり、ヘルプウィンドウに対して背後にある背面画像の少なくともいずれか一部を依然として視認することができるという点である。それゆえ、動作が背面画像に影響を及ぼす場合には、少なくともその影響の一部を、その影響を確認するために観察することができる。
【０３０５】
少なくとも幾つかの実施形態において、ヘルプ情報が（重なって表示されるウィンドウ内にではなく）ワークスペース領域１５１０内に直接提示される場合には、ヘルプ情報がスレーブプレゼンテーションスペースへフリップされると、そのヘルプ情報は、他のスレーブ画像と同様に扱われて既存の画像と置換されるか、あるいは、ヘルプ情報のフリップ先であるスペース内の任意の当初画像が該スペースと関連付けされた状態に留まるように、重ねて表示されてもよい。
【０３０６】
フリップされた情報が他のフリップされた画像と同様に扱われる場合には、フリップに先立ってスレーブプレゼンテーションスペース内に提示されていた画像はすべて、該スペースから除去され、そして、上述の画像管理ルールにしたがって再配置される。例えば、ヘルプ情報画像がドラッグされて、スレーブプレゼンテーションスペース１５２２（図６２参照）と関連付けされたスレーブ表示スペース１３０２内の第１のパネルアイコンに重なる位置でドラッグ解除されると、画像がスレーブプレゼンテーションスペース１５２２に当初提示されていた場合には、スペース１５２２内のその当初画像は、スペース１５２４に移動され、スペース１５２４内のすべての初期画像はスペース１５２６に移動される、などとなる。
【０３０７】
フリップされた画像がオーバーレイとして扱われる場合には、フリップに先立ってスレーブプレゼンテーションスペースに提示されていた画像は、ヘルプ情報がスペース内に提示されることができるように、すべてそのスペースから取り除かれるが、取り除かれた画像は、スレーブプレゼンテーションスペースの別の場所に再配置されず、フリップ動作は、スレーブプレゼンテーションスペースに提示されていた他の画像の、スペース内における移動をもたらさない。例えば、ヘルプ情報画像がドラッグされて、スレーブプレゼンテーションスペース１５２２（図６２参照）と関連付けされたスレーブ表示スペース１３０２内の第１のパネルアイコンと重なる位置にドラッグ解除されたときに、画像がスレーブプレゼンテーションスペース１５２２に当初提示されていた場合には、スペース１５２２内のその当初画像は、ヘルプ情報が提示されることができるようにスペース１５２２から取り除かれる。
【０３０８】
一部の実施形態においては、図６２に示すように、ヘルプトピックがヘルプウィンドウ１５１６から選択されると、トピック情報は、マスターユニットワークスペース領域１５１０に提示される代わりに、デフォルトではスレーブプレゼンテーションスペースに提示される。特定のトピックのためのヘルプ情報が、単一のプレゼンテーションスペースが許容するよりも大きなスペースを要する場合には、ヘルプ情報は、複数スレーブプレゼンテーションスペースによって提示されてもよい。
【０３０９】
一部の実施形態においては、ヘルプトピックが選択されてそのヘルプ情報がマスターユニットワークスペース領域１５１０内に初回提示された場合にさらなるトピックが選択されると、それまでのヘルプトピックに関する情報をスレーブプレゼンテーションスペース側に表示させることができる。例えば、ユーザが第１のヘルプトピックを初回選択して関連情報を取得するとともに、第１のトピックに関連した情報に加えて追加的な選択可能なヘルプサブトピックを含むヘルプウィンドウがワークスペース領域１５１０の上に開かれる場合には、追加的なヘルプサブトピックから第２のヘルプトピックが選択されると、第１のヘルプトピックに関連した情報が、ウィンドウ内にまたは他の形式によって、第１のスレーブプレゼンテーションスペース１５２２へ自動的にフリップされ、そして、（１）別のウィンドウがワークスペース領域１５１０内に開かれて第２のトピックに関連した情報が提示されるか、または、（２）第２のヘルプトピック情報が、当初ウィンドウ内に提示される。同様に、第３のヘルプトピックが追加的なサブトピックから選択されると、第２のトピックに関連する情報が、ウィンドウ内にまたは他の形式によって、第２のスレーブプレゼンテーションスペース１５２４へ自動的にフリップされ、（１）別のウィンドウがワークスペース領域１５１０内に開かれて第３のトピックに関連する情報が提示されるか、（２）第３のヘルプトピック情報が当初ウィンドウに提示される。
【０３１０】
ヘルプ情報が、スレーブプレゼンテーションスペースに提示され、および／または、スレーブプレゼンテーションスペース内の画像の上に表示されるウィンドウ内に提示されているすべての場合において、ヘルプ情報を提示された画像から削除するには、ヘルプ機能をオフにするだけでよい。少なくとも幾つかの実施形態において、図６２のヘルプアイコン１５１２を選択したうえで「ヘルプを閉じる」アイコン１５２１を選択すれば、ヘルプ機能をオフにすることができる。
【０３１１】
幾つかの実施形態においては、ヘルプ機能をオフにすると、システム状態は、ヘルプ機能をオンにする直前の状態に復帰する。ここで、例えば、ヘルプ機能を起動する前に、６つの画像がスレーブプレゼンテーションスペース１５２２ないし１５３２に提示されているとともに１つの画像がワークスペース領域１５１０に表示されていた場合には、ヘルプ機能がオフになると、もともと表示されていたこれらの７つの画像が再度提示される。
【０３１２】
他の実施形態においては、ヘルプ機能をオフにすると、ヘルプ機能のオン状態の間に生じた、提示された情報に加えられた変更内容はすべて維持される。例えば、ヘルプ情報画像が、通常のフリップされた画像（すなわち、プレゼンテーションスペースの他の画像の動きの原因となった画像）として扱われる場合には、スレーブプレゼンテーションスペース１５２２、１５２４、１５２６によって３つのヘルプ画像がヘルプ動作の間に提示された状態でヘルプ機能がオフ状態とされると、その３つのスペース１５２２、１５２４、１５２６はブランクスペースとなる。
【０３１３】
少なくとも幾つかの実施形態において、プレゼンテーションシステムがヘルプ機能をサポートしており、関連する動作がシステムによってユーザのためにシミュレートされることが前提とされている。例えば、再び、ユーザがスレーブ表示領域１３０２の内側でのまたは外側へのパネルアイコンの移動に関連するヘルプ情報を探している場合には（図４７参照）、その動作と結果とを示すため、システムプロセッサは、ドラッグおよびドラッグ解除動作をマスターユニットにより実際に示すとともに、スレーブプレゼンテーションスペースに該動作の結果を表示させる（すなわち、スレーブ画像はそれに応じて移動または変更される）。このように、例えば、プロセッサが、マスターユニットを制御してツール領域１３００内のパネルアイコンへのポインティングアイコンの動きを示してパネルアイコンのいずれかを選択し、その選択されたパネルアイコンを別の場所へドラッグすることを示し、さらに該アイコンをドラッグ解除することを示してアイコンが置換されたことを示す。その間、プロセッサは、スレーブプレゼンテーションユニットを制御して、表示されたスレーブ画像を適宜変更させる。
【０３１４】
少なくとも幾つかの実施形態において、ヘルプ情報がウィンドウ表示される場合には、該ウィンドウは小さな付箋紙として表示される。ここで、新しいヘルプトピックが開かれると、その新しい付箋紙は、マスターユニットにより提示されるか、あるいは、スレーブプレゼンテーションスペースに提示される。ここで、付箋紙の外見は、システムユーザにとって、付箋紙によって提示された情報は恒久的な情報ではないこと、および、提示された情報の下側には元の画像が依然として存在しており、ヘルプ機能が終了すれば再び表示されるであろうことを示すものである。少なくとも幾つかの場合において、付箋紙は、専らヘルプナビゲーションのために用いられるものである。例えば、ヘルプ機能が初回に起動されると、一般ヘルプトピックが第１の付箋紙によって提示される。第１の付箋紙に属するサブトピックが選択されると、より具体的なトピックその他を含む第２の付箋紙が、マスター側スペースまたはスレーブ側スペースのいずれかによって提示される。
【０３１５】
別の進歩的な様相によれば、マスターユニットまたはマスタープレゼンテーションユニットとともに用いられる他のインタフェース装置は、各プレゼンテーションユニットが、同様の外見を有する画像を映し出すことができるように、例えば、スレーブプレゼンテーションユニットの明るさ、コントラストなどの表示属性を調整するために用いることができる。この点で、プレゼンテーションシステムが２以上のプロジェクタを備えている多くの場合においては、プロジェクタは、異なる明るさのレベル、カラーコントラストなどを有する画像を映し出すと考えられる。これは、異なるタイプのプロジェクタが用いられていることが理由であるか、あるいは、同一のプロジェクタが複数台用いられている場合にはプロジェクタの累積使用時間が実質的に相違する（すなわち、プロジェクタの使用期間が長くなるにつれて、映し出された画像の質が劣化する、プロジェクタ照明の明るさが低下することが理由である。
【０３１６】
複数プロジェクタまたは異なる画像生成ソースからなる表示画面を用いて情報が提示されている場合には、異なるプロジェクタまたは画面およびソースが異種の属性を有する画像を生成することがしばしばある。例えば、単一の画像の第１の画像インスタンスおよび第２の画像インスタンスが、互いに独立な第１のプロジェクタおよび第２のプロジェクタによって、第１のプレゼンテーションスペースおよび第２のプレゼンテーションスペースにそれぞれ提示される場合には、しばしばハードウェア構成の相違が原因で、画像が同一であるにもかかわらず、画像が非常に異なる外見を呈することがある。第１のプレゼンテーションスペースおよび第２のプレゼンテーションスペースがそれぞれ異なる場所（互いに独立な会議室）で用いられている場合には外見が異なっても許容範囲であろうが、２つのスペースが近接して設置されていると、外見の相違が目立ってしまうので、多くの場合、気を散らせる原因になることがある。
【０３１７】
２以上の画像が近接した並列状態で提示されたときに特にまぎらわしい画像特性の１つが、画像の明るさである。プロジェクタにより、メーカーにより、画像明るさはまちまちであり、同型式のプロジェクタ相互間でも、片方が他方よりも古ければ明るさが違ってくる（すなわち、プロジェクタ明るさは経時的におよびプロジェクタ使用期間に伴い劣化する）。
【０３１８】
図６３は、一例としてのシステムを示す図である。マスターディスプレイユニット１７００は、プロジェクタ明るさを調整することができる。図６３において、３つのプロジェクタ１７０８、１７０６、１７０４が、システムプロセッサ／サーバ１７０２経由でマスターユニット１７００に接続されている。第１のプロジェクタ１７０８は、２つの画像をプレゼンテーションスペース１７３８、１７４０に映し出すように構成されている。第２のプロジェクタ１７０６は、２つの画像をスペース１７４２、１７４４に映し出すように構成されている。そして、第３のプロジェクタは、２つの画像をスペース１７４６、１７４８に映し出すように構成されている。
【０３１９】
図示されているように、スペース１７３８、１７４０内の画像は、空白状態で示されており、これは相対的に明るい画像であることを示している。スペース１７４２、１７４４内の画像は、左下方から右情報へ傾斜している陰影線で示されており、これは、スペース１７３８、１７４０内の画像よりも暗い画像であることを示している。そして、スペース１７４６、１７４８内の画像は、格子状の陰影線で示されており、これは、スペース１７４２、１７４４内の画像よりもさらに暗い画像であることを示している。なお、画像明るさは、画像を生成する特定のプロジェクタの関数として与えられる。
【０３２０】
図６３において、プロセッサ１７０２は、制御信号を各プロジェクタ１７０８、１７０６、１７０４に送信して、見た目のプロジェクタ明るさを調整することができる。この目的のため、多くのプロジェクタは、その照明（電球）の強度を調整することができず、照明強度を変更することによっては明るさを調整することができない。この場合には、映し出された画像の見た目の明るさを修正することができるように、他のプロジェクタ設定を調整して、映し出された画像特性を所定の態様にて修正することができることが理解されよう。例えば、一部の場合において、画像カラーを変更して見た目の明るさを調整することができる。
【０３２１】
図６３に示すように、少なくとも幾つかの進歩的な実施形態において、プロジェクタ調整アイコン１７２２（「プロジェクタアイコン」１７２２とも表記する）が、マスターユニットスクリーンショットのツール領域１３００に設けられており、ワークスペース領域１７２５が、ツール領域１３００の下方に設けられている。プロジェクタ調整アイコン１７２２を選択すると、プロジェクタ制御ウィンドウ１７２８がマスターユニットワークスペース領域１７２５内に開かれる。プロジェクタ制御ウィンドウ１７２８には、ウィンドウ１７２８を閉じるためのアイコン１７２４が設けられている。アイコン１７２４に加えて、ウィンドウ１７２８は、サーバ１７０２に接続された各プロジェクタのための個別のプロジェクタアイコン（３つのプロジェクタアイコンを集合的に引用符号１７２６で示す）と、各プロジェクタアイコン１７２６と関連付けされたスライドバー調整ツール１７３０、１７３２、１７３４とを備えている。明るさに関する前記議論にしたがって、システムユーザは、調整ツール１７３０、１７３２、１７３４のいずれかのスライドバーを選択およびドラッグして、関連付けされた投影画像の見かけ上の明るさを上下方向で調整することができる。
【０３２２】
マスターユニット１７００によって実行することができる他のプロジェクタ調整処理（例えば、画像生成に用いる赤、緑、青の３色に対して行う具体的な調整）が想定されている。青、緑および赤に対する個別のカラー調整が提供されている場合には、各カラーを互いに独立に調整することができる。調整を行うに際して、プロジェクタは、調整を行っているユーザにフィードバックを提供することができるように制御されている。
【０３２３】
少なくとも幾つかの実施形態において、プロジェクタのいずれか１台によって生成された画像を補正するためのカラー補正を行うことができる。この目的のため、少なくとも幾つかの実施形態において、ユーザが、映し出された画像の異なる部分を選択し、画像の互いに独立な部分の明るさを調整して、映し出された画像の周辺部分または真ん中部分での明るさムラを補正することができるようなインタフェースが提供されている。ここで、再び、少なくとも幾つかの場合において、カラー補正は、３つのプロジェクタカラーである赤、緑および青のそれぞれを別個独立に調整することを含む。
【０３２４】
図６３を再度参照すると、上述のシステムが、マスタープレゼンテーションユニットを用いて見かけ上のプロジェクタ明るさを調整するものとして説明されているのに対し、少なくとも幾つかの実施形態においては、プロセッサ１７０２に接続されたラップトップパソコン１７１２などの他のインタフェース装置を用いて明るさ調整を行うこともできる。ここで、マスターユニットによりプロジェクタ制御ウィンドウ１７２８を提供することに代えて、制御ウィンドウ１７２８を、ラップトップ表示装置またはその他の接続されたインタフェース装置により提供することができる。このウィンドウツールは、前述したのと同様の態様にて動作することができるものである。
【０３２５】
少なくとも幾つかの実施形態において、マスターユニットおよび関連付けされたスレーブプレゼンテーションユニットを備えた会議システムは、特定の会議室と関連付けされているか、会議室が、プロジェクタ特性を制御する方法と同様の方法でマスターユニットにより制御されることができる他の環境装置を含んでいるような、特定の会議室と関連付けされることもできる。
【０３２６】
図６４は、プロジェクタおよびその他の環境装置がマスターディスプレイユニット１７５０によって制御可能とされている一例としてのプレゼンテーションシステムを示す図である。図６４において、図６３の場合と同様に、３つのプロジェクタ１７０８、１７０６、１７０４が、システムプロセッサ／サーバ１７０２を介してマスターユニット１７００に接続されている。第１のプロジェクタ１７０８は、２つの画像をプレゼンテーションスペース１７３８、１７４０に映し出すように構成されている。第２のプロジェクタ１７０６は、２つの画像をスペース１７４２、１７４４に映し出すように構成されている。そして、第３のプロジェクタは、２つの画像をスペース１７４６、１７４８に映し出すように構成されている。ユニット１７５０によって制御することができるその他の装置としては、以下のものに限定する趣旨ではないが、会議カメラおよび該会議カメラ用ディスプレイハードウェア１７８０、音響装置１７８２、ブラインド１７８４、照明１７８６などを挙げることができる。
【０３２７】
プロジェクタ１７０８、１７０６、１７０４およびその他の環境装置は、図６３に示すように、システムプロセッサ／サーバ１７０２に接続されている。システムプロセッサ／サーバ１７０２は、マスターユニット１７５０に接続されている。図示されたマスターユニットのスクリーンショットは、ツール領域１３００およびその下方にワークスペース領域１７６６を備えている。ツール領域１３００には、会議室機器の制御部にアクセスするために選択可能な追加的な環境アイコン（植物アイコン）１７５４が備えられている。この目的のため、環境アイコン１７５４を選択すると、会議室管理ウィンドウ１７５２がワークスペース領域１７６６内に開かれる。
【０３２８】
一例としての会議室管理ウィンドウ１７５２は、ウィンドウを閉じるための「ウィンドウを閉じる」アイコン１７５６と装置制御ツールとを備えている。装置制御ツールは、会議室ブラインド１７８４のための「閉じる／開く」アイコン１７５８と、会議カメラ１７８０のための「オン／オフ」アイコン１７６０と、音響装置１７８２を制御するための「オーディオオン／オフ」アイコンと、プロジェクタ１７０８、１７０６、１７０４の動作状態を制御するためのプロジェクタオン／オフアイコン１７６４、１７６６、１７６８と、会議室照明１７８６の照度を制御するためのスライド式照明コントロールバーと、を備えている。アイコン１７５８、１７６０、１７６２、１７６４、１７６６、１７６８、１７７０は、ステートを選択的（例えば、オンからオフおよび逆方向）に変更するトグル型アイコンである。選択がウィンドウ１７５２により行われるので、選択は、プロセッサ１７０２によって実行されることになる。選択後、ユーザは、アイコン１７５６を選択して室管理ウィンドウ１７５２を閉じることができる。
【０３２９】
図６４に図示された例においては、プロジェクタ１７０８、１７０６がスイッチオンされている（アイコン１７６４、１７６６を参照）が、アイコン１７７０は、プロジェクタ１７０４がオフ状態とされたことを示している。コントロールアイコンの状態と対応して、プロジェクタ１７０８、１７０６は、それぞれ、画像を映し出している状態で示され、プロジェクタ１７０４は画像を映し出していない。プロジェクタの状態を反映して、ツール領域１３００内のスレーブ表示領域１３０２は、前述したケースでは６つの画像を枠で囲んでいたが、それに代えて、プロジェクタ１７０８、１７０６によって映し出された４つの画像に対応する４つの画像のみを枠で囲んでいることに留意すべきである。
【０３３０】
上述したような会議システムを使用する際の周囲の状況が、異なる会議セッションの間でも似通っていることがしばしばあることが理解できよう。容易なシステムおよび会議室の利用を支援するために、一部の実施形態においては、マスターユニット１７５０は、上述のユーザ選択（ユーザ設定）を取得するためマスターユニット１７５０が始動されると環境／室管理ウィンドウ１７５２を提示するようにプログラムされている。その後、指定されたユーザ選択がのちの使用のために保存され、その結果、その後マスターユニットが起動される際には、環境装置が制御されて自動的にその指定されたユーザ選択に対応するステートが設定されることになる。少なくとも幾つかの実施形態において、図６３に示すように、のちの利用のためのユーザ選択の保存を支援するために、会議室管理ウィンドウ１７５２は、指定されたユーザ選択を保存することを示す「アーカイブ」アイコンまたはそれに類似した他のツールを有している。ユーザ選択が保存された後でマスターユニットが起動されると、その装置が自動的に制御されて、ユーザ選択されたステートとなる。
【０３３１】
マスターユニット起動後であればどの時点でも、マスターユニットのユーザは、環境アイコン１７５４を選択することにより会議室管理ウィンドウにアクセスすることができ、それにより、現在の装置ステートを変更することができる。１以上の装置ステートが変更されると、アーカイブアイコン１７７４を選択してユーザ選択としてアーカイブすることができ、あるいは、閉じるアイコン１７５６を選択することで現在のセッションのみにそれらステートを適用するようにすることもできる。その場合には、その後その指定された装置ステートに対する変更内容は、現在のセッションの間は維持されるが、将来のセッションのためにはアーカイブされない（すなわち、前回までに指定されたユーザ選択内容が新しい選択内容がアーカイブされるまで維持される）。
【０３３２】
少なくとも幾つかの実施形態において、既存の会議室管理システムの制御を可能にする室管理ウィンドウは、Ａｃｔｉｖｅ−Ｘプラグインにより提供されている。
【０３３３】
図５８および図５９に示した複数ディスプレイユニットの場合には、少なくとも幾つかの実施形態において、プレゼンテーションスペースは、機械的または電子的に回転可能であり、プレゼンテーションスペースが、垂直方向または水平方向とされることができるようになっている。このように、例えば、スレーブプレゼンテーションスペース１４６６、１４６８が垂直方向に向いている状態で示されている図５８においては、一部の実施形態においては、スレーブプレゼンテーションスペース１４６６、１４６８は、図５９のスレーブプレゼンテーションスペース１４８６、１４８８の方向と同じ水平方向へ回転されることが容易になるように機械的に取り付けられている。他の場合においては、回転は電子的に行われる。同様に、少なくとも幾つかの実施形態において、マスターユニットおよびスレーブプレゼンテーションスペースの場所は、マスターユニットが該ユニットの右側または左側に置かれることができるように、機械的または電子的に修正することができる。
【０３３４】
図５５を再度参照すると、一部の実施形態においては、サーバ１４３２は、システム利用およびマスターユニット１４２２へのリモート接続を監視するとともに、課金目的のためにシステムおよびリモート接続を追跡する別のサーバへ、使用情報をネットワーク経由で定期的に送信するようにプログラムされている。
【０３３５】
複数の会議参加者が異なる場所に所在しており、かつ、システムが２以上の出席者によって制御可能とされている少なくとも幾つかの一例としてのシステムの別の様相によれば、特定の出席者が表示された画像を変更する動作またはマスタープレゼンテーションユニットとのやりとり動作を行うと、その出席者に対応するアイコンが強調表示されて、誰がシステムの制御を行っているか、誰が変更を行っているかが示されるようになっている。この目的のため、図６５には、図３８を参照して上述したスクリーンショットと同様の一例としてのマスター側ディスプレイのスクリーンショット１８０が示されている。
【０３３６】
図６５において、遠隔地からの各会議出席者と関連付けされたアイコン１８０５が、ツール領域１００２に設けられており、そこには、特定のリモートユーザと関連付けされた１つのアイコン１８０６が含まれている。アイコン１８０６と関連付けされたユーザがリモートコンピュータを用いてペン型カーソル１８０２を制御して楕円（符号１８０４で示す）を文字列「ＳＣ  ＤＥＡＬＥＲ  ＤＥＶＥＬＯＰＭＥＮＴ」の周囲に描画するときに、少なくとも幾つかの場合において、楕円が描画される間、アイコン１８０６が視覚的に区別されている（例えば、黄色表示に変わる、点滅するなど）。ここで、ユーザが楕円１８０４の描画を停止すると、ユーザがワークスペース領域１００４内での他の修正も中止した場合には、アイコン１８０６はもはや視覚的に区別されなくなる。
【０３３７】
別の場合においては、ユーザがアイコン１８０６と関連付けされたリモート装置を用いて楕円１８０４を描画する場合には、アイコン１８０６が視覚的に区別され、別のユーザが別のインタフェース装置（例えば、マスターユニットまたは別のリモートコンピュータ）を用いて何らかの画像変更動作を行うまで、視覚的に区別された状態に留まる。例えば、アイコン１８０６と関連付けされたリモート装置を用いて楕円１８０４の描画が行われており、マスターユニット画像の変更のためまたは他の機能の実行のためにマスターユニットとやりとりを行うために用いられている他のリモート装置がない場合には、アイコン１８０６は、全１０分間にわたって視覚的に区別された状態に留まる。ここで、区別されたアイコンは、マスタースペース画像の変更またはマスターユニットとのやりとりを行った最後のユーザまたはそれに用いられたリモート装置を示している。
【０３３８】
特定のユーザが各リモート装置と関連付けされているさらに他の場合には、リモートユーザがマスター用ワークスペース領域１００４に表示された画像に変更を加えているときに、ユーザＩＤ（例えば、図中「Ｊｏｈｎ  Ｓｍｉｔｈ」やユーザのイニシャルなどの「ユーザ名」）によって現在のユーザを示すユーザ識別子１８０７がツールスペース１００２に提供されてもよい。あるいは、誰がどの時点でカーソルを操作しているのかを示す、ディスプレイ上のペンまたはカーソルアイコンの周囲に追従する同様のユーザ識別子ボックスを設けてもよい。
【０３３９】
さらに一部の他の場合においては、ある機能がオンされて、ストロークまたはある画像上の他の画像オブジェクトが選択されると（例えば、ストローク／オブジェクトの上にアイコンを位置させることにより、または、ストローク／オブジェクトをクリックすることにより選択されると）、ストロークまたはオブジェクトを画像に追加した人物の本人性が示される。ここで、本人性を示す方法は複数考えられるが、例えば、図６６のフィールド１８０７のようなユーザ識別子を提供するなどして、あるいは、ストロークまたはオブジェクトを選択するのに用いられるポインティングアイコンに隣接してフィールド１８０７のようなフィールドまたはボックスを提供する（図６６の１８６９参照）などして、ストロークを施すまたはオブジェクトを追加するのに使われたリモートコンピュータと関連付けされたリモートアイコン（例えば、図６５のアイコン１８０５のいずれか）を強調表示することなどが考えられる。他の方法としては、ストロークまたはオブジェクトを作成者／編集者と関連付けすることが考えられる。
【０３４０】
場合によっては、その機能が起動されるとある画像上の全情報の作成者が提供されるような機能を提供してもよい。例えば、図６６に示すように、この機能が起動されると、フィールド１８６９、１８７１、１８７３、１８７５が、画像を構成する各オブジェクトに隣接して提供されて、そのオブジェクトを追加した編集者がそのフィールドに識別される。ここで、少なくとも幾つかの場合において、編集者フィールドを設けることに加えて、オブジェクトは、編集者ごとにカラーコードで識別されてもよいであろう。例えば、ある編集者によって追加されたすべてのオブジェクトが第１のカラーで提示され、第２の編集者によって追加されたすべてのオブジェクトが、第２のカラーで提示されるといった具合にしてもよい。
【０３４１】
さらに他の場合において、特定のユーザがワークスペース領域１００４内のマスター側ワークスペース画像に変更を加えると、それとは別の他のユーザが直近に行った画像に対する変更の後で生じた、前述特定のユーザによるすべての変更が、強調表示されるか、あるいは、視覚的に区別して表示されて、該変更を行うのに使用されたリモート装置の同一性によって互いに関連付けられた変更内容が示されるようになっている。
【０３４２】
例えば、図６５において、他のユーザが表示された画像を変更するものと仮定すると、アイコン１８０６と関連付けされたユーザが、楕円１８０４を作成し、楕円１８０４の下側に表示されたテキストをマスター側ワークスペース領域１００４内に配置する。ここで、テキストが画像に追加されたときに他のテキストが黒で表示されているかあるいはユーザが選択した色で表示されている一方で、アイコン１８０４と関連付けされたユーザによって追加された楕円１８０４およびテキストは、黄色で強調表示され、そして、他の追加されたテキストおよび図形は、他の出席者が別の装置を用いて表示画像に対して変更を加えるまで、黄色で強調表示される。表示画像に対する変更を行うために別のリモート装置が用いられると、アイコン１８０６とリモートで関連付けされたユーザによってなされた、前回までに黄色で強調表示されていた変更内容については、強調表示が解除され、その代わりに、他の出席者による新しい変更内容が所定の視覚的に区別する態様にて示される。ここで、直近の画像編集者による変更内容のストリングを視覚的に区別する態様で示すこととあわせて、編集に用いたリモート装置を上述の方法のいずれかによって表示してもよい（例えば、アイコン１８０５のうち関連付けされたアイコンを強調表示する、識別フィールド１８０７を設ける等）。
【０３４３】
場合によっては、マスターユニットは、特定のリモート装置およびマスターユニットを用いてなされた変更内容が、互いに視覚的に区別されるモードをもっている。例えば、一部の場合において、会議へ接続している各リモート装置が特定のカラーを割り当てられ、リモート装置を用いて行った画像変更はすべて、その装置と関連付けされたカラーで画像内に表示される。この目的のため、図６６には、ツールスペース１００２と、画像がその中に表示されているワークスペース領域１００４とを有する、図６５のスクリーンショットと同様のマスターユニットのスクリーンショット１８２０が図示されている。
【０３４４】
ここで、リモートアイコン１８２６、１８３０、１８３２、１８３４は互いに異なる仕方で強調表示される。例えば、アイコン１８２６の色調は青であるが、アイコン１８３０の色調は赤であり、アイコン１８３２の色調は緑であるなどである。リモートアイコン１８２６と関連付けされたユーザが、ワークスペース領域１００４に図示された画像に対して変更を行うと、その変更は、特定のリモートアイコンと関連付けされたカラーで示されるが、この場合は、青となる。同様に、アイコン１８３０と関連付けされた装置による変更内容は赤で示される。少なくとも幾つかの場合において、上記カラーコーディング（色による識別）機能は、オンオフ設定可能である。例えば、カラーコーディング機能がオフ状態であれば、すべての画像オブジェクトが、その変更を行った編集者が選択した任意のカラーで示される。また、カラーコーディング機能がオン状態であれば、すべての画像オブジェクトが、特定のリモート装置アイコンと関連付けされたカラーで示される。
【０３４５】
一部の実施形態においては、表示された画像およびサムネイル画像のすべてに対して、または、マスターユニット画像についてのみ、特定の会議出席者によってなされたすべての変更が強調表示されるかまたは他の画像の特徴に対して視覚的に区別される。ここで、例えば、「マスター側画像変更を強調」オプションおよび「すべての画像変更を強調」オプションを含むドロップダウンメニュー（図示せず）が、リモートユーザアイコン１８０５のそれぞれと関連付けされている。ここで、「マスター側画像変更を強調」オプションが特定のリモート装置アイコンに対して選択されている場合には、関連付けされたリモート装置で行ったマスター側画像に対する変更内容が強調表示されるか、あるいは、視覚的に区別される。同様に、「すべての画像変更を強調」オプションが、特定のリモート装置アイコンに対して選択されている場合には、関連付けされたリモート装置で行った表示画像およびサムネイル画像のすべてに対する変更内容が強調表示されるか、あるいは、視覚的に区別される。
【０３４６】
別の様相によれば、少なくとも幾つかの実施形態において、システム会議電子接続用装置はすべて、印刷型処理により会議にドキュメントをアップロードすることができる。この目的のため、図６７に示すように、図４４について説明したスペースに似たツールスペース１８５０が図示されている。ツールスペース１８５０は、スレーブ表示領域１８５２と、複数のリモートユーザアイコンとを備えている。リモートユーザアイコンには、１つのリモートユーザアイコン１８５４が含まれている。図６７に示すように、はじめはスレーブ表示領域１８５２には画像が表示されていない。
【０３４７】
リモートユーザアイコン１８５４に関連付けされた出席者が、８ページからなるドキュメントを、マイクロソフト社のワードその他のアプリケーションからアップロードしたいときには、出席者は、印刷コマンドを選択して、画像の印刷先としマスターユニットまたはイーゼルを備えた会議システムを選択する。選択後、８ページからなるドキュメントのバージョンがリモートコンピュータ内に生成され、会議システムと関連付けされたウィンドウを介して、リモートコンピュータ上に提示される。加えて、マスターユニットまたはイーゼルへ送信された８ページからなるドキュメントのバージョンを、スレーブ表示領域１８５２内の６つのスレーブ表示フィールド１８６０、１８６２、１８６４、１８６６、１８６８、１８７０と、２つのセッション画像フィールド１８７４、１８７６（図６８参照）とに移植することができる。また、画像は、閲覧のため、マスターユニットワークスペース領域１００４により表示され、および、スレーブプレゼンテーションスペースにより表示されることができる。その後、上述の画像変更プロセスおよびセッション画像生成プロセスは、いずれも表示された画像上で実行することができる。
【０３４８】
上述の例では、アイコン１９０８と関連付けされた別の出席者が、引き続いて、２つの追加的な画像をアップロードしたいと考え、フィールド１８６２内の第２の画像が、図６８において強調表示された状態でマスターユニット上に現在表示されている場合には、その２ページ構成のドキュメントが会議システムに印刷出力されると、２つの新画像のバージョンが生成され、それまでの表示画像がスペース１８６２以降からシフトし（リップルを示し）、２つの新しい画像のためのスペースが確保される。このリップル動作の結果は、図６９に示されている。新しい画像９、１０が、スペース１８６２、１８６４を占めており、当初スペース１８６２内にあった画像２が、スペース１８６６へリップル移動され、そして、画像７、８は、追加的セッション画像スペース１９００、１９０２へ移動される。この印刷動作により、単純な仕方で他のリモート装置とドキュメントを共有することができるように、任意のリモート装置を用いて会議システムにドキュメントをパブリッシュすることができる。
【０３４９】
さらに一部の他の実施形態において、図５８および図５９を参照して上述したシステムと同様のプロジェクタシステムは、従来の外見を有するファーニチュア内に据付されており、ファーニチュアは、スレーブ用ディスプレイスペースを備えていない（例えば、ファーニチュアにはスクリーンがない）が、その代わりに、一部の他の構造によって提供されるフラットな略垂直な表面を映写表面として用いている。この目的のため、一例としてのシステム１９４０が、図７０ないし図７２に図示されている。
【０３５０】
システム１９４０には、２つのプロジェクタ組立体１９５４、１９５６が、サイドテーブル棚組立体１９４２の内部に設けられている。本実施形態においては、サイドテーブル（ｃｒｅｄｅｎｚａ）１９４０は、少なくともシステムコンポーネントのサブセットを収容するための一体形成されたキャビティ１９５０をなす直線的な壁部構造１９４２と、複数のドア（２つが引用符号１９４４によって集合的に示されている）と、内部壁部および棚構造１９５２と、ガラス製上部部材１９４６と、を備えている。プロジェクタ１９５４、１９５６は、ガラス製上部部材の直下の上部棚に配置されている。
【０３５１】
プロジェクタ１９５４、１９５６は、それぞれ、同様のデザインと同様の動作とを有するので、説明の便宜上、プロジェクタ１９５６のみを詳細に説明することにする。図７２に示すように、プロジェクタ１９５６は、上壁ウィンドウ１９５５を有する筐体（独立に符号を付さない）と、プロジェクタユニット１９７０と、ミラー１９７２とを備えている。
【０３５２】
プロジェクタユニット１９７０およびミラー１９７２は、筐体内に配置されて、プロジェクタユニット１９７０によって映し出された画像が、ミラー１９７２で上方へ反射されててウィンドウ１９５５を透過し、そして、サイドテーブル１９４０のほぼ背後へ（すなわち、ドア１９４４が面している面と反対側のサイドテーブル側面へ、そして、上部部材１９４６の後縁部の後方へ、そして、そこから略垂直に上方へかつスペース１８５１内へ）進む。ここで、上部部材１９４６がガラス材で構成されているので、プロジェクタ１９５６、１９５６から上方へ映し出された画像は上部部材を透過する。ドア１９４４に対向しているサイドテーブル１９４０の裏面は、平坦な壁部とほぼ対向しており、映し出された画像が、該壁部の表面に映し出される。ここで、以下のことが想定されている、すなわち、サイドテーブル１９４４内に配置されたプロジェクタは、少なくとも幾つかの用途のためにのみ用いられてスレーブ画像を提供するように構成されており、そして、上述したのと同様のマスタープレゼンテーションユニットが、サイドテーブル組立体１９４０とともに用いられて、上述の方法を支援するようになっている。
【０３５３】
図７２に示すように、少なくとも幾つかの場合において、キャスターまたはホイールがサイドテーブル１９４２の底部に設けられており、サイドテーブルおよびその内部に設置されたコンポーネントが任意の場所から他の任意の場所へ移動されて使用されることができるように配慮されている。少なくとも幾つかの場合において、プリンタ１９４３および他のシステムコンポーネント（例えば、マスターユニットサーバ等（引用符号なし）は、スペース１９５０に配置されている。
【０３５４】
少なくとも幾つかの場合において、ガラス上部部材１９４６は、不透明または透明となるように制御可能な高分子分散液晶（ＰＤＬＣ）ウィンドウ部材を備えている。ＰＤＬＣは、電子制御された光散乱の原理に基づいて動作する。ＰＤＬＣは、導電性のガラス２枚の間に挟まれた、ポリマー混合物によって包囲された液晶の微小粒子からなる。電圧が印加されていないときには、液晶の微小粒子はランダムに方向付けられており、不透明状態となる。電圧が印加されると、液晶は電界に対して平行に配列されて光が部材を透過することができるようになり、透明状態となる。ここで、画像を生成するためにプロジェクタが用いられていないときには、ガラス上部部材１９４６は、該上部部材が不透明となるように不活性化されて、スペース１９５０内のプロジェクタおよび他のコンポーネントが隠蔽される。プロジェクタが用いられるときには、電圧がガラスに印加されてガラスが透明となり、映し出された画像が通過することができるようになる。この点で、電源変圧器および制御スイッチが図７２の１８４１として示されている。
【０３５５】
少なくとも幾つかの場合において、スレーブ画像を必要に応じて所定の方法にて制御することができるように、不透過率制御スイッチがマスターユニットに接続されている。不透過率制御されたガラスをＰＤＬＣタイプのガラスとして説明しているが、可変不透過率を有する電子制御型ガラス組立体であればどのようなものを用いてもよい。以下では、不透過率制御可能なガラスは、一般的には、特に断らないかぎり、不透過率制御ガラス（ｏｐａｃｉｔｙ  ｃｏｎｔｒｏｌｌａｂｌｅ  ｇｌａｓｓ）と表記する。加えて、プロジェクタを隠蔽および露呈させるための不透過率制御ガラスを有している他のタイプのファーニチュア、例えば、デスク、テーブル、棚付きなどを用いてもよい。
【０３５６】
さらに他の様相によれば、マスターユニットインタフェースシステムの一部として自動縮小機能が実装されており、画像スペースに納まるサイズを超えて画像サイズを拡大する動作が実行されると、画像サイズが、自動的に縮小されて、画像の周縁部に情報を追加的に適用することができるように配慮されている。
【０３５７】
この目的のため、図７３に示す一例としてのマスターユニットスクリーンショット２０００には、マスターユニット画像が表示されるワークスペース領域１００４が設けられている。ここで、ワークスペース領域１００４の縁部に沿った見えない境界またはフレームスペースが破線２００２で示されている。例えば、フレームスペースは、表示された画像の４つの側部それぞれに沿った２インチのスペースである。表示画像が変更され、その変更動作の結果、情報がフレームスペースに追加されると、画像を縮小させて変更内容を視認可能にすることができる。例えば、図７３に示すペンアイコン２００４では、マスター画像の上に引かれた曲線２００６が、表示された画像の下側縁部において、線２００２で示すフレームスペース内に延在している。図７４に示すように、曲線がフレームスペース内に入り込むと、追加された曲線２００６ａを含む表示画像が縮小されて、ペンアイコン２００４も曲線２００６ａとともに移動する。
【０３５８】
場合によっては、図７４に示すように、縮小画像は、ワークスペース領域１００４の中央部に移動されて、縮小画像の四辺すべての周囲に情報を追加できるようになっている。他の場合には、図示されていないが、縮小画像は、スペース左上隅またはスペース中央など、ワークスペース領域１００４内の任意の場所に移動することができる。場合によっては、縮小画像は、画像変更動作がフレームスペース２００２内に進入した場所から最も離隔したワークスペース領域１００４内の場所に移動することができる。例えば、曲線２００６がワークスペース領域１００４の下縁部スペースに入り込んでいる状態を示す図７３で説明すると、縮小画像は、ワークスペース領域１００４の上側中央の縁部の付近に移動される。同様に、曲線がワークスペース領域１００４の右縁部に沿ってスペース２００２内に入り込んでいるのであれば、縮小画像は、ワークスペース領域１００４の左側中央の縁部に沿って再配置されるように移動されてもよい。
【０３５９】
少なくとも幾つかの場合において、動的なサイズ変更が生じることがある。例えば、スペース２００２において画像変更動作が必要になった際に、画像が当初、３０％縮小された場合には、その変更動作がスペース２００２内に若干入り込むに留まり、その後なされた表示画像に対する変更が、より小さい画像スペースの境界の内側で生じるに留まるのであれば、後続する画像変更が行われるときには、画像のサイズ変更を再度行ってより大きなサイズの画像となるようにしてもよい（例えば、原画像に対して３０％ではなく１０％だけサイズ縮小された画像を表示する等）。このようにすれば、画像全体を収容しうる最大サイズの画像が自動的に提供される。
【０３６０】
この場合、画像サイズの再変更は、画像への変更の合間に実行されて、サイズの再変更がシステムユーザの画像とのやりとりに悪影響を与えないように配慮されている。したがって、例えば、画像変更動作が当初の画像スペースから少しだけはみ出ている場合における、当初の３０％のサイズ縮小の後、後続する１５秒間における画像に対する追加的変更が、「原画像プラス原範囲からの該若干のはみ出し」として与えられる範囲内に納まる場合には、画像修正動作の中断が生じると画像は２０％だけサイズ拡大されて、可能な最大サイズの画像が自動的に提供される。
【０３６１】
さらに、少なくとも幾つかの場合において、画像修正動作が境界スペース内に納まる場合には、画像サイズの縮小は直ちには生じず、画像縮小動作が画像修正動作の断続化につながらないように、画像縮小動作が現在の画像修正動作が停止したタイミングで生じるようにしてもよい。例えば、図７３に示すように、バウンダリ２００２を曲線が横切っているとともにフレームスペース内を横切っている場合には、サイズ変更は、その曲線を描画するために使用したスタイラスが持ち上げられた後ではじめて生じることになる。ここで、少なくとも幾つかの場合において、所望の曲線は、フレームスペース内で完結するものであってもよく、あるいは、曲線が完結する際にフレームバウンダリ２００２内のスペース内に再度連続しているようなものであってもよい。いずれにせよスタイラスが持ち上げられて現在の動作の終了が示されるとサイズ変更が生じることになる。
【０３６２】
画像を変更するためにペンアイコンが用いられて、変更動作がフレームスペース２００２内にまで延在すると、直ちに実行される画像再配置によって、ペンアイコンの現在位置が、実行されつつあった動作に対して、誤配置されることがある。例えば、図７４に示すように、縮小画像２００８が再配置されると、ユーザがペンアイコン制御スタイラスを場所２００９に位置付ける間、曲線２００６ａが、図示された場所まで上方へ移動されるので、その結果、位置あわせに不具合が生じる。ここで、曲線描画を続けるには、ユーザは、アイコン制御スタイラスをアイコン２００４の先端に対して再調整しなければならない。
【０３６３】
少なくとも幾つかの場合において、一部のマスターユニットの所与のスタイラス位置感知性能を与件とするかぎり、アイコン２００４の先端との再調整、したがって、および、曲線２００６ａの終端部分との再調整は、実行するのが容易ではない。少なくとも幾つかの実施形態においては、マスターユニットが、調整動作が試みられた際に縮小した画像を若干シフトさせることにより再調整を支援する、再調整機能が想定されている。
【０３６４】
この目的のため、図７５に示すように、図７３および図７４について議論した内容にしたがって、縮小された画像２０１２が図示されている。ここで、縮小された画像が再配置された後（例えば、図７４に示すごとくワークスペース領域１００４の中央に再配置されるなど）、システムユーザが、ペンアイコン制御スタイラスを位置付けしなおし、アイコン２００４の先端部分２０１６が収縮した曲線２００６ａの端部２０１４の位置と近接しているが、しかしなお離隔している（例えば、２インチ）ものと仮定されている。
【０３６５】
さて、マスターユニットがアイコン２００４の新しい位置を感知するとともに先端２０１６が端部２０１４の近傍に位置付けられると、マスターユニットは、ユーザがペン先端２０１４を曲線２００６ａの端部２０１４に対して再調整しようと試みているものとみなすようにプログラムされている。再調整を支援するため、点線（そのうち２本を集合的に引用符号２０１８で示す）で示したように、縮小画像２０１２は、曲線端部２０１４が図７６に示した先端２０１６の位置に位置付けられるように、画像全体がシフトされ、その後、ユーザは、曲線２００６ａの描画を所望のとおり完結させることができる。
【０３６６】
他の様相によれば、少なくとも幾つかの場合においては付箋紙機能が備えられている。会議参加者が、周知の小さな「付箋紙」をセッション画像に付加することができ、付箋は、削除または他の画像に移動されないかぎりその画像と一緒に表示される。この目的のため、図６５に示すように、ツール領域１００２内の一の追加的なアイコン１８０９は、「Ｎｏｔｅ」と示されており、このアイコンを選択すると、マスターユニットワークスペース領域１００４に現在表示されている画像に付箋を追加することができる。つまり、アイコン１８０９が選択されると、ワークスペース領域１００４に現在表示されている画像の上部に付箋画像１８０３が開かれる。
【０３６７】
付箋１８０３は、付箋を選択して表示画像の周囲にドラッグすることによりワークスペース領域１００４内で移動することができる。付箋１８０３を閉じるには、付箋と関連付けされた消去ボタン１８１３を選択すればよい。ひとたびメモ１８０３が開かれ、そして、付箋が削除されずあるいは別の画像へ移動されていない場合には、付箋はその画像と関連付けされた状態に留まる。付箋１８０３は、付箋をポインタアイコンで選択してその付箋をオブジェクトのように、ツール領域１００２内に配置された他の画像のサムネイルへドラッグすることで、別の画像へ移動することができる。
【０３６８】
少なくとも幾つかの場合において、セッション画像と関連付けされたすべての付箋をサマリページ上で閲覧することができ、付箋と関連付けされた画像が、関連付けされた付箋を選択することによりマスターユニットによってアクセスすることができるようなツールが設けられている。この目的のため、図６５に示すように、「付箋サマリ（Ｎｏｔｅ  Ｓｕｍｍａｒｙ）」アイコン１８１１がツール領域１００２に設けられている。アイコン１８１１を選択すると、付箋サマリのスクリーンショット２１００が図７７に示すごとく図示される。
【０３６９】
図７７に示すように、現在のセッション画像群と関連付けされた複数の付箋が、ワークスペース領域１００４に表示されており、ワークスペース領域１００４には、付箋１８０３、１８１７、１８１９等が含まれている。ある付箋が選択されると（例えば、ポインティングスタイラス装置でダブルタップ動作を行うなどして選択されると）、少なくとも幾つかの実施形態において、選択された付箋と関連付けされた画像が、スペース１００２に提示される。図７７に示すように、付箋スクリーンショットがワークスペース１００４に提示されると、「付箋サマリを閉じる（Ｃｌｏｓｅ  Ｎｏｔｅ  Ｓｕｍｍａｒｙ）」アイコン１８２１がツール領域１００２に表示される。このアイコンを選択することにより、付箋スクリーンショットを閉じて、ワークスペース領域１００４内に提示されていた画像と置換することができる。
【０３７０】
少なくとも幾つかの実施形態において、図示されていないが、付箋と関連付けされた日付、時間および作成者情報が、データベースに保存され、特定の日付、時間および／または特定の作成者と対応する付箋が、図７７のスクリーンショット画像２１００のような付箋サマリのスクリーンショットからアクセスすることができる。この目的のため、例えば、ある場合においては、プルダウンメニューがツール領域１００２内の各リモート装置アイコン１８０５と関連付けされている。プルダウンメニューには、作成者ごとの付箋にアクセスすることができるように、付箋オプションが含まれている。別の場合において、プルダウンメニューは、付箋サマリアイコン１８１１と関連付けされており、アイコン１８１１を選択すれば、サマリ形式で付箋にアクセスする際の日付／時間の範囲を指定することができるのである。
【０３７１】
他の一の様相によれば、少なくとも幾つかの場合において、プリスキャンされたセッションテンプレートが、所定の構造をセッション画像上に配置するためにセッションの冒頭においてアクセスされることができるシステムデータベースに保存される。例えば、少なくとも幾つかの場合において、セッションテンプレートは、会社ロゴを含む単一ページで構成されている。テンプレートが単一ページである場合に該テンプレートが用いられると、セッション群のすべての画像に会社ロゴ（またはテンプレート上に存在するあらゆる要素）が含まれるように、新しい画像が生成されるたびにテンプレートが適用される。その後、画像は上述した任意の方法にて変更される。
【０３７２】
他の場合には、テンプレートは、セッションが開始された際に、セッション画像群の第１ページまたは最終ページとして提供される複数ページ（例えば、初期画像）で構成されている。例えば、会社によっては、各セッション画像群の最初の３ページに、セッションタイトル、参加者リスト、セッション時間および日付情報、参加者の時間および日付情報、議論されたトピックなど、標準セッション情報を含むものとする、といったシステム運用ルールを実施したいこともある。ここで、あらゆる新しいセッションが開始されると、新しいセッションテンプレートのインスタンスが開かれ、該インスタンスには、冒頭の３ページが含まれるとともに、マスターユニットによって集められた情報が含まれるか、あるいは、ユーザによってテンプレートに追加される情報が必要とされる。セッション中に生成された追加的な画像は、初期状態では、この複数ページで構成されるテンプレート例ではブランク画像であろう。
【０３７３】
場合によっては、多数の単一ページおよび複数ページテンプレートがシステムによってサポートされており、ユーザが異なるテンプレート形式のいずれも選択することができるようになっている。また、他のテンプレート型式も想定されている。少なくとも幾つかの場合において、セッション画像群のセッション情報の所在場所が変更されないように、最初または最後のテンプレート画像順序は変更することができないようにされてもよい。
【０３７４】
上述のシステムは、会議セッション中に複数の当事者を相互にリンクさせるのに特に有益であるけれども、少なくとも幾つかの場合において、セッション画像は、オフラインでアクセス、閲覧および／または編集することができ、しかる後オンライン復旧してオンラインアクセスを可能とすることもできる。この目的のため、少なくとも幾つかの場合において、リモート装置のユーザは、マスターユニットと関連付けされたサーバにログオンすることができ、複数画像を含むセッションをダウンロードすることができ、そして、しかる後マスターユニットサーバへの接続を切断することができる。その後、リモート装置のユーザは、リモート装置を用いて、セッション画像を上述の任意の方法にて編集することができる。編集後、リモート装置のユーザは、マスターユニットサーバに再度アクセスし、編集したセッション画像を、会議セッション中におけるさらなるアクセスのため、または、別のリモート装置のユーザがアクセスして独立に閲覧および編集することができるように、アップロードすることができる。
【０３７５】
さらに別の様相によれば、幾つかのプレゼンテーションシステムは、カスタマイズ可能なヘルプ画面を備えている。このようなヘルプ画面を設けることにより、情報通信（ＩＴ）部門が、ヘルプが必要な場合にＩＴ部門と連絡するための電話番号または電子メールリンクなどのカスタマイズされたヘルプ情報を提供することができる。例えば、マスターユニットがはじめて起動されて、新しいセッションが開始されるときはいつでも、ＩＴ事業部の連絡先情報が含まれているヘルプスプラッシュ画面がマスター側ワークスペースに表示される。別の例としては、選択操作に応じてトピック別情報をシステムユーザに提供することに加えて、ヘルプボタン１８２９（図６５参照）を選択することにより、カスタマイズされたＩＴ事業部連絡先スクリーンショット（図示せず）にアクセスすることができる。
【０３７６】
さらに別の様相によれば、幾つかのプレゼンテーションシステムは、システムニュースボタン１８３１（図６５参照）を備えている。システムニュースボタン１８３１を選択すると、ダウンロード可能なシステムコンテンツ（例えば、マスターユニット用のテンプレート、新ソフトウェアツール等）にアクセスする、新システム機能およびシステムのより効率的な使用方法などに関するニュースを得るなどが可能である。ここで、少なくとも幾つかの場合において、システムニュースボタン１８３１が選択されると、ニューストピックのリスト、あるいは場合によっては、ダウンロード可能なコンテンツのリストが、公知の態様にしたがって選択されてマスターユニットに表示される。
【０３７７】
少なくとも幾つかのアプリケーションにおいて、事業体（たとえば企業）によってサポートされているシステムアプリケーションへのアクセス者をシステム管理者が容易に管理することができるように、上述したプレゼンテーションシステムは、ＬＤＡＰ（ＬｉｇｈｔｗｅｉｇｈｔＤｉｒｅｃｔｏｒｙ  Ａｃｃｅｓｓ  Ｐｒｏｔｏｃｏｌ）プロトコルをサポートしている（アクティブディレクトリ（ＡＤ）対応など）。アクティブディレクトリをサポートしている他のアプリケーションにおけると同様に、管理者は、システムセッションへのアクセス権限およびセッション画像を開くおよび／または編集する権限を付与および拒否することができる。
【０３７８】
上述のプレゼンテーションシステムおよびそのコンポーネントに加えて、移動式プロジェクタ、および、上述したイーゼル（図２４参照）のような移動式イーゼルまたは移動式／携帯型演壇を用いる他のシステムが想定されている。この目的のため、図７８には、一例としてのプレゼンテーションキットシステム２２０２が会議スペース２２００内に示されている。
【０３７９】
会議スペース２２００は、画像が映し出される壁部２２０６と、１箇所だけ設けられた入口２２０４とを備えている。図７８に図示された例においては、引用符号２２０８、２２１０、２２１２、２２１４、２２１６、２２１８、２２２０、２２２２で示す８つのプレゼンテーションスペースが、壁部２２０６上に図示されている。プレゼンテーションキットシステム２２０２は、移動式演壇組立体２２２４と、引用符号２２２６、２２２８、２２３０、２２３２で示す第１のプロジェクタカート、第２のプロジェクタカート、第３のプロジェクタカートおよび第４のプロジェクタカートとを備えている。プロジェクタカート２２２６、２２２８、２２３０、２２３２は、それぞれ、同様の構成を有し同様の動作を行うので、説明の便宜上、カート２２２６のみを詳細に説明することにしよう。
【０３８０】
図７８、図７９、図８０および図８１に示すように、一例としてのプロジェクタカート２２２６は、底部部材（引用符号なし）と、第１の側壁部材２２４２と、第２の側壁部材２２５０と、後壁部材２２３４と、第１のドア部材２２５２と、第２のドア部材２２５４と、上部部材２２４８と、棚部材２２５６と、ハンドル２２３８と、４つのホイール（集合的に引用符号２２３６で示す）と、プロジェクタ２２６０と、図７９に示す実施形態ではパワーサプライ２２６４と、ワイヤレストランシーバ（すなわち、受信機／送信機）２２４０とを備えている。
【０３８１】
底部部材２２３５は、剛体な直線状かつ略水平状の部材である。ホイール２２３６は、底部部材２２３５の下面に取り付けられている。ホイール２２３６は、それぞれ、底部部材２２３５の四隅の近傍に設けられて、底部部材２２３５およびそれに固定された他のカート構成部を会議スペース２２００内で移動したり、会議スペース２２００外の他の領域（例えば、他の会議スペース、プライベートオフィス等）での使用のため移動したりすることができるようになっている。
【０３８２】
側壁部材２２４２、２２５０は同様の構成と同様の動作とを有するものであるので、側壁部材２２４２（図８１参照）のみを詳細に説明する。側壁部材２２４２は、剛体な直線状の部材であり、底部部材２２３５の一の直線状の縁部に沿って延在しているとともにそこから立ち上がっている。側壁部材２２４２は、その上端部近傍に複数の通気スロット２２４４が形成されている。通気スロット２２４４は、図示された実施形態においては水平方向に延在しているが、他の実施形態においては他の形態を有してもよい（例えば、垂直方向スロット、円形開口など）。側壁部材２２４２は、図示したように底部部材２２３５の下側端部に堅固に取り付けられている。取り付けられた状態の側壁部材２２４２、２２５０は、略垂直に延在しているとともに底部部材２２３５の両側の端部に沿って互いに離隔している。
【０３８３】
上部部材２２４８は、図７９ないし図８１に示すように、底部部材２２３５と同様の形状と寸法とを有しており、第１の側壁部材２２４２の上端部から第２の側壁部材２２５０の上端部までの距離にわたってかけ渡されている。上部部材２２４８は、透明な部材であって、プレキシガラス系のガラス材または強化ガラス材料で構成されている。
【０３８４】
後壁部材２２３４は、剛体な直線状の部材であって、それぞれ、底部部材２２３５の後方端部から、上方へ、上部部材２２４８の後方端部に沿って延在しており、かつ、第１の側部部材２２４２と第２の側部部材２２５０との間に延在している。
【０３８５】
ドア部材２２５２、２２５４は、それぞれ、剛体な直線状の部材であって、後部部材２２３４と同様の高さ寸法を有しているとともに後壁部材２２３４の幅のおよそ半分に相当する幅寸法（引用符号なし）を有している。ドア部材２２５２は、側壁部材２２４２の前方端部に沿ってヒンジ取り付けされている。同様に、ドア部材２２５４は、側壁部材２２５０の前方端部に沿ってヒンジ取付されている。
【０３８６】
底壁部材２２３５と、トップ壁部部材２２４８と、側壁部材２２４２と、側壁部材２２５０と、後壁部材２２３４と、ドア部材２２５２と、ドア部材２２５４が全体として内部チャンバ２２５５を規定している。棚部材２２５６は、内部チャンバ２２５５内に略水平となるように取り付けられている。ドア部材２２５２、２２５４は、図７９に示すように、開扉することができ、また、ドア部材２２５２は、図８０に示されているように閉じられることもできる。ハンドル２２３８は、後壁部材２２３４から上方かつ後方へ延在しており、そして、カート組立体２２２６を搬送中に押すために用いられる部材である。ワイヤレストランシーバ２２４０は、上部部材２２４８に取り付けられそこから立ち上がっている。
【０３８７】
プロジェクタ２２６０は、図７９に示すように、内部チャンバ２２５５内の棚部材２２５６の上面に、かつ、透明な上部部材２２４８の直下において、支持されている。プロジェクタ２２６０は、起動すると、映し出された画像が透明な上部部材２２４８を通過してドア部材２２５２、２２５４に隣接した壁部２２０６のような構造で構成されるプレゼンテーションスペースまたはプレゼンテーション面に映し出されるように、適宜位置決めおよび方向付けされている。少なくとも幾つかの実施形態において、各プロジェクタは、短投影距離タイプのプロジェクタであり、プロジェクタカートが壁部に隣接して配置されると、画像が壁部上に映し出されて視認される。
【０３８８】
ここに記載したワイヤレス式の実施形態においては、各プロジェクタは、メモリとプロジェクタドライバとを備えている。メモリは、プロジェクタ用に生成される画像を保存することができる。ドライバは、プロジェクタを駆動制御して画像を表示させるために設けられている。このように、画像が演壇組立体または一部の他のソースからプロジェクタカートへ送信された後で、画像は、カートに保存されて演壇とは独立に、そして、別の画像が受信されて表示されるまで、表示されることになる。他の実施形態においては、プロジェクタは、別体構成のメモリとドライバとを備えず、代わりに、映し出された画像および映像は、システムサーバ２２８６（図８２参照）から各プロジェクタへ（例えば、３０フレーム／秒の速度で）ワイヤレス送信されてもよい。
【０３８９】
パワーサプライ２２６４（例えば、バッテリパック）は、図７９に示すように、プロジェクタ２２６０の下部に設けられており、プロジェクタ２２６０に電源供給を行う。図示しないが、パワーサプライ２２６４がバッテリパックである場合には、パワーサプライ２２６４は、バッテリ充電のため電源出力と接続するためのケーブルを有している。
【０３９０】
一例としての演壇組立体２２２４は、図７８および図８２に示すように、底壁部材２２７２と、第１の側壁部材２２７４と、第２の側壁部材２２７６と、作業用上面部材２２２９と、後壁部材（引用符号なし）と、棚部材２２８０と、引き出しサブアセンブリ２２９０と、ホイール（集合的に引用符号２２２５で示す）と、パワーサプライ２２８２（例えば、充電式電池）と、スピーカ２２２７と、プリンタ２２８４と、サーバ２２８６と、ＤＶＤプレーヤ２２８８と、ワイヤレストランシーバ２２３１と、マイク２２７０と、入出力（Ｉ／Ｏ）タブレット（または入出力装置）２２９４を備えている。
【０３９１】
底部部材２２７２は、剛体な直線状かつ略水平状の部材であって、その下面にはホイール２２２５が設けられ、底部部材２２７２および他の演壇組立体構成部が会議会議スペース２２００内で移動・移送されることができ、そして、必要であれば会議会議スペース２２００から運び出されて他の場所に使用のために移動されることができるようになっている。
【０３９２】
側壁部材２２７４、２２７６は、剛体な直線状の部材であって、底部部材２２７２から上方へ延在しているとともに、それぞれ、該底部部材２２７２の両端部に沿って延在している。側壁部材２２７４、２２７６には、電子機器（例えば、サーバ２２８６、ＤＶＤプレーヤ２２８８等）によって生じた熱を逃すための通気スロット２２９２が形成されている。
【０３９３】
作業用上面部材２２２９は、剛体な直線状の部材であって、側壁部材２２７４、２２７６の上端に取り付けられている。図示された実施形態においては、作業用上面部材２２２９の少なくとも一部が、後方端部から前方端部へ向かうにしたがって下方に傾斜しているまたはそのように角度をつけられており、作業用上面部材２２２９の上に置かれた資材が、演壇ユーザの使用に適切な角度で支持されるようになっている。マイク２２７０は、作業用上面部材２２２９に取り付けられて、演壇組立体２２２４を使用している人物の発話を集音する。
【０３９４】
後壁部材は、剛体な直線状かつ略垂直状の部材であって、底壁部材２２７２の後方端部２から上方へ延在しているとともに、作業用上面部材２２２９の後方端部に隣接しており、さらに、側壁部材２２７４の後方端部から側壁部材２２７６の後方端部までの距離にわたってかけ渡されている。このように、後壁部材２２７２、側壁部材２２７４、側壁部材２２７６および作業用上面部材２２２９が全体として一体的な演壇チャンバ２２７８を規定している。
【０３９５】
棚部材２２８０は、演壇チャンバ２２７８内に取り付けられており、取り付けられた状態で略水平な上面をなしている。引き出しサブアセンブリ２２９０は、演壇チャンバ２２７８内の作業用上面部材２２２９の直下に設けられており、閉じた位置（図８２参照）および開放位置（図示せず）の間でスライド可能に設けられており、それにより、引き出しサブアセンブリ２２９０によって構成される内部スペースにアクセスすることができるようになっている。不使用時は、入出力タブレット２２９４を保管または搬送のため引き出しサブアセンブリ２２９０内に収容することができる。
【０３９６】
後壁部材は、図７８および図８２に示すように、下端付近で開口をなして、その内部に取り付けられるスピーカ２２２７が収容されるようになっている。演壇ユーザが発話してその発話の内容がマイク２２７０に拾われると、発話の内容は、スピーカ２２２７で増幅されて聴衆が聴取することができるようになる。加えて、ソフトウェアが動作しているか、または、音声を含むＤＶＤその他の映像タイプのプレゼンテーションが生じる場合には、その音声が増幅されてスピーカ２２２７によって聴衆に聴き取り可能となる。
【０３９７】
サーバ２２８６は、図８２に示すように、（例えば、ラックマウント式の）棚部材２２８０のトップ表面上に支持されており、そして、ＤＶＤプレーヤ２２８８は、引き出しサブアセンブリ２２９０直下においてサーバ２２８６上面に支持されている。ここで、サーバ２２８６は、上述の他の実施形態について説明した機能を実行するソフトウェアを実行することができるプロセッサを備えている。
【０３９８】
パワーサプライ２２８２およびプリンタ２２８４は、図８２に示すように、底部部材２２７２の上面に配置されている。パワーサプライ２２８２は、サーバ２２８６、ＤＶＤプレーヤ２２８８、プリンタ２２８４および入出力タブレットに電源を供給するバッテリである。パワーサプライ２２８２がバッテリである場合には、バッテリは充電可能であり、電源出力と接続するためのケーブルを備えている。ワイヤレストランシーバ２２３１は、作業用上面部材２２２９の上面に取り付けられており、そして、各カート（例えば、図８１の２２４０参照）に備えられたワイヤレストランシーバと情報の送受信を行うことができる。入出力タブレット２２９４は、サーバ２２８６に配線接続されているが、これに代えて、トランシーバ２２３１を介してサーバ２２８６と通信可能なワイヤレスタブレットとしてもよい。
【０３９９】
サーバ２２８６は、図８２および図８３に示すように、演壇キャビネット内で、ワイヤレストランシーバ２２３１と、ＤＶＤプレーヤ２２８８と、プリンタ２２８４と、電源２２８２と、マイク２２７０と、スピーカ２２２７と配線接続されている。加えて、サーバ２２８６は、演壇キャビネットに収容されたスキャナ２２９５（図８２には図示せず）と配線接続（またはワイヤレス接続）されており、少なくとも幾つかの場合において、移動式データベース２２９３がキャビネット内に収容されている。図８３に図示された実施形態においては、サーバ２２８６は入出力タブレット２２９４にも配線接続されているが、しかしながら、この接続は、上述のとおりワイヤレス接続であってもよい。サーバ２２８６は、トランシーバ２２３１およびカート据付受信機（例えば、図７９の２２４０）を介して、画像データを移動式カート（例えば、２２２６）内のプロジェクタへワイヤレス送信する。
【０４００】
図８２および図８３に示すように、図示した実施形態は、サーバと、プリンタと、ＤＶＤプレーヤと、演壇キャビネット内に取り付けられたその他のコンポーネントを備えているが、それらのコンポーネントは、他の場所に配置してもよく、トランシーバ２２３１によるワイヤレス接続、入出力タブレット２２９４のワイヤレスアクセスカードによる接続、または、ハードウェアケーブルによる接続のいずれも可能である。例えば、サーバ２２８６は、会議スペース２２００が入っているビルのＩＴ室内に配置されてもよく、あるいは、そのビル以外の他のビル内に配置されてもよい。同様に、サーバ２２８６が演壇に取り付けられているが、それにより用いられるデータベース２２９３は、演壇と別個独立に設けられてもよく、ハードウェアケーブルまたはトランシーバ２２３１を介して接続されてもよい。
【０４０１】
キットシステム２２０１を使用する際には、図７８に示すように、ユーザは、まず、４つのプロジェクタカート２２２６、２２２８、２２３０、２２３２を会議スペース２２００内に移置し、演壇組立体２２２４を会議会議スペース２２００内に移置するとともに、プロジェクタによる映写の際に、その映し出された画像が壁部２２０６に向かうように、図示したとおり、プロジェクタカートを壁部２２０６近傍に一列に位置決めする。次に、ユーザは、演壇組立体２２２４を会議会議スペース２２００内で聴衆に対して有利な位置に配置し、プロジェクタカート内のプロジェクタをマスタープレゼンテーションユニットとして動作する演壇と関連付け、そして、プレゼンテーションキットシステム２２０２を用いてコラボレーションセッションを開始する。
【０４０２】
図示された実施形態において、カート２２２６、２２２８、２２３０、２２３２のプロジェクタは、それぞれ、２つのフリップチャートサイズ画像をプレゼンテーション壁部２２０６に投影または映写するように構成されていることが前提とされている。例えば、カート２２２６のプロジェクタは、画像をプレゼンテーションスペース２２０８、２２１０に映し出し、カート２２２８のプロジェクタは、画像をスペース２２１２、２２１４に映し出す、などなど。ここで、画像は、演壇トランシーバ２２３１およびプロジェクタカートのトランシーバ（例えば、２２４０）を介してプロジェクタへワイヤレス送受信される。
【０４０３】
少なくとも幾つかの実施形態において、マスタープレゼンテーションユニット（例えば、演壇２２４１）とプロジェクタカート２２２６、２２２８、２２３０、２２３２との関連付けプロセスは、図２５を参照して上述したプロセスと同様のものであるが、相違する点は、複数のユニットの１つをマスターユニットとして識別する必要がない、ということである。プレゼンテーションキットシステム２２０２の場合には演壇組立体２２２４は常にマスターユニットである。
【０４０４】
ここで、６つのプロジェクタカートが会議会議スペース２２００内に配置されておりキットユーザがそのうち図７８に示された４つのプロジェクタカートのみを使用したい場合には、ユーザは、演壇（例えば、入出力タブレット２２９４、サーバ２２８６およびトランシーバ２２３１）を用いて会議スペース２２００内のプロジェクタをポーリングしてプロジェクタリストを入出力タブレット２２９４（図８２参照）上に取得することができる。ここで、プロジェクタリストを生成するためのポーリングは、信号をサーバ２２８６から会議会議スペース２２００内の各プロジェクタへ送信し、それに対して、プロジェクタ固有のＩＤコードによりプロジェクタを識別するメッセージを送信することで上記信号に対するレスポンスすることをプロジェクタ側に要求することを含む。ＩＤコードがアクセスされると、サーバ２２８６は、プロジェクタリストを生成し、そのリストを入出力タブレット２２９４に提示し、そして、オンスクリーンツールを提供してプロジェクタをそのリストから選択して、支援すべきセッションの間に、サーバ２２８６と関連付けする。
【０４０５】
本例においては、ユーザは、図７８に示す４つのカートと関連付けされたプロジェクタを、それらと関連付けされた入出力タブレット２２９４で選択することができる。図示された４つのカートと関連付けされたカートの選択後、サーバ２２８６は、４つのプロジェクタをサポートするとともに入出力タブレットのユーザが４つのプロジェクタによって表示された画像を操作することができるようにするプレゼンテーションソフトウェアを構築する。この点で、各プロジェクタが２つの互いに独立な画像を図７８に示すように映し出す場合には、図５０に示したのと同様のツールバーを備えた表示画面を設けて、８つの映し出された映像に対応する８つのサムネイルアイコンを表示領域１３０２内に設けることができる。
【０４０６】
一部の実施形態においては、施設（例えば、会議スペース２２００）がすでにアクセスポイント等を含め既存のワイヤレスインフラを備えている場合には、プレゼンテーションキットシステム２２０２は、その既存のワイヤレスインフラを用いてシステムコンポーネント間の通信およびデータ転送を行うことができる。
【０４０７】
演壇およびカートを関連付けする方法の別の例として、プロジェクタカートおよび演壇トランシーバ（例えば、２２３１、２２４０）によって、会議スペース２２００内（または該会議スペース２２００近傍）のワイヤレスアクセスポイントに向けて識別情報を送信することが考えられる。この場合の識別情報は、リソースの所在位置を判定する三角測量プロセス（ｔｒｉａｎｇｕｌａｔｉｏｎ  ｐｒｏｃｅｓｓ）において用いることができるものである。より具体的にいうとそれらのリソースは会議スペース２２００内に配置されており、会議スペース２２００内のリソースが認識されると、プロジェクタリストが入出力タブレットユーザに提示されて、プロジェクタの選択および関連付け作業を行うことができる。
【０４０８】
図５０および図７８に示すように、プレゼンテーションセッション中の混乱を極力なくすことができるとともに直感的な仕方で動作することができるシステムを構築するためには、キットプロジェクタによって映し出された画像であって演壇２２２４と関連付けされた画像の順序を、入出力タブレット２２９４のディスプレイに提示された表示領域１３０２内のサムネイルアイコンの順序と同じくする必要がある。
【０４０９】
そこで、図５０および図７８に示すように、領域１３０２内のサムネイルアイコンが、左から右へ、サムネイル１、１２、２、１１、３、５、６、７である場合には、表示画像は、対応する画像１ｉ、１２ｉ、２ｉ、１１ｉ、３ｉ、５ｉ、６ｉ、７ｉとなるべきである。これが理由で、図７８で演壇２２２４に最も近いプロジェクタおよびカート２２２６を、領域１３０２内の第１のプレゼンテーションスペース２２０８および第２のプレゼンテーションスペース２２１０ならびに第１のサムネイルおよび第２のサムネイルと関連付けすること、そして、２番目に近いプロジェクタおよびカート２２２８を、領域１３０２内の第３のプレゼンテーションスペース２２１２および第４のプレゼンテーションスペース２２１４ならびに第３のサムネイルおよび第４のサムネイルと関連付けし、また、３番目に近いプロジェクタおよびカート２２３０を、領域１３０２内の第５のプレゼンテーションスペース２２１６および第６のプレゼンテーションスペース２２１８ならびに第５のサムネイルおよび第６のサムネイルと関連付けし、さらに、最も遠いプロジェクタおよびカート２２３２を、領域１３０２内の第７のプレゼンテーションスペースおよび最も遠い第８のプレゼンテーションスペースならびに第７のサムネイルおよび第８のサムネイルと関連付けすることがポイントである。
【０４１０】
相対的に位置決めされた特定のプロジェクタを領域１３０２内の特定のサムネイルアイコンと自動的に関連付けする際、プロジェクタおよび演壇２２２４が、プロジェクタおよび演壇の場所を三角測量その他によって判定するための識別コードをアクセスポイントへ送信するように構成されている場合には、会議スペース２２００内のプロジェクタおよび演壇２２２４の相対的な場所は自動的に判定されることになる。
【０４１１】
ひとたび会議スペース２２００内の相対的な場所が既知となれば、サーバ２２８６は、プロジェクタを表示領域１３０２内のサムネイルアイコンと自動的に関連付けすることができる。ここで、プロジェクタ／カートの順序が何らかの理由で変更された場合には変更後の場所が自動的に判定される。さらに、もし、プロジェクタのうち１台が誤動作するような場合、あるいは、セッション中に別の場所で使用する必要が生じたような場合には、そのプロジェクタをプロジェクタリストから削除することができ、それに対応して、サーバ２２８６は、サムネイルアイコンおよびプロジェクタに対して必要に応じて関連付けを再度実行することができる。
【０４１２】
例えば、第３のカート２２３０と関連付けされたプロジェクタがプレゼンテーションの途中で故障して運用中キットシステムから除外されなければならないと仮定しよう。ここで、ひとたびカート２２３０がカート列から撤去されると、カート２２３２は、カート２２２８に隣接する場所へ移動することができるようになり、自動的再関連付けが行われ、カート２２３２内のプロジェクタが、領域１３０２内の第５のサムネイルアイコンおよび第６のサムネイルアイコン（図５０参照）と関連付けされる。当初の８画像ではなく６画像のみがキットプロジェクタによって表示されることになるので、図５０の表示領域１３０２は、６つのアイコンのみを有するサイズに縮小されるであろう。
【０４１３】
会議スペース２２００内の演壇／プロジェクタリストを追跡および生成する一の他の方法として、ＩＤタグを各リソースに付与し、センサシステムを会議スペース２２００への各入り口（例えば、２２０４）に設けることが考えられる。図７８に示すように、一例としてのワイヤレスセンサ２２０１が、リソースタグを感知するために入り口２２０４に隣接して設けられている。センサ２２０１は、リソース位置を追跡するサーバ（図示せず）に接続されている。
【０４１４】
少なくとも幾つかの実施形態において、ＩＤタグはＲＦＩＤタグであり、その場合センサ２２０１はＲＦＩＤセンサである。この点で、図８１には、カート２２２６の側壁部２２４２の外表面に取り付けられた一例としてのＲＦＩＤタグ２２８１が示されている。ここで、カート２２２６が入り口２２０４を通過すると、センサ２２０１がタグ２２８１に基づいて識別情報を収集し、プロジェクタリスト管理サーバがカート２２２６内のプロジェクタを会議スペース２２００用のプロジェクタリストに追加する。カート２２２６が会議スペース２２００から撤去されると、リスト管理サーバは、カート２２２６内のプロジェクタをプロジェクタリストから削除する。タグ２２８１は、パッシブあるいはアクティブ構成である（例えば、ＲＦＩＤタグ的に送信可能とされている）。
【０４１５】
会議スペース（例えば、２２０６）によっては、スペースレイアウトの関係上、プロジェクタが常に単一の壁部に映写しなくてはならないことも考えられる。ここで、図７８に示す他のインベントリ型システムは、各カートの下面にまたはカートの下端部近辺に設けられたＲＦＩＤタグ（例えば、２２９７）その他を備えており、別体構成されたＲＦＩＤセンサ（例えば、２２９９）が、プロジェクタカートが典型的な場合に配置されるであろう場所の近くに取り付けられている。この場合には、カートがセンサの近くに配置されている場合には、センサはＩＤ情報をタグから取得して、センサと接続されたサーバが、会議室内のカートおよびプロジェクタを会議スペース２２００内の位置と自動的に関連付けする。
【０４１６】
図８４は、上述したプレゼンテーションキットシステム２２０２を用いて実行される一例としての手順２２４０を示すものである。まず、ブロック２４４２において、入出力タブレット２２９４を備えたマスタープレゼンテーションユニット（または演壇２２２４）が会議スペース２２００内に搬入される。ブロック２４４４において、プロセッサがマスタープレゼンテーションユニットと関連付けされる。ただし、サーバ２２８６が図８２に示すように演壇組立体２２２４に取り付けられている場合には、サーバのプロセッサはあらかじめ設けられている。これに対して、サーバが演壇組立体と別体に設けられている他の場合においては、プロセッサを提供するステップにおいて、入出力タブレット２２９４をサーバに接続させることが必要である。
【０４１７】
次に、図７８および図８４に示すように、ブロック２４４６において、複数の移動式プロジェクタカート（例えば、２２２６、２２２８、２２３０、２２３２）が、会議スペース２２００に搬入される。ブロック２４４８において、演壇組立体およびこれと関連付けされたサーバを、少なくとも２つの移動式プロジェクタと関連付けする処理が行われる。この関連付け処理としては、上述した関連付け処理のいずれも用いることができる。ブロック２４５０において、演壇組立体２２２４とプロジェクタカートとが関連付けされた後で、プレゼンテーションおよび会議セッションを開始できる状態となり、入出力タブレット２２９４上の表示画面で画像が演壇ユーザによってアクセスされる。加えて、図５０に示すように、図示されたツールバーまたはそれと同様の機能を有する他のツールバーを備えた制御インタフェースが入出力タブレット２２９４によって提供される。
【０４１８】
ブロック２４５４において、タブレットＰＣのユーザは、プロジェクタのうちの１台を指定してテーブルディスプレイ上に現在存在している画像を受信および表示させ、画像が、トランシーバ２２３１および指定されたプロジェクタと関連付けされたトランシーバ（例えば、２２４０）を介して指定されたプロジェクタへ送信され、そして、指定されたプロジェクタは、画像を適切なプレゼンテーションスペース（例えば、２２０８、２２１０等）に映し出す。ワイヤレス送受信の場合には、プロジェクタは、別の画像が受信されるか、画像をプレゼンテーションスペースから削除するタブレットからのコマンドが受信されるまで、同じ画像を映し続ける。
【０４１９】
図８５は、図８４のブロック２４４８と置換可能な副手順２５００を示すものであるが、ここで、サーバを特定のプロジェクタと関連付けすることに加えて、プロジェクタの相対的な並列配置関係に基づいて、プロジェクタが、図５０の領域１３０２のようなサムネイル表示領域内における特定のサムネイルアイコン位置と関連付けされる。図８４に示すブロック２４４６に続いて、制御は図８５のブロック２５０２へ進み、会議スペース２２００内のプロジェクタに関する情報が、カートのトランシーバ（例えば、２２４０）および会議スペース２２００内のアクセスポイントを介してワイヤレス取得される。
【０４２０】
ブロック２５０４において、会議スペース２２００内のプロジェクタのリストがタブレットＰＣ２２９４のユーザに提供される。ブロック２５０６において、ユーザはセッション中に使用すべきプロジェクタの選択を行う。ブロック２５０８において、使用するプロジェクタをリストから選択した後で、アクセスポイントから取得された位置情報に基づいて、会議スペース２２００内の選択されたプロジェクタの相対的位置関係が判定される。より具体的には、どのプロジェクタが演壇２２２４と最も近接しており、どのプロジェクタが２番目に近接しており、どのプロジェクタが３番目に近接しており、そして、どのプロジェクタが演壇から最も遠い位置に配置されているか、が判定される。
【０４２１】
ブロック２５１０において、選択されたプロジェクタは、プレゼンテーションサーバ２２８６と関連付けされ、そして、各プロジェクタは、インタフェースツールバーの表示領域１３０２（図５０参照）の特定のサムネイル位置と関連付けされる。ブロック２５１０の後、制御は図８４のブロック２２５０へ戻る。
【０４２２】
図８６は、会議スペース２２００内に設置された第２のプロジェクタ・ベースのプレゼンテーションキットシステム２２０２ａを示す図である。このキットシステム２２０２ａは、図７８を参照して上述したキットシステム２２０２と同様のものである。キットシステム２２０２ａは、演壇組立体２２２４ａと、４つのプロジェクタカート２２２６ａ、２２２８ａ、２２３０ａ、２２３２ａと、演壇組立体２２２４ａ内のサーバを各プロジェクタカート２２２６ａ、２２２８ａ、２２３０ａ、２２３２ａと接続するためのハードウェアネットワーク２３１０とを備えている。この点で、有線ネットワーク２３１０は、会議スペース２２００の床に埋設され、または、フリーアクセス床スペースであれば床下に配設される。
【０４２３】
図８６に示す演壇組立体２２２４ａは、（ａ）演壇２２２４ａ内のサーバによるプロジェクタカート内のプロジェクタとの接続方法、および、（ｂ）演壇およびプロジェクタカートコンポーネントが電源供給される方法、の点を除いて上述した演壇組立体２２２４と同様の構成と動作を有している。また、図８６のプロジェクタカートは、図７８に図示された上述のプロジェクタカートと同様のものである。
【０４２４】
図８６および図８７に示すように、演壇組立体２２２４ａと各プロジェクタカート２２２６ａ、２２２８ａ、２２３０ａ、２２３２ａとの配線接続を容易にするため、演壇組立体２２２４ａは、壁部の底縁付近の側壁部のいずれかの内部に取り付けられた電源／データ／ビデオポート２２６３を備えており、そして、各プロジェクタカートは、壁部の底縁付近の側壁部のいずれかの内部に取り付けられた電源／データ／ビデオポート（図８７の２３２６参照）を備えている。
【０４２５】
図８６、図８７および図８８に示すように、ネットワーク２３１０は、電源・データ・ビデオケーブルライン２３９０を備えており、各ラインは、互いに独立なデータケーブル２３９２と、ビデオケーブル２３９４（例えば、カテゴリー５）と、メス電源プラグ２４０２を有する電源ケーブル２３９６である。データケーブル２３９２およびビデオケーブル２３９４は、典型的なデータコネクタ２３９８、２４００でそれぞれ終端しておいる。
【０４２６】
図８８に示したケーブル２３９０の終端部は、以下、電源／データ／ビデオ端子と表記する。図８６に示すように、互いに独立な電源／データ端子が、演壇組立体２２２４ａとカート２２２６ａないし２２３２ａのそれぞれに設けられており、演壇組立体２２２４ａおよびプロジェクタカートは、それぞれ、会議スペース２２００内での使用に理想的な場所（例えば、壁部２２０６の近く）に設けられている。演壇組立体およびプロジェクタカートが会議スペース２２００で用いられない場合に端子を格納するには、図８６および図８７に示すごとく、各端子組立体のための、カバー２３３８を有するフロアボックス２３３２を設けてもよい。
【０４２７】
図８６に示すように、本実施形態においては、演壇組立体２２２４ａおよびプロジェクタカート２２２６ａないし２２３２ａが会議スペース２２００内に搬入された後で、演壇組立体２２２４ａおよびプロジェクタカートは、フロアボックスの付近に位置付けされて、図示したように接続される。ここで、演壇サーバ２２８６が電源オンされると、サーバ２２８６は、ネットワークをポーリングして、ネットワーク２３１０に接続されたプロジェクタの構成を識別することができる（すなわち、サーバは、どのプロジェクタがどの位置で接続されているかを判定することができる）。なお、関連付け処理は、プレゼンテーション開始に先立って自動処理されることができる。
【０４２８】
図８９および図９０は、第３のプロジェクタ・ベースのプレゼンテーションキットシステム２２０２ｂを示す図である。このプレゼンテーションキットシステム２２０２ｂは、演壇組立体２２２４ｂと４つのプロジェクタカート２２２６ｂ、２２２８ｂ、２２３０、２２３２ｂとを備えている。ここで、演壇組立体およびプロジェクタカートは図７９ないし図８２を参照して上述した演壇およびプロジェクタカートと同様のものであるが、主要な相違は、演壇およびプロジェクタカートが通信・電源供給のために接続される態様の点である。この場合、演壇組立体２２２４ｂは、図８７を参照して上述した電源／データ／ビデオポートと同様の電源／データ／ビデオポート２３５０を備えている。
【０４２９】
各プロジェクタカートは、同様の構成と動作とを有しているので、説明の便宜上、カート２２２６ｂのみを詳細に説明することにする。
【０４３０】
プロジェクタカート２２２６ｂは、第１の電源／データ／ビデオスプリッタ２３５６と、第２の電源／データ／ビデオスプリッタ２３７２と、スプリッタ２３５６、２３７２を接続する電源／データ／ビデオケーブル２３６８と有するカート用電源／データ／ビデオネットワークを備えている。スプリッタ２３６５、２３７２は、プロジェクタカート２２２６ｂの相対向する側壁部材にそれぞれ取り付けられている。スプリッタ２３５６、２３７２は、同様の構成と動作を有するので、説明の便宜上、スプリッタ２３５６のみを詳細に説明することにする。
【０４３１】
スプリッタ２３５６は、その名称が示唆するように、単一の外部電源／データ／ビデオポート構造を備えており、また、この外部電源／データ／ビデオポート構造には、スプリッタ２３５６が内部取付される側壁部材の外表面と同一平面とされた電源／データ／ビデオポート２３５８（図８７に示す）が設けられている。プロジェクタカートのスプリッタ２３５６の内部には、第１の電源／データ／ビデオポート部２３６０および第２の電源／データ／ビデオポート部２３６４が備えられ、各ポート部は、電源／データ／ビデオポート２３５８からのデータ、電源および映像がポート２３６０、２３６４に提供されるように、電源／データ／ビデオポート２３５８に接続されている。プロジェクタカート２２２６ｂ内のプロジェクタは、電源／データ／ビデオポート部２３６０、２３６４の一方と接続され、そして、電源／データ／ビデオポート部２３６０、２３６４の他方が、スプリッタ２３７２と関連付けされた同様の電源／データ／ビデオポート部２３６１に接続されている。
【０４３２】
図８９および図９０に示すように、演壇と関連付けされたプロジェクタカートとの間に電源／データ／ビデオネットワークが提供されるように、隣接するプロジェクタカートを互いに接続するため、または、演壇組立体２２２４ｂを隣のプロジェクタカートに接続するために用いられる、ジャンパまたはブースターケーブルが設けられている。図８９および図９０に示すように、演壇組立体２２２４ｂのポート２２６３をスプリッタ２３５６の電源／データ／ビデオポート２３５８を介してプロジェクタカート２２２６ｂに接続する一本のブースターケーブル２３６６が設けられている。
【０４３３】
同様に、ブースターケーブル２３８０は、プロジェクタカート２２２６ｂの第２のスプリッタ２３７２を、隣接するプロジェクタカート２２２８ｂの第１のスプリッタ（引用符号なし）に接続する。ブースターケーブル２３８２は、隣接するプロジェクタカート２２２８ｂおよび２２３０ｂの各スプリッタどうしを接続し、そして、ブースターケーブル２３８４は、隣接するプロジェクタカート２２３０ｂおよび２２３２ｂの各スプリッタどうしを接続する。プロジェクタカート２３２ｂの第２のスプリッタ２３８６は、他のプロジェクタカートには接続されていないが、第５のプロジェクタカートがキットシステム２２０２ｂに追加される場合には、または、プロジェクタカート２２３２ｂが図８９および図９０に示す他のプロジェクタカートのいずれかと入れ替えられる場合には、別のプロジェクタカートと接続されることができる。
【０４３４】
図９１には、一例としてのブースターケーブル組立体２３８０が図示されている。ブースターケーブル組立体２３８０は、図８８を参照して上述した端子と類似した電源／データ／ビデオ端子２２３３、２２３５を備えている。端子に加えて、ブースターケーブル組立体２３８０は、編組み／ツイストケーブル２４１２を備えており、該ケーブル２４１２は、その両端に機械式締め具またはコネクタ２４１６、２４１６を備えている。
【０４３５】
図８７に示すように、本実施形態においては、各プロジェクタカートの各側壁部には、アイレット（小穴）２２３７が外部スプリッタのレセプタクル２３５８に隣接して設けられている。締め具２４１４、２４１６は、隣接するスプリッタのレセプタクルに隣接したアイレット２２３７と係止されるように設計されている。プロジェクタカートのいずれかが移動されると、ブースターケーブル組立体２３８０によってそのプロジェクタカートと接続された他のプロジェクタカートが、編組ケーブル２４１２によって列車状の態様にて牽引される。接続されたカートが移動される際に電源／データ／ビデオ接続構造がばらばらに引っ張られてコネクタ／プラグに破損が生じることがないように、編組ケーブル２４１２の長さは、電源／データ／ビデオケーブルよりも短くされている。
【０４３６】
図９２は、追加的な一例としてのブースターケーブル組立体２３８０ａを示す図である。ブースターケーブル組立体２３８０ａは、図９１に示すブースターケーブル組立体２３８０と同様のものであるが、主要な相違は、ケーブルの各端部の電源／データ／ビデオ端子が、３つのコネクタ（例えば、２４２０、２４２２参照）ではなく、単一の電源／データ／ビデオプラグで構成されている点である。
【０４３７】
すなわち、単一のプロジェクタプレゼンテーションのために互いに独立に用いられる複数台のプロジェクタを相対的に迅速かつ効率的にしかも急いでつなぎあわせて、複数画像を表示させてそれらの表示画像を多様な仕方で操作するためのキットシステムを構築することができるという点で、図７８、図８６および図８９に示した上述のキットシステムのいずれかがすこぶる便利である。加えて、上述のキットシステムは、より少数のプロジェクタとともに用いることができ、あるいは、台数を増やせばプレゼンテーション効果を向上させることができるのであればより多数のプロジェクタとともに用いることができる。
【０４３８】
編組ケーブルなどを用いて隣接するプロジェクタカートどうしを機械的に接続して「カートトレイ」を構成することに加えて、他のタイプの機械的接続を用いることも考えられる。例えば、図９３に示すような、各プロジェクタカートは、締め具２２６０、２２６２のような、隣接するカートの締め具と協働する機械式締め具を備えることもできる。これらの締め具２２６０、２２６２は、プロジェクタカート１台が移動されると、他のプロジェクタカートも正確に連動するように、相互間にスペースなくまたはほんのわずかなスペースを介在させるだけで、隣接するプロジェクタカートどうしを堅固に固定することができるものである。
【０４３９】
他のより複雑な締結機構も考えられる。プロジェクタカートが直接的に隣接するような態様で締め具等により接続されている場合には、電源／データ／ビデオ接続は、締め具または他の機械式コネクタによって自動的に構成されるか、あるいは、上述のブースターケーブルのような他の専用ネットワーク構成コネクタを用いてもよい。
【０４４０】
図９４は、図８４のブロック２４４８と置換可能な副手順２４５６を示す図である。副手順２４５６は、プロジェクタをプレゼンテーションサーバと接続するのにハードウェア通信・電源ケーブルが必要になるような場合に便利である。図８４のブロック２４４８に続いて、制御は図９４のブロック２４５８へ進み、システムユーザは、演壇を、図８６または図８９を参照して説明した上述した方法のいずれかにしたがって、プロジェクタへ機械的に接続する。ブロック２４６０において、サーバプロセッサは、ネットワークをポーリングして、ネットワーク接続されているプロジェクタ台数とネットワーク上におけるプロジェクタの論理的な位置とを判定する。ブロック２４６２において、サーバプロセッサは、演壇と関連付けされたタブレットＰＣを介してインタフェース表示画面を提示し、各接続されたプロジェクタによって提示された画像を、入出力タブレットを介して制御することができるようにする。ブロック２４６２の後、制御は図８４のブロック２４５０に戻る。
【０４４１】
本発明は、様々な変更を加えることおよび様々な代替的形態を採用することができるものであり、そのうちの一例として、具体的な実施形態について図面を参照して詳細に説明した。しかしながら、本発明は、ここに記載された特定の形態に限定されるものではないことは言うまでもない。例えば、図８２に示すように、入出力タブレット２２９４は、図４２および図４３を参照して説明したイーゼル表示画面と同様のタテ方向またはヨコ方向モードのいずれかで用いることができ、その場合、タブレット画像方向は、モード間で９０度回転されることになる。
【０４４２】
場合によっては、ユーザは、モード選択アイコン（図３５のアイコン１１１２参照）を手動選択して、タテ方向モードおよびヨコ方向モードを切り替える必要があるかもしれない。少なくとも幾つかの実施形態において、入出力タブレット２２９４は、ヨコ方向およびタテ方向の間で回転されるように取り付けられ、そして、入出力タブレット２２９４が再方向付けされると、方向付けの変更が（例えば、機械式スイッチによって）感知され、提示された画像は、図４２および図４３を参照して上述した適切なモードへ自動的に切り替えられる。図７８に示すように、各プロジェクタが２つのヨコ方向画像（例えば、画像１ｉ、１２ｉ）を映し出す場合には、テーブル２２９４（図８２参照）がヨコ方向へ回転されると、少なくとも幾つかの実施形態において、プロジェクタはそれぞれ、２つのタテ方向画像を表示する代わりに、単一のヨコ方向画像を映し出すように切り替えられる。
【０４４３】
相互接続された２つのサブシステム９００、９０１を備えている一例としてのシステムを、図３１および他の図を参照しつつ説明してきたけれども、少なくとも幾つかの進歩的な実施形態においては、複数のサブシステムのうちの１つだけが必要とされてもよいということが理解されるべきである。同様に、他のシステムコンポーネントと接続された１以上のパーソナルインタフェース装置９１１、９１３、１９５等を備えた実施形態を上述したけれども、少なくとも幾つかの実施形態においては、パーソナルインタフェース装置９１１のようなインタフェース装置を接続することができないことも想定される。
【０４４４】
加えて、少なくとも幾つかの実施形態において、マスターユニットのユーザは、マスターユニットのどの場所に表示画面ツール領域または領域を提示するかを選択することができる。例えば、少なくとも幾つかの場合において、マスターユニットのユーザは、マスターユニット表示画面の下側近辺のボタン（図示せず）を選択することにより、ツール領域を表示画面の底部の近くに再配置することができる。このようにすれば、車椅子利用者が各ツールに用意に手が届くことが可能となる。
【０４４５】
さらに、プリンタ２２８４を備えているとともに移動式演壇キャビネット（図８２参照）内部に取り付けられたスキャナ（図８３の２２９５参照）を備えているシステムを説明してきたが、少なくとも幾つかの実施形態において、各別の移動式カートをプリンタおよび／またはスキャナのために設けることもできる。ここで、プリンタ／スキャナ用カートは、他のシステムリソースに接続されることができる、より具体的には無線で（すなわち、カートが図８１のトランシーバ２２４０のようなトランシーバを備えていることを前提とする）または電源・データケーブル（例えば、図８８参照）によって会議サーバ２２８６に接続されることができる。加えて、上述のプロジェクタカートの場合には、プリンタ／スキャナ用カートは、システムリソースをリンクするために用いられるネットワークのタイプに適合する上述した方法のいずれか（例えば、無線または有線）によって会議サーバ２２８６と関連付けされることができる。
【０４４６】
さらに、移動可能なカートが、演壇を備えたプレゼンテーションシステムを前提として上述されているが、幾つかの実施形態においては、カートは、図２４を参照して説明したユニットのような、移動式イーゼル型マスタープレゼンテーションユニットとともに用いることもできる。また、各カートは、投射機能を支援するために独立して用いることもでき、さらに、マスターユニットを用いずに、他のプロジェクタカートと組み合せて、複数プロジェクタによるプレゼンテーションを支援することもできる。このように、パソコン等は、プレゼンテーション支援のため、複数のワイヤレスネットワーク接続またはケーブルネットワーク接続されたカートとともに用いられることができる。
【０４４７】
加えて、データおよび映像がリソース間でワイヤレス送受信されている間、既存の装置の電力消費要求仕様を前提とするとバッテリでは容量的に実用的でないこともあるので、システムによっては、各プロジェクタカートと、プリンタ／スキャナカートと、演壇組立体および／または移動式イーゼルとに対して電力を供給するためのケーブル電源コネクタを備えているということも考えられる。
【０４４８】
以上のとおり、本発明は、以下の特許請求の範囲に示された本発明の趣旨および範囲を逸脱しない範囲におけるすべての変更、等価物および代替物を包含するものである。本発明の請求の範囲を公衆に知らしめるため以下の請求項が作成された。
【符号の説明】
【０４４９】
１０、２０、２３０、４７０、５２０、５５０、６００、７００、８００、９５０、１４２０  プレゼンテーションシステム
１１  会議室
１２  プレゼンテーション壁部
２０  トランシーバ
２２ａ  第１のスレーブプレゼンテーションユニット
２２ｂ  第２のスレーブプレゼンテーションユニット
２８  マスタープレゼンテーションユニット
３０  入力装置
３４  トランシーバ
３８  プレゼンテーションスクリーン
４０  レール
４８  表示画面
５２  筐体
５６  再開キー
５８  送信（フリップ）キー
６０  保存キー
６２  読出しキー
６７  数字キーパッド
６８  左送信キー
７０  右送信キー
７２、７４  取付部材
２００  携帯型デバイス（ＨＨＤインタフェースユニット）
２０２  スタイラス
５５８、５６０、５６２  プロジェクタユニット
７００  プレゼンテーションシステム
７０２、７０４、７０６、７０８、７１０、７１２  移動式プレゼンテーションユニット
７３１  インタフェース装置
７７４  Ｅｎｔｅｒアイコン
７８８  終了アイコン
８０４、８０６  ビデオ型プロジェクタ
８７０  印刷アイコン
９００  第１のサブシステム
９０１  第２のサブシステム
１４６０  移動式プレゼンテーションシステム
１４８０  移動式会議システム
２２０２  プレゼンテーションキットシステム
２２２４  移動式演壇組立体
２２２６、２２２８、２２３０、２２３２  プロジェクタカート
２２２７  スピーカ
２２３１  ワイヤレストランシーバ
２２６０  プロジェクタ
２２７０  マイク
２２８４  プリンタ
２２８６  サーバ
２２８８  ＤＶＤプレーヤ
２２９４  入出力（Ｉ／Ｏ）タブレット
２３９０  電源・データ・ビデオケーブルライン
２３９２  データケーブル
２３９４  ビデオケーブル
２３９６  電源ケーブル
２３９８、２４００  データコネクタ
２４０２  メス電源プラグ
【図１】
0005380752.tif 000002
【図２】
0005380752.tif 000003
【図３】
0005380752.tif 000004
【図４】
0005380752.tif 000005
【図５】
0005380752.tif 000006
【図６】
0005380752.tif 000007
【図７】
0005380752.tif 000008
【図８】
0005380752.tif 000009
【図９】
0005380752.tif 000010
【図１０】
0005380752.tif 000011
【図１１】
0005380752.tif 000012
【図１２】
0005380752.tif 000013
【図１３】
0005380752.tif 000014
【図１４】
0005380752.tif 000015
【図１５】
0005380752.tif 000016
【図１６】
0005380752.tif 000017
【図１７】
0005380752.tif 000018
【図１８】
0005380752.tif 000019
【図１９】
0005380752.tif 000020
【図２０】
0005380752.tif 000021
【図２１】
0005380752.tif 000022
【図２２】
0005380752.tif 000023
【図２３】
0005380752.tif 000024
【図２４】
0005380752.tif 000025
【図２５】
0005380752.tif 000026
【図２６】
0005380752.tif 000027
【図２７】
0005380752.tif 000028
【図２８】
0005380752.tif 000029
【図２９】
0005380752.tif 000030
【図３０】
0005380752.tif 000031
【図３１】
0005380752.tif 000032
【図３２】
0005380752.tif 000033
【図３３】
0005380752.tif 000034
【図３４】
0005380752.tif 000035
【図３５】
0005380752.tif 000036
【図３６】
0005380752.tif 000037
【図３７】
0005380752.tif 000038
【図３８】
0005380752.tif 000039
【図３９】
0005380752.tif 000040
【図４０】
0005380752.tif 000041
【図４１】
0005380752.tif 000042
【図４２】
0005380752.tif 000043
【図４３】
0005380752.tif 000044
【図４４】
0005380752.tif 000045
【図４５】
0005380752.tif 000046
【図４６】
0005380752.tif 000047
【図４７】
0005380752.tif 000048
【図４８】
0005380752.tif 000049
【図４９】
0005380752.tif 000050
【図５０】
0005380752.tif 000051
【図５１】
0005380752.tif 000052
【図５２】
0005380752.tif 000053
【図５３】
0005380752.tif 000054
【図５４】
0005380752.tif 000055
【図５５】
0005380752.tif 000056
【図５６】
0005380752.tif 000057
【図５７】
0005380752.tif 000058
【図５８】
0005380752.tif 000059
【図５９】
0005380752.tif 000060
【図６０】
0005380752.tif 000061
【図６１】
0005380752.tif 000062
【図６２】
0005380752.tif 000063
【図６３】
0005380752.tif 000064
【図６４】
0005380752.tif 000065
【図６５】
0005380752.tif 000066
【図６６】
0005380752.tif 000067
【図６７】
0005380752.tif 000068
【図６８】
0005380752.tif 000069
【図６９】
0005380752.tif 000070
【図７０】
0005380752.tif 000071
【図７１】
0005380752.tif 000072
【図７２】
0005380752.tif 000073
【図７３】
0005380752.tif 000074
【図７４】
0005380752.tif 000075
【図７５】
0005380752.tif 000076
【図７６】
0005380752.tif 000077
【図７７】
0005380752.tif 000078
【図７８】
0005380752.tif 000079
【図７９】
0005380752.tif 000080
【図８０】
0005380752.tif 000081
【図８１】
0005380752.tif 000082
【図８２】
0005380752.tif 000083
【図８３】
0005380752.tif 000084
【図８４】
0005380752.tif 000085
【図８５】
0005380752.tif 000086
【図８６】
0005380752.tif 000087
【図８７】
0005380752.tif 000088
【図８８】
0005380752.tif 000089
【図８９】
0005380752.tif 000090
【図９０】
0005380752.tif 000091
【図９１】
0005380752.tif 000092
【図９２】
0005380752.tif 000093
【図９３】
0005380752.tif 000094
【図９４】
0005380752.tif 000095